(57)【特許請求の範囲】
【請求項１】
モノマー混合物の重合生成物であるポリマーであって、該モノマー混合物が、全モノマー混合物重量基準で、以下：
（ａ）３−（Ｎ，Ｎ−ジメチルアミノ）プロピル（メタ）アクリレート；
Ｎ’−（３−Ｎ，Ｎ−ジメチルアミノ）プロピル（メタ）アクリルアミド、
２−（Ｎ，Ｎ−ジメチルアミノ）エチルメタクリレート、
２−（Ｎ，Ｎ−ジエチルアミノ）エチルメタクリレート、
２−（ｔｅｒｔ−ブチルアミノ）エチルメタクリレート、
２−（Ｎ，Ｎ−ジメチルアミノ）プロピルメタクリルアミド、および
２−（Ｎ，Ｎ−ジメチルアミノ）ネオペンチルアクリレート、
から選択される、２０〜５０重量％の少なくとも１つのアミノ置換ビニルモノマー；
（ｂ）アクリル酸のＣ１〜Ｃ３０アルキルエステル、メタクリル酸のＣ１〜Ｃ３０アルキルエステル、およびこれらの混合物から選択される、５０〜６５重量％の少なくとも１つの疎水性非イオン性ビニルモノマー；
（ｃ）セチルポリエトキシル化メタクリレート、セテアリルポリエトキシル化メタクリレート、ステアリルポリエトキシル化（メタ）アクリレート、アラキジルポリエトキシル化（メタ）アクリレート、ベヘニルポリエトキシル化メタクリレート、ラウリルポリエトキシル化メタクリレート、セロチルポリエトキシル化（メタ）アクリレート、モンタニルポリエトキシル化（メタ）アクリレート、メリシルポリエトキシル化（メタ）アクリレート、ラセリルポリエトキシル化（メタ）アクリレート、トルスチリルフェノールポリエトキシル化メタクリレート、水素化ヒマシ油ポリエトキシル化メタクリレート、カノーラポリエトキシル化（メタ）アクリレート、およびコレステロールポリエトキシル化メタクリレートから選択される、０．１〜１０重量％の少なくとも１つの会合性ビニルモノマー；
（ｄ）以下の化学式：
ＣＨ２＝ＣＨ−Ｏ（ＣＨ２）ａＯ（Ｃ３Ｈ６Ｏ）ｂ（Ｃ２Ｈ４Ｏ）ｃＨ  または
ＣＨ２＝ＣＨ−ＣＨ２Ｏ（Ｃ３Ｈ６Ｏ）ｄ（Ｃ２Ｈ４Ｏ）ｅＨ、
のうちの１つを有する、０．１〜１０重量％の少なくとも１つの半疎水性ビニル界面活性剤モノマーであって、ここで、ａは、２、３、または４であり；ｂは、１〜１０の範囲の整数であり；ｃは、５〜５０範囲の整数であり；ｄは、１〜１０の範囲の整数であり；ｅは、５〜５０の範囲の整数である、半疎水性ビニル界面活性剤モノマー；
（ｅ）０〜１０重量％までのヒドロキシ置換非イオン性モノマー；および
（ｆ）０〜５重量％までの架橋モノマー、
を含む、ポリマー。
【請求項２】
請求項１に記載のポリマーであって、前記モノマー混合物が、全モノマー混合物重量に基づいて、１〜５重量％の少なくとも１つのヒドロキシ置換非イオン性ビニルモノマーを含む、ポリマー。
【請求項３】
請求項２に記載のポリマーであって、前記ヒドロキシ置換非イオン性ビニルモノマーが、ヒドロキシ置換（Ｃ１〜Ｃ４）アルキルアクリレート、ヒドロキシ置換（Ｃ１〜Ｃ４）アルキルメタリレート、ヒドロキシ置換（Ｃ１〜Ｃ４）アルキルアクリルアミド、ヒドロキシ置換（Ｃ１〜Ｃ４）アルキルメタクリルアミド、およびこれらの混合物から選択される、ポリマー。
【請求項４】
請求項２に記載のポリマーであって、前記ヒドロキシ置換非イオン性ビニルモノマーが、２−ヒドロキシエチルメタクリレートである、ポリマー。
【請求項５】
請求項１に記載のポリマーであって、前記モノマー混合物が、全モノマー混合物重量に基づいて、０．０１〜３重量％の架橋モノマーを含む、ポリマー。
【請求項６】
請求項５に記載のポリマーであって、前記架橋モノマーが、少なくとも２つのアクリレートエステル基を有するポリオールのアクリレートエステル、少なくとも２つのメタクリレートエステル基を有するポリオールのメタクリレートエステル、またはこれらの組み合わせである、ポリマー。
【請求項７】
請求項１に記載のポリマーであって、前記モノマー混合物が、全モノマー混合物重量に基づいて、少なくとも０．１重量％の連鎖移動剤を含む、ポリマー。
【請求項８】
請求項７に記載のポリマーであって、前記連鎖移動剤が、チオ化合物、ジスルフィド化合物、ホスファイト、ハイポホスファイト、ハロアルキル化合物、およびこれらの組み合わせから選択される、ポリマー。
【請求項９】
請求項１に記載のポリマーの調製のための方法であって、前記モノマー混合物を、水性媒体中で、７未満のｐＨで、フリーラジカル開始剤および界面活性剤の存在下で、２０〜８０℃の範囲の反応温度で、乳化重合する工程を包含する、方法。
【請求項１０】
請求項９に記載の方法であって、前記乳化重合が、乳化量の、少なくとも１つのアニオン性界面活性剤、非イオン性界面活性剤、両性界面活性剤、またはこれらの混合物の存在下で行われる、方法。
【請求項１１】
請求項９に記載の方法による乳化重合によって作製された、ポリマーエマルジョン。
【請求項１２】
請求項１に記載のポリマーおよび水を含む、組成物。
【請求項１３】
請求項１２に記載の組成物であって、ｐＨ調節剤、緩衝剤、補助髪固定剤、補助フィルム形成剤、補助レオロジー改変剤、補助髪コンディショニング剤、補助皮膚コンディショニング剤、化学髪ウェービング剤またはストレート剤、着色剤、界面活性剤、ポリマーフィルム改変剤、生成物安定化および仕上げ剤、噴霧剤、補助溶媒、またはこれらの混合物のうちの少なくとも１つをさらに含む、組成物。
【請求項１４】
請求項１２に記載の組成物であって、少なくとも１つの第４級アンモニウム化合物をさらに含む、組成物。
【請求項１５】
請求項１２に記載の組成物であって、少なくとも１つのヒドロキシカルボン酸をさらに含む、組成物。
【請求項１６】
請求項１２に記載の組成物であって、少なくとも１つの補助固定ポリマーをさらに含む、組成物。
【請求項１７】
請求項１に記載のポリマーを含む処方された組成物であって、該処方された組成物が、パーソナルケア、ヘルスケア、家族ケア、施設ケア、産業ケア、および工業プロセスのための組成物からなる群より選択される、組成物。
【請求項１８】
請求項１７に記載の処方された組成物であって、前記パーソナルケアのための組成物が、皮膚または髪のクレンザーである、処方された組成物。
【請求項１９】
請求項１７に記載の処方された組成物であって、前記パーソナルケアまたはヘルスケアのための組成物が、ｐＨ調節剤、緩衝剤、補助髪固定剤、補助フィルム形成剤、補助レオロジー改変剤、補助髪コンディショニング剤、補助皮膚コンディショニング剤、化学髪ウェービング剤またはストレート剤、着色剤、界面活性剤、ポリマーフィルム改変剤、生成物安定化および仕上げ剤、噴霧剤、補助溶媒、またはこれらの混合物のうちの少なくとも１つをさらに含む、組成物。
【請求項２０】
請求項１７に記載の処方された組成物であって、前記家族ケアまたは施設ケアおよび産業ケアのための組成物が、クレンザーである、組成物。
【請求項２１】
請求項１７に記載の処方された組成物であって、前記家族ケアまたは施設ケアおよび産業ケアのための組成物が、ｐＨ調節剤、緩衝剤、補助フィルム形成剤、補助レオロジー改変剤、着色剤、界面活性剤、金属イオンキレート剤、分散剤、噴霧剤、補助溶媒、またはこれらの混合物のうちの少なくとも１つをさらに含む、組成物。
【請求項２２】
請求項１７に記載の処方された組成物であって、前記工業プロセスのための組成物が、織物処理である、組成物。
【請求項２３】
請求項１７に記載の処方された組成物であって、前記家族ケア、施設ケアおよび産業ケア、または工業プロセスのための組成物が、塗料または表面コーティングである、組成物。
【請求項２４】
液体、ゲル、泡状物、スプレー、エマルジョン、半固体、または固体の形態の、請求項１７に記載の組成物。
【請求項２５】
請求項１に記載のポリマーおよび少なくとも１つの界面活性剤を含む、水性ポリマーエマルジョン。
【請求項２６】
請求項１７に記載の水性ポリマーエマルジョンであって、前記界面活性剤が、全エマルジョン重量基準で、エマルジョンの１〜１０重量％を構成する、エマルジョン。
【請求項２７】
請求項１７に記載の水性ポリマーエマルジョンであって、前記ポリマーが、全エマルジョン重量基準で、エマルジョンの１５重量％を構成する、エマルジョン。
【請求項２８】
請求項１７に記載の水性ポリマーエマルジョンであって、前記界面活性剤が、少なくとも１つの非イオン性界面活性剤、アニオン性界面活性剤、またはこれらの混合物を含む、水性ポリマーエマルジョン。
【請求項２９】
ヘアケア組成物であって、該ヘアケア組成物に、髪固定特性、髪コンディショニング特性、粘着特性、およびこれらの組み合わせから選択される特性を提供するのに有効な量の請求項１に記載のポリマーを含む、組成物。
【請求項３０】
請求項２９に記載のヘアケア組成物であって、少なくとも１つの補助フィルム形成剤、髪固定剤、補助髪コンディショニング剤、補助レオロジー改変剤、またはこれらの混合物をさらに含む、組成物。
【請求項３１】
皮膚ケア組成物であって、該皮膚ケア組成物に、皮膚コンディショニング特性、粘着特性、およびこれらの組み合わせから選択される特性を提供するのに有効な量の請求項１に記載のポリマーを含む、組成物。
【請求項３２】
請求項３１に記載の皮膚ケア組成物であって、少なくとも１つの補助皮膚コンディショニング剤、補助レオロジー改変剤、またはこれらの混合物をさらに含む、組成物。
【請求項３３】
請求項１に記載のポリマーであって、（ｇ）０〜１０重量％までの連鎖移動剤；および（ｈ）０〜２重量％までのポリマー安定化剤をさらに含む、ポリマー。
【発明の詳細な説明】
【技術分野】
【０００１】
（関連出願の引用）
本願は、２００２年９月１３日に出願された、米国仮出願番号６０／４１０，６９７の優先権を主張し、この仮出願は、本明細書中に参考として援用される。
【０００２】
（発明の技術分野）
本発明は、ポリマーの分野に関し、そして具体的には、カチオン性ポリマーおよび会合性ポリマーに関する。
【背景技術】
【０００３】
（発明の背景）
酸性のｐＨ（すなわち、７未満）を有する、カチオン性成分（例えば、カチオン性界面活性剤およびその塩または活性な酸性成分）を含有する処方物は、通常、「低ｐＨ」処方物と称される。安定な低ｐＨの粘性エマルジョンおよびゲル処方物は、得ることが困難である。最も通常使用される増粘剤は、合成会合性増粘剤であり、これらは頻繁に、アニオン性であり、従って、代表的に、カチオン性成分（特に、第四級アンモニウム塩）と非適合性であるか、または低ｐＨにおいて効果のない増粘剤である。
【０００４】
その結果、低ｐＨ組成物（特に、エマルジョン）の処方は、非イオン性増粘剤（例えば、非イオン性界面活性剤）またはカチオン性増粘剤のいずれかの、限定された選択を有する。非イオン性増粘剤は、非荷電であり、従って、より反応性が低いと仮定されるが、非イオン性物質は、防腐剤を不活性化する傾向があり、そしていくつかの場合には、微生物増殖を促進する。いくつかのカチオン性ポリマーレオロジー改質剤（例えば、疎水性に修飾されたアミノアクリレートコポリマー）は、市販されているが、これらのレオロジー特性は予測不可能であるか、または美的に不満足である。
【発明の開示】
【発明が解決しようとする課題】
【０００５】
従って、低ｐＨ処方物のための、カチオン性の適合性のポリマーレオロジー改質剤に対する必要性および要求が、現在存在する。
【課題を解決するための手段】
【０００６】
（発明の要旨）
本発明は、多目的ポリマーを提供し、このポリマーは、ほぼカチオン性の、会合性特性を有する。
【０００７】
本発明のポリマーは、多官能性ビニル付加ポリマーであり、アミノ置換基（これは、親水性および低ｐＨでのカチオン性特性を提供する）、親水性を減衰するための疎水性置換基、会合性特性を提供する疎水性に修飾されたポリオキシアルキレン置換基、ならびに親水性ポリオキシアルキレン置換基（これは、会合性特性を減衰させ、そして有利なレオロジー特性を提供する）の組み合わせを有する。これらのポリマーは、少なくとも１つのアミノ置換されたビニルモノマー；少なくとも１つの疎水性非イオン性ビニルモノマー；少なくとも１つの会合性ビニルモノマー；少なくとも１つの半疎水性ビニル界面活性剤モノマー；ならびに必要に応じて、１つ以上のヒドロキシ置換された非イオン性ビニルモノマー、架橋モノマー、連鎖移動試薬、ポリマー安定化剤などを含有するモノマー混合物の重合によって、生成される。
【０００８】
これらのポリマーは、無機酸もしくは有機酸（アミノ酸が挙げられる）のいずれかでの酸性化の際にか、またはアルキル化の際にか、あるいは酸性化とアルキル化との両方によって、膨潤し得る。本発明の多目的ポリマーは、増粘剤、乳化剤、安定化剤、懸濁剤、フィルム形成剤、コンディショナー、加湿剤、展着助剤、ならびに化学的および生理学的に活性な成分および化粧材料の効力、沈着または送達を増強するためのキャリアとして、ならびに神経感覚およびこれらが含有される処方物の美的特性を改善するためのビヒクルとして、使用され得る。低ｐＨでのポリマーのカチオン性の特徴は、これらのポリマーを、静電防止剤として有用にし、そして特定の条件下ではまた、殺生物活性、抗菌活性、または他の防腐活性を提供し得る。本発明のポリマーは、有利には、酸性の水性処方物を増粘して、美的に平滑にテクスチャー加工された生成物（これは、平滑に流れ、そして容易に広がる）を提供し得る。ポリマー含有生成物の形態は、注ぎ不可能な、硬質〜軟質のゲル、半固体ペースト〜実質的に固体のスティックもしくは棒、およびエアロゾル化発泡体から絞り可能なゲル、ならびに柔らかすぎないが流動可能な生成物（ポンピング可能なスプレーまたは回転塗布製品、および液体ローションの範囲であり得る。本発明のポリマーは、驚くべきことに、カチオン性成分（例えば、第四級アンモニウム化合物およびアミン）、カチオン性コンディショニング剤、織物柔軟剤、界面活性剤などを含有する水性の系を増粘する際に有効である。
【０００９】
有利には、本発明のポリマーは、パーソナルケア製品、ヘルスケア製品、家庭用ケア製品、施設および産業（まとめて、「Ｉ＆Ｉ」）ケア製品などにおいて使用され得るが、これらに限定されない。これらのポリマーは、フィルム形成コンディショナーとして使用され得、そして皮膚、毛髪、または両方に対する有色化粧品ならびに極性および非極性の油の沈着を促進するためのものである。さらに、これらのポリマーは、産業化学プロセス、テキスタイル仕上げプロセス、印刷、接着コーティングなどの適用のための製品において、例えば、レオロジー改質剤、乳化剤、安定化剤、可溶化剤、懸濁剤、綿状物、ならびに顔料および粉砕添加剤として使用され得る。
【発明を実施するための最良の形態】
【００１０】
（好ましい実施形態の説明）
本発明のポリマーは、一般に、塩基性であり、水性の酸で膨潤可能であるか、または水性の酸に可溶性である、ポリマーおよびその塩であり、これは、少なくとも１つの塩基性アミノ置換基（これは、低いｐＨにおいてカチオン性である）、会合性ビニルモノマーから誘導される少なくとも１つの疎水性に修飾されたポリオキシアルキレン置換基、および半疎水性ビニル界面活性剤モノマーから誘導される少なくとも１つのポリオキシアルキレン置換基を含有する。本発明のポリマーはまた、必要に応じて、他のモノマー単位（例えば、架橋性モノマー単位、ヒドロキシ置換された非イオン性ビニルモノマー単位、連鎖移動剤単位、ポリマー安定化剤など）から誘導される置換基を含み得る。本発明のポリマーは、一般に、水溶液中で会合性特性を示す。好都合なために、本発明のポリマーは、本明細書中で一般に、「カチオン性会合性ポリマー」と称される。
【００１１】
用語「低ｐＨ処方物」とは、約０．５〜約７以下、好ましくは、約６．５以下の範囲の酸性ｐＨを有する処方物をいう。
【００１２】
用語「水性」とは、処方物または媒体に対して適用される場合、水が、ポリマーが含まれる組成物中に、カチオン性会合性ポリマーを少なくとも膨潤または溶解するために充分な量で存在することを意味する。
【００１３】
驚くべきことに、カチオン性会合性ポリマーは、低ｐＨの水性のパーソナルケア製品、ヘルスケア製品、家庭用ケア製品、施設および産業のケア製品に、所望のレオロジー特性を提供することが発見された。カチオン性会合性ポリマーは、カチオン適合性であり、これらのポリマーを、第四級アンモニウム塩またはアミンを含有する製品における増粘剤として特に有用にする。カチオン性会合性ポリマーは、活性酸成分を含有する製品における増粘剤として有用であり、そしてエマルジョン（クリーム、ローション）のための増粘剤および乳化剤として有用である。増粘に加えて、カチオン性会合性ポリマーは、着色剤および皮膚軟化油を含有する製品のための有用なフィルム形成剤であり、展着助剤であり、そして沈着助剤である。驚くべきことに、カチオン性会合性ポリマーは、比較的高濃度（例えば、１０〜４０％）のアニオン性界面活性剤を含有する組成物中で有用であり、そしてまた、髪をセットする効力を提供する。
【００１４】
用語「パーソナルケア製品」には、本明細書中において使用される場合、ヒトおよび動物の皮膚、毛髪、頭皮、および爪に塗布される、化粧品、洗顔用品、化粧薬品および美容助剤、パーソナル衛生製品およびクレンジング製品が含まれが、これらに限定されない。用語「ヘルスケア製品」には、本明細書中において使用される場合、医薬品、薬学化粧品、経口ケア製品（口、歯）、眼ケア製品、耳ケア製品ならびに処方箋なしで買える製品および装具（例えば、パッチ、硬膏剤、包帯など）、ならびに健康に関連する状態または医学的状態を軽減するために、衛生また福祉のために、ヒトおよび動物の身体の外部または内部に適用される医療デバイスなどが含まれるが、これらに限定されない。用語「身体」としては、角質性領域（毛髪、爪）および全身の非角質性皮膚領域（顔面、体幹、四肢、手および脚）、身体の開口部および眼の組織が挙げられ、そして用語「皮膚」としては、頭皮および粘膜が挙げられる。用語「家庭用ケア製品」としては、本明細書中において使用される場合、台所および浴室などにおいて、衛生状態を維持するための、表面洗浄または殺菌クリーニング製品のための家庭用のものにおいて使用される製品、ならびに繊維の管理および洗浄のための洗濯製品などが挙げられるが、これらに限定されない。用語「施設および産業ケア」および「Ｉ＆Ｉ」は、本明細書中において使用される場合、産業および集団（病院およびヘルスケア設備が挙げられる）を洗浄するか、またはその衛生状態を維持するために使用される製品などを含むが、これらに限定されない。
【００１５】
本発明のカチオン性会合性ポリマーは、多目的ポリマーであり、これらは、好ましくは、以下を含有するモノマー混合物を重合させることによって調製される：少なくとも１種の塩基性のアミノ置換されたビニル（ＡＳＶ）モノマーまたはその塩；少なくとも１種の疎水性非イオン性ビニル（ＨＮＶ）モノマー；少なくとも１種の会合性ビニル（ＡＶ）モノマー；少なくとも１種の半疎水性ビニル界面活性剤（ＳＶＳ）モノマー；および必要に応じて、１種以上のヒドロキシ置換された非イオン性ビニル（ＨＳＮＶ）または架橋（ＸＬ）モノマー。本発明のカチオン性会合性ポリマーはまた、連鎖移動薬剤（ＣＴＡ）、または乳化ポリマーおよび乳化重合プロセスにおいて通常利用される他の機能的成分を含有するモノマー混合物から調製され得る。
【００１６】
１つの好ましい実施形態において、本発明の多目的カチオン性会合性ポリマーは、モノマー混合物の総重量に基づいて、以下を含有するモノマー混合物の重合生成物である：（ａ）約１０〜約７０重量％の少なくとも１種のＡＳＶモノマーまたはその塩；（ｂ）約２０〜約８０重量％の少なくとも１種のＨＮＶモノマー；（ｃ）約０．０１〜約２５重量％の少なくとも１種のＡＶモノマー；（ｄ）約０．０１〜約２５重量％の少なくとも１種のＳＶＳモノマー；（ｅ）約１０重量％までのＨＳＮＶモノマー；（ｆ）約５重量％までのＸＬモノマー；（ｇ）約１０重量％までのＣＴＡ；および（ｈ）約２重量％までのポリマー安定化剤。
【００１７】
別の好ましい実施形態において、本発明のカチオン性会合性ポリマーは、モノマー混合物の総重量に基づいて、以下を含有するモノマー混合物の重合生成物である：（ａ）約２５〜約６０重量％の少なくとも１種のＡＳＶモノマーまたはその塩；（ｂ）約２０〜約７０重量％の少なくとも１種のＨＮＶモノマー；（ｃ）約０．１〜約１５重量％の少なくとも１種のＡＶモノマー；（ｄ）約０．１〜約１０重量％の少なくとも１種のＳＶＳモノマー；（ｅ）約０．１〜約１０重量％のＨＳＮＶモノマー；（ｆ）約０．００１〜約５重量％のＸＬモノマー；および（ｇ）約０．００１〜約５重量％までのＣＴＡ。
【００１８】
本発明の特に好ましいポリマーは、モノマー混合物の総重量に基づいて、以下を含有するモノマー混合物の重合生成物である：
（ａ）約２０〜約５０重量％の、
３−（Ｎ，Ｎ−ジメチルアミノ）プロピル（メタ）アクリレート、および
Ｎ’−（３−Ｎ，Ｎ−ジメチルアミノ）プロピル（メタ）アクリルアミド、最も好ましくは、
２−（Ｎ，Ｎ−ジメチルアミノ）エチルメタクリレート（ＤＭＡＥＭＡ）、
２−（Ｎ，Ｎ−ジエチルアミノ）エチルメタクリレート（ＤＥＡＥＭＡ）、
２−（ｔｅｒｔ−ブチルアミノ）エチルメタクリレート（ＴＢＡＥＭＡ）、
２−（Ｎ，Ｎ−ジメチルアミノ）プロピルメタクリルアミド（ＤＭＡＰＭＡｍ）、および２−（Ｎ，Ｎ−ジメチルアミノ）ネオペンチルアクリレート（ＤＭＡＮＰＡ）
から選択される、少なくとも１種のアミノ置換されたビニルモノマー；
（ｂ）約５０〜約６５重量％の、アクリル酸のＣ１〜Ｃ３０アルキルエステル、メタクリル酸のＣ１〜Ｃ３０アルキルエステル、およびこれらの混合物から選択される、少なくとも１種の疎水性非イオン性ビニルモノマー；
（ｃ）約０．１〜約１０重量％の、セチルポリエトキシ化メタクリレート（ＣＥＭ）、セテアリールポリエトキシ化メタクリレート（ＣＳＥＭ）、セテアリールポリエトキシ化（メタ）アクリレート、アラキジルポリエトキシ化（メタ）アクリレート、ベンジルポリエトキシ化メタクリレート（ＢＥＭ）、ラウリルポリエトキシ化メタクリレート（ＬＥＭ）、セロチルポリエトキシ化（メタ）アクリレート、モンタニルポリエトキシ化（メタ）アクリレート、メリシルポリエトキシ化（メタ）アクリレート、ラセリルポリエトキシ化（メタ）アクリレート、トリスチリルフェノールポリエトキシ化メタクリレート（ＴＥＭ）、硬化ヒマシ油ポリエトキシ化メタクリレート（ＨＣＯＥＭ）、カノーラポリエトキシ化（メタ）アクリレート、およびコレステロールポリエトキシ化メタクリレート（ＣＨＥＭ）から選択される、少なくとも１種の会合性ビニルモノマー；
（ｄ）約０．１〜約１０重量％の、以下の化学式：
ＣＨ２＝ＣＨ−Ｏ（ＣＨ２）ａＯ（Ｃ３Ｈ６Ｏ）ｂ（Ｃ２Ｈ４Ｏ）ｃＨまたは
ＣＨ２＝ＣＨＣＨ２Ｏ（Ｃ３Ｈ６Ｏ）ｄ（Ｃ２Ｈ４Ｏ）ｅＨ
のうちの１つを有する、少なくとも１種の半疎水性ビニル界面活性剤モノマーであって、ここで、ａは、２、３、または４であり；ｂは、１〜約１０の範囲の整数であり、ｃは、約５〜約５０の範囲の整数であり；ｄは、１〜約１０の範囲の整数であり；そしてｅは、約５〜約５０の範囲の整数である；
（ｅ）約１０重量％までのヒドロキシ置換非イオン性ビニルモノマー；
（ｆ）約５重量％までの架橋モノマー；
（ｇ）約１０重量％までの連鎖移動薬剤；ならびに
（ｈ）約２重量％までのポリマー安定化剤。
【００１９】
本明細書中において使用される場合、用語「アルキル」とは、置換または非置換の脂肪族炭化水素部分を意味し、直鎖、分枝鎖、または炭素環式アルキル部分が挙げられる。用語「炭素環式アルキル」とは、３〜約１２個までの炭素原子の大きさの、必要に応じて炭素環式環上のアルキル置換基を含む、１つ以上の炭素環式環を含むアルキル基を意味する。用語「アリール」は、置換および非置換の、フェニル部分およびナフチル部分を含む。式「Ｃｘ〜Ｃｙ」の修飾部は、アルキル基または炭素環式アルキル基が、ｘ〜ｙ個の炭素原子を含有する分子式を有することを表し、ここで、ｘおよびｙは、整数で表される。本明細書中および添付の特許請求の範囲において使用される場合、「複合エステル」とは、Ｃ２〜Ｃ７のアルキレンオキシドでアルキル化され得る少なくとも１つのヒドロキシル基を有するポリオール（例えば、糖）の、ジエステル、トリエステル、またはポリエステルを意味する。用語「複合エステル」としては、特に、Ｊｅｎｋｉｎｓら、米国特許第５，６３９，８４１号（これの関連する開示は、本明細書中に参考として援用される）に記載される複合疎水性物質が挙げられる。
【００２０】
用語「ハロゲン置換」、「ヒドロキシ置換」、「カルボキシ置換」、「ポリオキシアルキレン置換」「アルキル置換」、および「アリール置換」とは、本明細書中においてアルキル基またはアリール基などに関して使用される場合、アルキル基、アリール基などの１つ以上の水素原子が、それぞれ、少なくとも１つのハロゲン原子、ヒドロキシル基、カルボキシル基、ポリオキシアルキレン基、アルキル基、またはアリール基によって置き換えられたことを意味する。用語「ポリ（メタ）アクリレート」および「ポリ（メタ）」アクリルアミド」とは、本明細書中において使用される場合、それぞれ、ポリアクリレートまたはポリメタクリレート、およびポリアクリルアミドまたはポリメタクリルアミドの代替である。
【００２１】
本発明のカチオン性会合性ポリマーの調製において有用な適切なモノマーが、以下に記載される。
【００２２】
（ＡＳＶモノマー）
本発明のカチオン性会合性ポリマーの調製のために適切な、アミノ置換されたビニルモノマーは、塩基性の、重合可能な、エチレン性不飽和モノマーであり、好ましくは、少なくとも１つのアミノ官能基を含む。これらの塩基性アミノ基は、モノアミノアルキル基、ジアルキルアミノ基、もしくはポリアミノアルキル基、または窒素含有ヘテロ芳香族基から誘導され得る。アミノ基は、第一級アミン、第二級アミン、または第三級アミンを含み得る。これらのモノマーは、所望されるように、アミノ形態または塩形態で使用され得る。
【００２３】
本発明のポリマーは、好ましくは、以下から選択されるＡＳＶモノマーを含有する：モノ−（Ｃ１〜Ｃ４）アルキルアミノ（Ｃ１〜Ｃ８）アルキル（メタ）アクリレート、ジ−（Ｃ１〜Ｃ４）アルキルアミノ（Ｃ１〜Ｃ８）アルキル（メタ）アクリレート、モノ−（Ｃ１〜Ｃ４）アルキルアミノ（Ｃ１〜Ｃ８）アルキル（メタ）アクリルアミド、ジ−（Ｃ１〜Ｃ４）アルキルアミノ（Ｃ１〜Ｃ８）アルキル（メタ）アクリルアミド、窒素含有複素環式（メタ）アクリルアミド、窒素含有複素環式（メタ）アクリレート、およびこれらの混合物。
【００２４】
ＡＳＶモノマーの好ましい例としては、モノ−またはジ−（Ｃ１〜Ｃ４）アルキルアミノ（Ｃ１〜Ｃ４）アルキル（メタ）アクリレート（例えば、２−（Ｎ，Ｎ−ジメチルアミノ）エチル（メタ）アクリレート、３−（Ｎ，Ｎ−ジメチルアミノ）プロピル（メタ）アクリレート、４−（Ｎ，Ｎ−ジメチルアミノ）ブチル（メタ）アクリレート、（Ｎ，Ｎ−ジメチルアミノ）−ｔ−ブチル（メタ）アクリレート、２−（Ｎ，Ｎ−ジエチルアミノ）エチル（メタ）アクリレート、３−（Ｎ，Ｎ−ジエチルアミノ）プロピル（メタ）アクリレート、４−（Ｎ，Ｎ−ジエチルアミノ）ブチル（メタ）アクリレート、２−（Ｎ，Ｎ−ジプロピルアミノ）エチル（メタ）アクリレート、３−（Ｎ，Ｎ−ジプロピルアミノ）プロピル（メタ）アクリレート、４−（Ｎ，Ｎ−ジプロピルアミノ）ブチル（メタ）アクリレートなど）；モノ−またはジ−（Ｃ１〜Ｃ４）アルキルアミノ（Ｃ１〜Ｃ４）アルキル（メタ）アクリルアミド（例えば、Ｎ’−（２−Ｎ，Ｎ−ジメチルアミノ）エチルメタクリルアミド、Ｎ’−（３−Ｎ，Ｎ−ジメチルアミノ）プロピルアクリルアミドなど）；および窒素含有複素環式（メタ）アクリルアミドまたは（メタ）アクリレート（例えば、Ｎ−（２−ピリジル）アクリルアミド、Ｎ−（２−イミダゾリル）メタクリルアミド、２−（４−モルホリニル）エチルメタクリレート、２−（４−モルホリニル）エチルアクリレート、Ｎ−（４−モルホリニル）メタクリルアミド、Ｎ−（４−モルホリニル）アクリルアミド、２−ビニルピリジン、４−ビニルピリジンなど）が挙げられるが、これらに限定されない。
【００２５】
そのモノマーの適切な塩形態としては、鉱酸塩（例えば、塩酸塩、硫酸塩、およびリン酸塩）；および有機酸塩（例えば、酢酸塩、マレイン酸塩、およびフマル酸塩；など）が挙げられるが、これらに限定されない。
【００２６】
前述のモノマーまたはその塩は、本発明のカチオン性の会合性ポリマー（ａｓｓｏｃｉａｔｉｖｅ  ｐｏｌｙｍｅｒ）のアミノ置換ビニルモノマー成分として、個々に、または２つ以上の混合物中で使用され得る。特に好ましいＡＳＶモノマーは、２−（Ｎ，Ｎ−ジメチルアミノ）エチル（メタ）アクリレート、３−（Ｎ，Ｎ−ジメチルアミノ）プロピル（メタ）アクリレート、およびＮ’−（３−Ｎ，Ｎ−ジメチルアミノ）プロピル（メタ）アクリルアミドである。最も好ましいのは、２−（Ｎ，Ｎ−ジメチルアミノ）エチルメタクリレート（ＤＭＡＥＭＡ）、２−（Ｎ，Ｎ−ジエチルアミノ）エチルメタクリレート（ＤＥＡＥＭＡ）、２−（ｔｅｒｔ−ブチルアミノ）エチルメタクリレート（ＴＢＡＥＭＡ）、２−（Ｎ，Ｎ−ジメチルアミノ）プロピルメタクリルアミド（ＤＭＡＰＭＡｍ）、および２−（Ｎ，Ｎ−ジメチルアミノ）ネオペンチルアクリレート（ＤＭＡＮＰＡ）である。
【００２７】
そのＡＳＶモノマーは、好ましくは、総モノマー混合物重量ベースで、総モノマー混合物のうちの約１０〜約７０重量％、より好ましくは、約２０〜約５０重量％、および最も好ましくは、約３０〜約４０重量を構成する。
【００２８】
（ＨＮＶモノマー）
本発明のカチオン性の会合性ポリマーの調製における使用に適した疎水性非イオン性ビニルモノマーは、以下の式（Ｉ）または（ＩＩ）：
（Ｉ）ＣＨ２＝Ｃ（Ｘ）Ｚ、
（ＩＩ）ＣＨ２＝ＣＨ−ＯＣ（Ｏ）Ｒ；
のいずれかを有する、共重合可能な、非イオン性の、エチレンにより不飽和化されたモノマーである；
ここで式（Ｉ）および（ＩＩ）の各々において、Ｘは、Ｈまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレンウレア、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは、１〜約６の範囲の整数であり；各Ｒは、独立して、Ｃ１〜Ｃ３０アルキルであり；各Ｒ１は、独立して、Ｃ１〜Ｃ３０アルキル、ヒドロキシ置換Ｃ２〜Ｃ３０アルキルまたはハロゲン置換Ｃ１〜Ｃ３０アルキルである。
【００２９】
好ましい疎水性の非イオン性ビニルモノマーの非限定的例としては、Ｃ１〜Ｃ３０アルキル（メタ）アクリレート；Ｃ１〜Ｃ３０アルキル（メタ）アクリルアミド；スチレン；置換スチレン（例えば、ビニルトルエン（例えば、２−メチルスチレン）、ブチルスチレン、イソプロピルスチレン、ｐ−クロロスチレンなど））；ビニルエステル（例えば、ビニルアセテート、ビニルブチレート、ビニルカプロレート、ビニルピルベート、ビニルネオデカノエートなど）；不飽和ニトリル（例えば、メタクリロニトリル、アクリロニトリルなど）；および不飽和シラン（例えば、トリメチルビニルシラン、ジメチルエチルビニルシラン、アリルジメチルフェニルシラン、アリルトリメチルシラン（ａｌｌｙｔｒｉｍｅｔｈｙｌｓｉｌａｎｅ）、３−アクリルアミドプロピルトリメチルシラン、３−トリメチルシリルプロピルメタクリレートなど）が挙げられる。
【００３０】
特に好ましい非イオン性ビニルモノマーとしては、アクリル酸およびメタクリル酸のＣ１〜Ｃ３０アルキルエステル、ならびにそれらの混合物（例えば、エチルアクリレート（ＥＡ）、メチルメタクリレート（ＭＭＡ）、３，３，５−トリメチルシクロヘキシルメタクリレート（ＴＭＣＨＭＡ）、およびそれらの混合物）が挙げられる。
【００３１】
そのＨＮＶモノマーは、好ましくは、総モノマー混合物重量ベースで、総モノマー混合物のうちの約２０〜約８０重量％、より好ましくは、約３０〜約７０重量％、および最も好ましくは、約５０〜約６５重量％を構成する。
【００３２】
（ＡＶモノマー）
本発明のカチオン性の会合性ポリマーの生成における使用に適した会合性ビニルモノマーは、好ましくは、その系の他のモノマーとの付加重合のためのエチレンにより不飽和化された末端基部分（ｉ）；生成物ポリマーに選択的親水性特性を付与するためのポリオキシアルキレン中間セクション部分（ｍｉｄｓｅｃｔｉｏｎ  ｐｏｒｔｉｏｎ）（ｉｉ）、およびそのポリマーに選択的疎水性特性を提供するための疎水性末端基部分（ｉｉｉ）を有する化合物である。
【００３３】
そのエチレンにより不飽和化された末端基を供給する部分（ｉ）は、好ましくは、α，β−エチレンにより不飽和化されたモノカルボン酸またはα，β−エチレンにより不飽和化されたジカルボン酸またはそれらの無水物、より好ましくは、Ｃ３モノカルボン酸もしくはＣ４モノカルボン酸またはＣ３ジカルボン酸もしくはＣ４ジカルボン酸またはそれらの無水物に由来する。あるいは、その会合性モノマーの部分（ｉ）は、アリルエーテルまたはビニルエーテル；非イオン性ビニル置換ウレタンモノマー（例えば、米国再発行特許第３３，１５６号または米国特許第５，２９４，６９２号に開示される）；またはビニル置換尿素反応生成物（例えば、米国特許第５，０１１，９７８号に開示される）に由来し得；各々の関連する開示は、本明細書中に参考として援用される。
【００３４】
その中間セクション部分（ｉｉ）は、好ましくは、約５〜約２５０個、より好ましくは、約１０〜約１２０個、および最も好ましくは約１５〜約６０個の反復するＣ２〜Ｃ７アルキレンオキシドユニットのポリオキシアルキレンセグメントである。好ましい中間セクション部分（ｉｉ）としては、約５〜約１５０個、より好ましくは約１０〜約１００個、および最も好ましくは約１５〜約６０個のエチレンオキシドユニット、プロピレンオキシドユニットまたはブチレンオキシドユニットを含む、ポリオキシエチレンセグメント、ポリオキシプロピレンセグメント、およびポリオキシブチレンセグメント、ならびにエチレンオキシドユニット、プロピレンオキシドユニットおよび／またはブチレンオキシドユニットのランダム順序または非ランダム順序が挙げられる。
【００３５】
その会合性モノマーのその疎水性末端基部分（ｉｉｉ）は、以下の炭化水素のクラスのうちの１つに属する好ましくは炭化水素部分である：Ｃ８〜Ｃ４０直鎖状アルキル、アリール置換Ｃ２〜Ｃ４０アルキル、Ｃ２〜Ｃ４０アルキル置換フェニル、Ｃ８〜Ｃ４０分枝鎖アルキル、Ｃ８〜Ｃ４０炭素環式アルキル；およびＣ８〜Ｃ８０複合エステル（ｃｏｍｐｌｅｘ  ｅｓｔｅｒ）。
【００３６】
その会合性モノマーの適切な疎水性末端基部分（ｉｉｉ）の非限定的例は、約８〜約４０個の炭素原子を有する直鎖または分枝鎖のアルキル基（例えば、カプリル（Ｃ８）、イソオクチル（分枝鎖Ｃ８）、デシル（Ｃ１０）、ラウリル（Ｃ１２）、ミリスチル（Ｃ１４）、セチル（Ｃ１６）、セテアリル（Ｃ１６〜Ｃ１８）、ステアリル（Ｃ１８）、イソステアリル（分枝鎖Ｃ１８）、アラキジル（Ｃ２０）、ベヘニル（Ｃ２２）、リグノセリル（Ｃ２４）、セロチル（Ｃ２６）、モンタニル（Ｃ２８）、メリシル（ｍｅｌｉｓｓｙｌ）（Ｃ３０）、ラセリル（ｌａｃｃｅｒｙｌ）（Ｃ３２）など）である。
【００３７】
天然供給源に由来する、約８〜約４０個の炭素原子を有する直鎖または分枝鎖のアルキル基の例としては、以下が挙げられるが、これらに限定されない：水素化された落花生油、大豆油およびカノーラ油（全て主にＣ１８）、水素化獣脂油（Ｃ１６〜Ｃ１８）など；および水素化されたＣ１０〜Ｃ３０テルペノール（例えば、水素化されたゲラニオール（分枝鎖Ｃ１０）、水素化ファルネソール（分枝鎖Ｃ１５）、水素化フィトール（分枝鎖Ｃ２０）などの由来するアルキル基。
【００３８】
適切なＣ２〜Ｃ４０アルキル置換フェニル基の非限定的例としては、オクチルフェニル、ノニルフェニル、デシルフェニル、ドデシルフェニル、ヘキサデシルフェニル、オクタデシルフェニル、イソオクチルフェニル、ｓｅｃ−ブチルフェニルなどが挙げられる。
【００３９】
適切なＣ８〜Ｃ４０炭素環式アルキル基としては、以下が挙げられるが、これらに限定されない：動物供給源に由来するステロールから得られる基（例えば、コレステロール、ラノステロール、７−デヒドロコレステロールなど；植物供給源に由来するステロールから得られる基（例えば、フィトステロール、スチグマステロール（ｓｔｉｇｍａｓｔｅｒｏｌ）、カンペステロール（ｃａｍｐｅｓｔｅｒｏｌ）など）；および酵母供給源に由来するステロールから得られる基（例えば、エルゴステロール、ミコステロール（ｍｙｃｏｓｔｅｒｏｌ）など。本発明において有用な他の炭素環式アルキル疎水性末端基としては、以下が挙げられるが、これらに限定されない：シクロオクチル、シクロドデシル、アダマンチル、デカヒドロナフチル、ならびに天然の炭素環式物質から得られる基（例えば、ピネン、水素化レチノール、樟脳、イソボルニルアルコールなど）。
【００４０】
例示的なアリール置換Ｃ２〜Ｃ４０アルキル基としては、以下が挙げられるが、これらに限定されない：スチリル（例えば、２−フェニルエチル）、ジスチリル（例えば、２，４−ジフェニルブチル）、トリスチリル（例えば、２，４，６−トリフェニルヘキシル）、４−フェニルブチル、２−メチル−２−フェニルエチル、トリスチリルフェノールイル（ｐｈｅｎｏｌｙｌ）など。
【００４１】
適切なＣ８〜Ｃ８０複合エステルの非限定的な例としては、水素化ヒマシ油（主に、１２−ヒドロキシステアリン酸のトリグリセリド）；１，２−ジアシルグリセロール（例えば、１，２−ジステアリルグリセロール、１，２−ジパルミチルグリセロール、１，２−ジミリスチルグリセロールなど）；糖のジエステル、トリエステル、またはポリエステル（例えば、３，４，６−トリステアリルグルコース、２，３−ジラウリルフルクトースなど）；ならびにソルビタンエステル（例えば、Ｒｕｆｆｎｅｒらの米国特許第４，６００，７６１号に開示されるもの）（それらの直接関係のある開示は、本明細書中に参考として援用される）が挙げられる。
【００４２】
有用な会合性モノマーは、当該分野で公知の任意の方法により調製され得る。例えば、Ｃｈａｎｇらの米国特許第４，４２１，９０２号；Ｓｏｎｎａｂｅｎｄらの同第４，３８４，０９６号；Ｓｈａｙらの同第４，５１４，５５２号；Ｒｕｆｆｎｅｒらの同第４，６００，７６１号；Ｒｕｆｆｎｅｒの同第４，６１６，０７４号；Ｂａｒｒｏｎらの同第５，２９４，６９２号；Ｊｅｎｋｉｎｓらの同第５，２９２，８４３号；Ｒｏｂｉｎｓｏｎの同第５，７７０，７６０号；およびＷｉｌｋｅｒｓｏｎ，ＩＩＩらの同第５，４１２，１４２号（これらの直接関係のある開示は、本明細書中に参考として援用される）を参照のこと。
【００４３】
好ましい会合性ビニルモノマーの例としては、以下の式（ＩＩＩ）：
【００４４】
【化５】
0004482452.tif 000002
を有するものが挙げられ、
ここで各Ｒ２は、独立して、Ｈ、メチル、−Ｃ（Ｏ）ＯＨ、または−Ｃ（Ｏ）ＯＲ３であり；Ｒ３は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｋは、０〜約３０の範囲の整数であり、ｍは、０または１であり、ただしｋが０である場合、ｍが０であり、ｋが１〜約３０の範囲である場合、ｍが１であり；（Ｒ４−Ｏ）ｎは、ポリオキシアルキレン（これは、ホモポリマー、ランダムコポリマー、またはＣ２〜Ｃ４オキシアルキレンユニットのブロックコポリマーであり、Ｒ４は、Ｃ２Ｈ４、Ｃ３Ｈ６、Ｃ４Ｈ８、またはこれらの混合物であり、ｎは、約５〜約２５０個、好ましくは約５〜約１００個、より好ましくは約１０〜約８０個、および最も好ましくは約１５〜約６０個の範囲の整数であり；Ｙは、−Ｒ４Ｏ−、−Ｒ４ＮＨ−、−Ｃ（Ｏ）−、−Ｃ（Ｏ）ＮＨ−、−Ｒ４ＮＨＣ（Ｏ）ＮＨ−、または−Ｃ（Ｏ）ＮＨＣ（Ｏ）−であり；Ｒ５は、Ｃ８〜Ｃ４０直鎖アルキル、Ｃ８〜Ｃ４０分枝鎖アルキル、Ｃ８〜Ｃ４０炭素環式アルキル、Ｃ２〜Ｃ４０アルキル置換フェニル、アリール置換Ｃ２〜Ｃ４０アルキル、およびＣ８〜Ｃ８０複合エステルからなる群より選択される、置換または非置換のアルキルである；ここでＲ５アルキル基は、必要に応じて、ヒドロキシル基、アルコキシ基、およびハロゲン基からなる群より選択される１つ以上の置換基を含む。
【００４５】
式（ＩＩＩ）の特に、好ましい会合性ビニルモノマーとしては、セチルポリエトキシル化メタクリレート（ＣＥＭ）、セテアリルポリエトキシル化メタクリレート（ＣＳＥＭ）、ステアリルポリエトキシル化（メタ）アクリレート、アラキジルポリエトキシル化（メタ）アクリレート、ベヘニルポリエトキシル化メタクリレート（ＢＥＭ）、ラウリルポリエトキシル化メタクリレート（ＬＥＭ）、セロチルポリエトキシル化（メタ）アクリレート、モンタニルポリエトキシル化（メタ）アクリレート、メリシルポリエトキシル化（メタ）アクリレート、ラセリル（ｌａｃｃｅｒｙｌ）ポリエトキシル化（メタ）アクリレート、トルスチリルフェノールポリエトキシル化メタクリレート（ＴＥＭ）、水素化ヒマシ油ポリエトキシル化メタクリレート（ＨＣＯＥＭ）、カノーラポリエトキシル化（メタ）アクリレート、およびコレステロールポリエトキシル化メタクリレート（ＣＨＥＭ）が挙げられ、ここでそのモノマーのポリエトキシル化部分は、約５〜約１００個、好ましくは約１０〜約８０個、およびより好ましくは約１５〜約６０個のエチレンオキシド反復ユニットを含む。
【００４６】
好ましくは、そのモノマー混合物中のＡＶモノマー成分は、総モノマー混合物重量ベースで、そのモノマー混合物の約０．００１〜約２５重量％、より好ましくは約０．０１〜約１５重量％、最も好ましくは約０．１〜約１０重量％を構成する。
【００４７】
（ＳＶＳモノマー）
驚くべきことに、半疎水性ビニル界面活性剤（ＳＶＳ）モノマー（これは、ポリオキシアルキレン鎖を含む）は、それらを含むカチオン性の会合性ポリマーの会合する特性を調節し得、従って、非常に望ましい組織およびレオロジー特性を有する水性ゲルを生成することが分かった。理論に束縛されることを望まないが、そのＳＶＳモノマーのポリオキシアルキレン基は、そのポリマー中の会合性モノマーの疎水性基の間の非特異的結合を妨げるかまたは遮蔽し、従って、そのポリマーの会合性特性を弱めると考えられる。そのようなＳＶＳモノマーは、得られるポリマーの濃化効率を調整して、選択された適用に望ましいように、そのポリマーのレオロジー特性をカスタマイズし得る。最も驚くべきことは、そのＳＶＳモノマーは、望ましいレオロジー特性および美的特性を水性ゲルに付与し、ＳＶＳモノマーを含まないカチオン性の会合性ポリマーよりも軟らかく、滑らかでかつより拡げられるゲルを提供することが見出された。
【００４８】
驚くべきことに、ＳＶＳモノマーをカチオン性の会合性ポリマーに組み込むと、低剪断応力下で粘性の減少を最小にするかまたは減少させ得、滑らかに流れる剪断減少プロフィールを提供し得る。
【００４９】
本明細書中で使用される場合、用語「半疎水性ビニル界面活性剤モノマー」および「ＳＶＳモノマー」とは、以下の２つの部分を有する化合物をいう：（ｉ）反応混合物の他のモノマーとの付加重合のための、エチレンにより不飽和化された末端基部分、および（ｉｉ）そのポリマーの疎水性基の間またはそのポリマーを含む組成物中の他の物質に由来する疎水性基の間の結合を弱めるための、ポリオキシアルキレン部分。ＳＶＳモノマーは、会合性モノマーに構造が類似しているが、実質的非疎水性末端基部分を有し、従って、そのポリマーにいかなる会合性特性も付与しない。
【００５０】
付加重合のためのビニル基または他のエチレンにより不飽和化された末端基を供給する不飽和末端基部分（ｉ）は、好ましくは、α，β−エチレンにより不飽和化されたモノカルボン酸もしくはα，β−エチレンにより不飽和化されたジカルボン酸またはそれらの無水物、好ましくはＣ３モノカルボン酸もしくはＣ４モノカルボン酸またはＣ３ジカルボン酸もしくはＣ４ジカルボン酸、あるいはそれらの無水物に由来する。あるいは、その末端基部分（ｉ）は、アリルエーテル、ビニルエーテルまたは非イオン性不飽和ウレタンに由来し得る。
【００５１】
重合可能な不飽和末端基部分（ｉ）はまた、少なくとも１つの遊離カルボキシ官能基を含むＣ８〜Ｃ３０不飽和脂肪酸基に由来し得る。このＣ８〜Ｃ３０基は、その不飽和末端基部分（ｉ）の一部であり、その会合性モノマーにぶら下がっている疎水性基とは異なり、親水性「スペーサー」部分により会合性モノマーの不飽和末端基から空間的に分離される。
【００５２】
そのポリオキシアルキレン部分（ｉｉ）は、詳細には、長鎖ポリオキシアルキレンセグメントを含み、このセグメントは、会合性モノマーの親水性部分に実質的に類似である。好ましいポリオキシアルキレン部分（ｉｉ）は、約５〜約２５０個、好ましくは約１０〜約１００個のオキシアルキレンユニットを含む、ポリオキシエチレン、ポリオキシプロピレン、およびポリオキシブチレンユニットを含む。そのＳＶＳモノマーが、オキシアルキレンユニットの１つを超える型を含む場合、そのユニットは、ランダム順序、非ランダム順序、またはブロック順序で配置され得る。
【００５３】
好ましいＳＶＳモノマーは、以下の式（ＩＶ）または（Ｖ）：
【００５４】
【化６】
0004482452.tif 000003
のいずれかを有するモノマーを含み、
ここで式（ＩＶ）および（Ｖ）の各々において、各Ｒ６は、独立して、Ｈ、Ｃ１〜Ｃ３０アルキル、−Ｃ（Ｏ）ＯＨ、または−Ｃ（Ｏ）ＯＲ７であり；Ｒ７は、Ｃ１〜Ｃ３０アルキル；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｐは、０〜約３０の範囲の整数であり、ｒは、０または１であり、ただし、ｐが０である場合、ｒが０であり、ｐが１〜約３０の範囲である場合、ｒが１であり；（Ｒ８−Ｏ）ｖは、ポリオキシアルキレンであり、このポリオキシアルキレンは、Ｃ２〜Ｃ４オキシアルキレンユニットのホモポリマー、ランダムコポリマーまたはブロックコポリマーであり、ここでＲ８は、Ｃ２Ｈ４、Ｃ３Ｈ６、Ｃ４Ｈ８、またはこれらの混合物であり、ｖは、約５〜約２５０の範囲、好ましくは約５〜約１００、より好ましくは、約１０〜約８０、および最も好ましくは約１５〜約６０の整数であり；Ｒ９は、ＨまたはＣ１〜Ｃ４アルキルであり；Ｄは、Ｃ８〜Ｃ３０不飽和アルキル、またはカルボキシ置換Ｃ８〜Ｃ３０不飽和アルキルである。
【００５５】
特に好ましいＳＶＳモノマーは、以下の化学式：
ＣＨ２＝ＣＨ−Ｏ（ＣＨ２）ａＯ（Ｃ３Ｈ６Ｏ）ｂ（Ｃ２Ｈ４Ｏ）ｃＨ  または
ＣＨ２＝ＣＨ−ＣＨ２Ｏ（Ｃ３Ｈ６Ｏ）ｄ（Ｃ２Ｈ４Ｏ）ｅＨ；
を有するモノマーを含み、
ここでａは、好ましくは、２、３、または４であり；ｂは、好ましくは、１〜約１０の範囲、より好ましくは約２〜約８、最も好ましくは約３〜約７の整数であり；ｃは、好ましくは、約５〜約５０範囲、より好ましくは約８〜約４０、最も好ましくは約１０〜約３０の整数であり；ｄは、好ましくは、１〜約１０の範囲、より好ましくは、約２〜約８、最も好ましくは約３〜約７の整数であり；ｅは、好ましくは、約５〜約５０の範囲、より好ましくは約８〜約４０の整数である。
【００５６】
好ましいＳＶＳモノマーの例としては、Ｃｌａｒｉａｎｔ  Ｃｏｒｐｏｒａｔｉｏｎによって販売されている商標名ＥＭＵＬＳＯＧＥＮ（要録商標）Ｒ１０９、Ｒ２０８、Ｒ３０７、ＲＡＬ１０９、ＲＡＬ２０８、およびＲＡＬ３０７で入手可能な重合可能な乳化剤；Ｂｉｍａｘ，Ｉｎｃ．によって販売されているＢＸ−ＡＡ−Ｅ５Ｐ５；ならびにＵｎｉｑｅｍａによって販売されるＭＡＸＥＭＵＬ（登録商標）５０１０および５０１１；ならびにこれらの組み合わせが挙げられる。特に好ましいＳＶＳモノマーとしては、ＥＭＵＬＳＯＧＥＮ（登録商標）Ｒ２０８、Ｒ３０７およびＲＡＬ３０７が挙げられる。
【００５７】
製造業者に従って、ＥＭＵＬＳＯＧＥＮ（登録商標）Ｒ１０９は、経験式ＣＨ２＝ＣＨ−Ｏ（ＣＨ２）４Ｏ（Ｃ３Ｈ６Ｏ）４（Ｃ２Ｈ４Ｏ）１０Ｈを有する、ランダムにエトキシル化／プロピキシル化した１，４−ブタンジオールビニルエーテルである；
ＥＭＵＬＳＯＧＥＮ（登録商標）Ｒ２０８は、経験式ＣＨ２＝ＣＨ−Ｏ（ＣＨ２）４Ｏ（Ｃ３Ｈ６Ｏ）４（Ｃ２Ｈ４Ｏ）２０Ｈを有する、ランダムにエトキシル化／プロピキシル化した１，４−ブタンジオールビニルエーテルである；
ＥＭＵＬＳＯＧＥＮ（登録商標）Ｒ３０７は、経験式ＣＨ２＝ＣＨ−Ｏ（ＣＨ２）４Ｏ（Ｃ３Ｈ６Ｏ）４（Ｃ２Ｈ４Ｏ）３０Ｈを有する、ランダムにエトキシル化／プロピキシル化した１，４−ブタンジオールビニルエーテルである；
ＥＭＵＬＳＯＧＥＮ（登録商標）ＲＡＬ１０９は、経験式ＣＨ２＝ＣＨＣＨ２Ｏ（Ｃ３Ｈ６Ｏ）４（Ｃ２Ｈ４Ｏ）１０Ｈを有する、ランダムにエトキシル化／プロピキシル化したアリルエーテルである；
ＥＭＵＬＳＯＧＥＮ（登録商標）ＲＡＬ２０８は、経験式ＣＨ２＝ＣＨＣＨ２Ｏ（Ｃ３Ｈ６Ｏ）４（Ｃ２Ｈ４Ｏ）２０Ｈを有する、ランダムにエトキシル化／プロピキシル化したアリルエーテルである；
ＥＭＵＬＳＯＧＥＮ（登録商標）ＲＡＬ３０７は、経験式ＣＨ２＝ＣＨＣＨ２Ｏ（Ｃ３Ｈ６Ｏ）４（Ｃ２Ｈ４Ｏ）３０Ｈを有する、ランダムにエトキシル化／プロピキシル化したアリルエーテルである；
ＭＡＸＥＭＵＬ（登録商標）５０１０は、約２４個のエチレンオキシド単位でエトキシル化されている、カルボキシ官能性Ｃ１２〜Ｃ１５アルケニル疎水成分（ｈｙｄｒｏｐｈｏｂｅ）である；
ＭＡＸＥＭＵＬ（登録商標）５０１１は、約３４個のエチレンオキシド単位でエトキシル化されている、カルボキシ官能性Ｃ１２〜Ｃ１５アルケニル疎水成分（ｈｙｄｒｏｐｈｏｂｅ）である；および
ＢＸ−ＡＡ−Ｅ５Ｐ５は、経験式ＣＨ２＝ＣＨＣＨ２Ｏ（Ｃ３Ｈ６Ｏ）５（Ｃ２Ｈ４Ｏ）５Ｈを有する、ランダムにエトキシル化／プロポキシル化されたアリルエーテルである。
【００５８】
本発明のカチオン性会合ポリマーの調製において使用されるＳＶＳモノマーの量は、広範に変化し得、とりわけ、そのポリマーにおいて望ましい最終流体力学特性に依存する。利用される場合、上記モノマー反応混合物は、好ましくは、全モノマー混合物重量に基づいて、１種以上のＳＶＳモノマーの少なくとも約０．０１重量％、より好ましくは少なくとも約０．１重量％を含む。上記モノマー混合物は、全モノマー混合物重量に基づいて、好ましくは、ＳＶＳモノマーの約２５重量％以下、より好ましくは約１０重量％以下を含む。
【００５９】
（ＨＳＮＶモノマー）
本発明のカチオン性会合ポリマーは、必要に応じて、ヒドロキシ置換非イオン性ビニルモノマーを含むモノマー混合物から、調製され得る。ＨＳＮＶモノマーは、１つ以上のヒドロキシ置換基を含む、エチレン化不飽和モノマーである。
【００６０】
適切なＨＳＮＶモノマーの例としては、ヒドロキシ置換（Ｃ１〜Ｃ４）アルキル（メタ）アクリレート（例えば、２−ヒドロキシエチルメタクリレート（ＨＥＭＡ）、２−ヒドロキシエチルアクリレート（２−ＨＥＡ）、３−ヒドロキシプロピルアクリレートなど）；ヒドロキシ置換（Ｃ１〜Ｃ４）アルキル（メタ）アクリルアミド（例えば、Ｎ−（２−ヒドロキシエチル）メタクリルアミド、Ｎ−（２−ヒドロキシエチル）アクリルアミド、Ｎ−（３−ヒドロキシプロピル）アクリルアミド、Ｎ−（２，３−ジヒドロキシプロピル）アクリルアミドなど）が挙げられるが、これらに限定されない。他の有用なＨＳＮＶモノマーとしては、アリルアルコール、グリセロールモノアリルエーテル、３−メチル−３−ブテン−１−オール、ならびにビニルアルコール前駆体および等価物（例えば、ビニルアセテート）が挙げられる。
【００６１】
利用される場合、上記モノマー反応混合物は、好ましくは、全モノマー混合物重量に基づいて、約１０重量％までの量で、１種以上のＨＳＮＶモノマーを含む。好ましい実施形態において、上記混合物中のＨＳＮＶモノマーの量は、全モノマー混合物重量に基づいて、約０．０１〜約１０重量％の範囲、より好ましくは約１〜約８重量％、最も好ましくは約１〜約５重量％である。
【００６２】
（ＸＬモノマー）
本発明のカチオン性会合モノマーは、分枝を導入し分子量を制御するための１種以上の架橋モノマーを含むモノマー混合物から調製され得る。適切なポリ不飽和架橋剤は、当該分野で周知である。形成されたコポリマーが、重合が生じる前、間、または後に架橋することを引き起こし得る反応性基を保有する一不飽和化合物もまた、利用され得る。他の有用な架橋モノマーとしては、複数の反応性基（例えば、エポキシド基、イソシアネート基、および加水分解可能なシラン基）を含む多官能性モノマーが挙げられる。種々のポリ不飽和化合物が、部分的または実質的のいずれかで架橋した３次元ネットワークを生成するために利用され得る。
【００６３】
適切なポリ不飽和架橋モノマー成分の例としては、ポリ不飽和芳香族モノマー（例えば、ジビニルベンゼン、ジビニルナフチレン、およびトリビニルベンゼン）；ポリ不飽和脂環式モノマー（例えば、１，２，４−トリビニルシクロヘキサン）；フタル酸の二官能性エステル（例えば、フタル酸ジアリル）；ポリ不飽和脂肪族モノマー（例えば、ジエン、トリエン、およびテトラエン（イソプレン、ブタジエン、１，５−ヘキサジエン、１，５，９−デカトリエン、１，９−デカジエン、１，５−ヘプタジエンが挙げられる）などが挙げられるが、これらに限定されない。
【００６４】
他の適切なポリ不飽和架橋モノマーとしては、ポリアルケニルエーテル（例えば、トリアリルペンタエリトリトール、ジアリルペンタエリトリトール、ジアリルスクロース、オクタアリルスクロース、およびトリメチロールプロパンジアリルエーテル；ポリアルコールもしくはポリ酸のポリ不飽和エステル（例えば、１，６−ヘキサンジオールジ（メタ）アクリレート、テトラメチレントリ（メタ）アクリレート、アリルアクリレート、ジアリルイタコネート、ジアリルフマレート、ジアリルマレエート、トリメチロールプロパン、トリ（メタ）アクリレート、トリメチロールプロパンジ（メタ）アクリレート、およびポリエチレングリコールジ（メタ）アクリレート）；アルキレンビスアクリルアミド（例えば、メチレンビスアクリルアミド、プロピレンビスアクリルアミドなど）；メチレンビスアクリルアミドのヒドロキシ誘導体およびカルボキシ誘導体（例えば、Ｎ，Ｎ’−ビスメチロールメチレンビスアクリルアミド）；ポリエチレングリコールジ（メタ）アクリレート（例えば、エチレングリコールジ（メタ）アクリレート、ジエチレングリコールジ（メタ）アクリレート、およびトリエチレングリコールジ（メタ）アクリレート）；ポリ不飽和シラン（例えば、ジメチルジビニルシラン、メチルトリビニルシラン、アリルジメチルビニルシラン、ジアリルジメチルシラン、およびテトラビニルシラン）；ポリ不飽和スタナン（例えば、テトラアリルスズ、およびジアリルジメチルスズ）などが挙げられる。
【００６５】
反応性基を保有する有用なモノ不飽和化合物としては、Ｎ−メチロールアクリルアミド；Ｎ−アルコキシ（メタ）アクリルアミド（そのアルコキシ基は、Ｃ１〜Ｃ１８アルコキシである）；および不飽和加水分解性シラン（例えば、トリエトキシビニルシラン、トリス−イソプロポキシビニルシラン、および３−トリエトキシシリルプロピルメタクリレート）などが挙げられる。
【００６６】
複数の反応性基を含む有用な多官能性架橋モノマーとしては、加水分解性シラン（例えば、エチルトリエトキシシランおよびエチルトリメトキシシラン）；エポキシ置換加水分解性シラン（例えば、２−（３，４−エポキシシクロヘキシル）エチルトリエトキシシランおよび３−グリシドプロピルトリメトキシシラン）；ポリイソシアネート（例えば、１，４−ジイソシアナトブタン、１，６−ジイソシアナトヘキサン、１，４−フェニレンジイソシアナートおよび４，４’−オキシビス（フェニルイソシアナート）；不飽和エポキシド（例えば、グリシジルメタクリレートおよびアリルグリシジルエーテル）；ポリエポキシド（例えば、ジグリシジルエーテル、１，２，５，６−ジエポキシヘキサン、およびエチレングリコルジグリシジルエーテル）が挙げられるが、これらに限定されない。
【００６７】
特に有用なのは、エトキシル化ポリオール（例えば、ジオール、トリオール、およびビスフェノール）に由来するポリ不飽和架橋剤であって、１モルのヒドロキシ官能基当たり約２〜約１００モルのエチレンオキシドでエトキシル化されており、そして重合性不飽和基（例えば、ビニルエーテル、アリルエーテル、アクリレートエステル、メタクリレートエステルなど）でエンドキャップ化されているものである。そのような架橋剤の例としては、ビスフェノールＡエトキシル化ジメタクリレート；ビスフェノールＦエトキシル化ジメタクリレート、エトキシル化トリメチロールプロパントリメタクリレートなどが挙げられる。本発明のカチオン性会合ポリマーにおいて有用な他のエトキシル化架橋剤としては、Ｚａｎｏｔｔｉ−Ｒｕｓｓｏに対する米国特許第６，１４０，４３５号に開示されるエトキシル化ポリオール誘導性架橋剤が挙げられ、この米国特許の関連する開示は、その全体が参考として本明細書中に援用される。
【００６８】
特に好ましいＸＬモノマーの例は、少なくとも２つのアクリレートエステル基またはメタクリレートエステル基を有するポリオールのアクリレートエステルおよびメタクリレートエステル（例えば、トリメチロールプロパントリアクリレート（ＴＭＰＴＡ）、トリメチロールプロパンジメタクリレート、トリエチレングリコールジメタクリレート（ＴＥＧＤＭＡ）、エトキシル化（３０）ビスフェノールＡジメタクリレート（ＥＯＢＤＭＡ）など）である。
【００６９】
利用される場合、架橋モノマーは、上記モノマー反応混合物中に、全モノマー混合物重量に基づいて、約５重量％までの量で存在する。好ましい実施形態において、上記ＸＬモノマーは、全モノマー混合物重量に基づいて、上記モノマー混合物の約０．０１〜約３重量％の範囲、より好ましくは約０．０５〜約２重量％、最も好ましくは約０．１〜約１重量％の量で存在する。
【００７０】
（連鎖移動剤）
本発明のカチオン性会合ポリマーは、必要に応じて、ポリマーの分野で周知である１種以上の連鎖移動剤を含むモノマー混合物から調製され得る。
【００７１】
本発明において使用するために適切な連鎖移動剤は、これらに限定されないが、種々のチオ含有化合物およびジスルフィド含有化合物（例えば、Ｃ１〜Ｃ１８アルキルメルカプタン、メルカプトカルボン酸、メルカプトカルボン酸エステル、チオエステル、Ｃ１〜Ｃ１８アルキルジスルフィド、アリールジスルフィド、多官能性チオールなど）；亜リン酸塩および次亜リン酸塩；ハロアルキル化合物（例えば、四塩化炭素、ブロモトリクロロメタンなど）、ならびに不飽和連鎖移動剤（例えば、α−メチルスチレン）から選択される。
【００７２】
多官能性チオールとしては、三官能性チオール（例えば、トリメチロールプロパン−ｔｒｉｓ−（３−メルカプトプロピオネート）、四官能性チオール（例えば、ペンタエリトリトール−テトラ−（３−メルカプトプロピオネート）、ペンタエリトリトール−テトラ−（チオグリコレート）、およびペンタエリトリトール−テトラ−（チオラクテート）；六官能性チオール（例えば、ジペンタエリトリトール−ヘキサ−（チオグリコレート）などが挙げられる。
【００７３】
あるいは、上記連鎖移動剤は、ビニルモノマーのフリーラジカル重合の間のさらなるポリマーの分子量を減らす、任意触媒連鎖移動剤であり得る。触媒連鎖移動剤の例としては、例えば、コバルト錯体（例えば、コバルト（ＩＩ）キレート）が挙げられる。触媒連鎖移動剤は、しばしば、チオールベースのＣＴＡと比較して比較的低い濃度で利用され得る。
【００７４】
好ましい連鎖移動剤の例としては、オクチルメルカプタン、ｎ−ドデシルメルカプタン、ｔ−ドデシルメルカプタン、ヘキサデシルメルカプタン、オクタデシルメルカプタン（ＯＤＭ）、イソオクチル３−メルカプトプロピオネート（ＩＭＰ）、ブチル３−メルカプトプロピオネート、３−メルカプトプロピオン酸、ブチルチオグリコレート、イソオクチルチオグリコレート、ドデシルチオグリコレートなどが挙げられる。連鎖移動剤は、好ましくは、全モノマー混合物重量に基づいて、重合性モノマー混合物の約１０重量％までの量で、モノマー反応混合物に添加され得る。存在する場合、上記連鎖移動剤は、好ましくは、全モノマー重量に基づいて、少なくとも約０．１重量％を含む。
【００７５】
本発明のカチオン性会合ポリマーは、ポリマーの分野で公知であるように、従来の重合技術（例えば、乳化重合）によって製造され得る。この重合は、単一バッチプロセスとして、計量添加プロセスとして、実施され得るか、またはこの反応は、小さいバッチとして開始され得、その後、上記モノマーのバルクが、リアクター中に継続的に計量され得る（シードプロセス）。代表的には、上記重合プロセスは、約２０℃〜約８０℃の範囲の反応温度で実行されるが、より高温またはより低温も使用され得る。上記モノマー混合物の乳化を促進するために、乳化重合は、少なくとも１種の界面活性剤の存在下で実行される。好ましくは、乳化重合は、全乳化重量ベースで、約１〜約１０重量％、より好ましくは約３〜約８重量％の範囲、最も好ましくは約５〜約７重量％の範囲の量の界面活性剤の存在下で、実行される。乳化重合反応混合物はまた、全モノマー重量に基づいて、約０．０１〜約３重量％の範囲の量で、１種以上のフリーラジカル開始剤を含む。重合は、中性から中程度のアルカリ性のｐＨで水性媒体または水性アルコール媒体において実行され得る。
【００７６】
代表的な重合において、モノマー混合物が、適切な量の水中の乳化界面活性剤（例えば、非イオン性界面活性剤（好ましくは直鎖アルコールエトキシレートもしくは分枝鎖アルコールエトキシレート）または非イオン性界面活性剤とアニオン性界面活性剤（例えば、脂肪アルコールスルフェートもしくはアルキルスルホネート）との混合物）の溶液に、適切なリアクター中で混合攪拌しながら添加されて、モノマー乳剤が調製される。この乳剤は、簡便な任意の方法により（例えば、窒素を噴霧することにより）脱酸素され、その後、重合反応が、重合触媒（開始剤）（例えば、過硫酸ナトリウム）または他の適切な任意の付加重合触媒を添加することによって、乳化重合の分野において周知であるように、開始される。この反応は、重合が完了するまで、代表的には、約４時間〜約１６時間の範囲の時間、攪拌される。上記モノマー乳剤は、望ましい場合は開始剤の添加前に、約２０℃〜約８０℃の範囲の温度まで加熱され得る。未反応モノマーは、乳化重合分野で周知であるように、より多くの触媒の添加によって排除され得る。その後、生じたポリマー乳剤は、リアクターから排出され得、そして貯蔵用または使用用にパッケージングされ得る。必要に応じて、その乳剤のｐＨまたは他の物理特性および化学特性は、リアクターからの排出前に調整され得る。代表的には、生成物乳剤は、約１０重量％〜約４０重量％の範囲で全固体含有物を有する。代表的には、この生成物乳剤の全ポリマー含有量は、約１５〜約３５重量％の範囲、一般的には、約２５重量％以下である。
【００７７】
乳化重合を促進するために適切な界面活性剤としては、非イオン性界面活性剤、アニオン性界面活性剤、両性界面活性剤、カチオン性界面活性剤、およびそれらの混合物が挙げられる。最も一般的には、非イオン性界面活性剤およびアニオン性界面活性剤、またはそれらの混合物が、利用される。中和されたポリマーの物理特性（例えば、粘性、分散性、清澄性、きめ（ｔｅｘｔｕｒｅ）など）は、当該分野で周知であるように、乳化界面活性剤の疎水特性および親水特性の適切な選択によって変化し得る。
【００７８】
乳化重合を促進するために適切な非イオン性界面活性剤は、ポリマーの分野で周知であり、それらとしては、直鎖アルコールエトキシレートもしくは分枝アルコールエトキシレート、Ｃ８〜Ｃ１２アルキルフェノールアルコキシレート（例えば、オクチルフェノールエトキシレート）、ポリオキシエチレンポリオキシプロピレンブロックコポリマーなどが挙げられるが、これらに限定されない。他の有用な非イオン性界面活性剤としては、ポリオキシエチレングリコールのＣ８〜Ｃ２２脂肪酸エステル、モノグリセリドおよびジグリセリド、ソルビタンエステル、およびエトキシル化ソルビタンエステル、Ｃ８〜Ｃ２２脂肪酸グルコールエステル、エチレンオキシドとプロピレンオキシドとのブロックコポリマー（約１５を超えるＨＬＢ値を有する）、エトキシル化オクチルフェノール、ならびにそれらの組み合わせが挙げられる。
【００７９】
好ましいアルキルフェノールアルコキシレート界面活性剤としては、Ｒｈｏｄｉａ，Ｉｎｃ．により商標名ＩＧＥＰＡＬ（登録商標）ＣＡ−８９７の下で販売されるオクチルフェノールが挙げられる。好ましい直鎖アルコールアルコキシレートとしては、ＢＡＳＦ  Ｃｏｒｐ．により商標名ＰＬＵＲＡＦＡＣ（登録商標）Ｃ−１７、ＰＬＵＲＡＦＡＣ（登録商標）Ａ−３８およびＰＬＵＲＡＦＡＣ（登録商標）Ａ−３９の下で販売されるセテアリールアルコール（セチルアルコールとステアリルアルコールとの混合物）のポリエチレングリコールエーテルが挙げられる。好ましいポリオキシエチレンポリオキシプロピレンブロックコポリマーとしては、ＢＡＳＦ  Ｃｏｒｐ．により商標名ＰＬＵＲＯＮＩＣ（登録商標）Ｆ１２７およびＰＬＵＲＯＮＩＣ（登録商標）Ｌ３５の下で販売されるコポリマーが挙げられる。
【００８０】
他の好ましい非イオン性界面活性剤としては、エトキシル化（５０）直鎖脂肪アルコール（例えば、ＤＩＳＰＯＮＩＬ（登録商標）Ａ  ５０６０（Ｃｏｇｎｉｓ））、分枝アルキルエトキシレート（例えば、ＧＥＮＡＰＯＬ（登録商標）Ｘ  １００５（Ｃｌａｒｉａｎｔ  Ｃｏｒｐ．）、二級Ｃ１２〜Ｃ１４アルコールエトキシレート（例えば、ＴＥＲＧＩＴＯＬ（登録商標）Ｓ１５−３０およびＳ１５−４０（Ｄｏｗ  Ｃｈｅｍｉｃａｌ  Ｃｏ．））、エトキシル化オクチルフェノールベース界面活性剤（例えば、ＴＲＩＴＯＮ（登録商標）Ｘ−３０５、Ｘ−４０５およびＸ−７０５（Ｄｏｗ  Ｃｈｅｍｉｃａｌ  Ｃｏ．）、ＩＧＥＰＡＬ（登録商標）ＣＡ４０７、８８７および８９７（Ｒｈｏｄｉａ，Ｉｎｃ．）、ＩＣＯＮＯＬ（登録商標）ＯＰ  ３０７０および４０７０（ＢＡＳＦ  Ｃｏｒｐ．）、ＳＹＮＰＥＲＯＮＩＣ（登録商標）ＯＰ３０および４０（Ｕｎｉｑｅｍａ））、エチレンオキシドとプロピレンオキシドとのブロックコポリマー（例えば、ＰＬＵＲＯＮＩＣ（登録商標）Ｌ３５およびＦ１２７（ＢＡＳＦ  Ｃｏｒｐ．））、ならびに二級Ｃ１１アルコールエトキシレート（例えば、ＥＭＵＬＳＯＧＥＮ（登録商標）ＥＰＮ４０７（Ｃｌａｒｉａｎｔ  Ｃｏｒｐ．）が挙げられる。多数の他の供給業者が、営業用文献において見出される。
【００８１】
乳化重合を促進するために適切なアニオン性界面活性剤は、ポリマーの分野で周知であり、それらとしては、ラウリル硫酸ナトリウム、ドデシルベンゼンスルホン酸ナトリウム、ジオクチルスルホコハク酸ナトリウム、ジ−ｓｅｃ−ブチルナフチレンスルホン酸ナトリウム、ドデシルジフェニルエーテルスルホン酸二ナトリウム、およびｎ−オクタデシルスルホコハク酸二ナトリウムなどが挙げられる。
【００８２】
本発明の乳化重合プロセスのために適切なポリマー安定剤（保護コロイドとしても公知である）は、水溶性ポリマー（例えば、合成ポリマー（例えば、ポリビニルアルコール、部分加水分解したポリビニルアセテート、ポリビニルピロリドン、ポリアクリルアミド、ポリメタクリルアミド、カルボキシレート官能性付加ポリマー、ポリアルキルビニルエーテル）などが挙げられる）；水溶性天然ポリマー（例えば、ゼラチン、ペクチン、アルギネート、カゼイン、スターチなど）、ならびに改変天然ポリマー（例えば、メチルセルロース、ヒドロキシプロピルセルロース、カルボキシメチルセルロース、アリル改変ヒドロキシエチルセルロースなど）が挙げられる。いくつかの場合において、合成保護コロイドと天然保護コロイドとの混合物（例えば、ポリビニルアルコールとカゼインとの混合物）を使用することは、有利であり得る。さらなる適切な天然ポリマーは、混合エーテル（例えば、メチルヒドロキシエチルセルロースおよびカルボキシメチルメチルセルロース）である。ポリマー安定剤は、全乳剤重量に基づいて約２重量％までの量で利用され得る。利用される場合、ポリマー安定剤は、好ましくは、約０．０００１〜約１重量％、より好ましくは約０．０１〜約０．５重量％の範囲の量で含まれる。
【００８３】
本発明に従って使用されるポリマー安定剤は、それが任意の比率で水中に混和性であるか、または少なくとも約０．１重量％の２０℃の水中で溶解性を有しかつ２０℃の水で希釈するとこれらの水溶液から沈殿しない場合に、水溶性であると呼ばれる。水溶性合成ポリマー安定剤の分子量は、代表的には、約５，０００〜約２，０００，０００ダルトン、好ましくは約２５，０００〜約１，５００，０００ダルトンの範囲にある。上記ポリマー安定剤水溶液の粘性は、代表的には、約２〜約１０重量％の濃度および約２０℃の温度にて、約１〜約１０，０００ｍＰａ・ｓの範囲にある。
【００８４】
特に好ましいポリマー安定化剤は、アルキル改変ヒドロキシエチルセルロース（例えば、Ｃｌａｒｉａｎｔから入手可能なＴＹＬＯＳＥ（登録商標）ＡＭ−ＨＥＣ等級）である。側鎖の反応性アリル基は、安定なエマルジョンを生じるセルロースエーテルの接合力を増加させる。好ましいＴＹＬＯＳＥ（登録商標）安定化剤は、アリル改変ヒドロキシエチルセルロース粉末（粒径＜１８０μｍ）のＴＹＬＯＳＥ（登録商標）ＡＭ  Ｈ４０  ＹＰ２  （ＡＭＨＥＣ）である。
【００８５】
例示的な好ましいフリーラジカルとしては、以下が挙げられるが、これらに限定されない：水性無機過硫酸化化合物（例えば、過硫酸化アンモニウム、過硫酸化カリウム、および過硫酸化ナトリウム）；過酸化物（例えば、過酸化水素、過酸化ベンジル、過酸化アセチル、および過酸化ラウリル）；有機ヒドロペルオキシド（例えば、クメンヒドロペルオキシドおよびｔ−ブチルヒドロキシペルオキシド；有機ペル酸（例えば、ペル酢酸）；および油性のフリーラジカル生成剤（例えば、２，２’−アゾビスイソブチロニトリルなど）、ならびにこれらの混合物。過酸化物およびペル酸は、必要に応じて、還元剤（例えば、重亜硫酸ナトリウムまたはアスコルビン酸、遷移金属、ヒドラジンなど）を用いて活性化され得る。特に適切なフリーラジカル重合化イニシエーターとしては、アルキル基上に水溶性置換基を有する、２，２’−アゾビス（ｔｅｒｔ−アルキル）化合物のようは水性アゾ重合化イニシエーターが挙げられる。好ましいアゾ重合化触媒としては、ＤｕＰｏｎｔから入手可能な、ＶＡＺＯ（登録商標）フリーラジカル重合化イニシエーター（例えば、ＶＡＺＯ（登録商標）４４（２，２’−アゾビス（２−（４，  ５−ジヒドロイミダゾリル）プロパン）、ＶＡＺＯ（登録商標）５６（２，２’−アゾビス（２−メチルプロピオンアミジン）ジヒドロクロリド）、およびＶＡＺＯ（登録商標）６８（４，４’−アゾビス（４−シアノ吉草酸））が挙げられる。
【００８６】
必要に応じて、エマルジョン重合化分野で周知である他のエマルジョン重合化添加物（例えば、溶剤、緩衝剤、キレート剤、無機電解質、鎖ターミネータ、およびｐＨ調整剤）が、重合化系に含まれ得る。
【００８７】
本発明のカチオン性会合性ポリマーおよびカチオンエマルジョンポリマーの調製のための好ましい一般的なエマルジョン重合化手順は、概して以下に提供される。
【００８８】
モノマーエマルジョンは、好ましくは、窒素吸入口および攪拌器とを備えるリアクターにおいて、乳化量の非イオン性界面活性剤、または非イオン性界面活性剤およびアニオン性界面活性剤の混合物を含む水分量で、窒素雰囲気下にて、混合攪拌しながら所望量の各モノマーと組み合わせることによって、調製される。上記の型のモノマー混合物からエマルジョンを形成するのに必要とされる攪拌の程度は、当業者に周知である。そのように形成されたエマルジョンは、当該分野で公知の任意の適切な方法によって（例えば、窒素を噴霧することによって）実質的に脱酸素化され、次いでフリーラジカルイニシエーターは，混合攪拌を続けながらエマルジョンに添加され、重合化が開始される。エマルジョンの温度は、所望であればイニシエーターの添加前または添加後に約２０〜約６０℃の範囲の温度に調節され得る。イニシエーターの添加後、重合化反応混合物の温度は、代表的に、約６０〜８０℃の範囲の温度に調節され、重合化を完了するのに十分な時間（代表的には、約３〜約１４時間の範囲）にわたってこのような温度に保持される。必要に応じて、未反応の残りのモノマーは分解されるか、または種々の還元剤または触媒の添加によってさらに重合化され得る。得られたポリマーエマルジョンは、次いで冷却され、そしてリアクターから排出され回収される。
【００８９】
ポリマーの分野における当業者は、各モノマー成分の量が、任意の所望されるモノマー成分比を有するポリマーを得るように調節され得ることを理解する。所望される場合、様々な水の比率もまた、利用され得る。水混和性溶媒（例えば、アルコール）、および他の重合化添加物（例えば、上記のような添加物）もまた、反応混合物に含まれ得る。好ましいアルコールとしては、グリコール（例えば、エチレングリコール、プロピレングリコール、ブチレングリコール、へキシレングリコール、グリセロールなど）が挙げられる。
【００９０】
生成物ポリマーエマルジョンは、ポリマー重量に基づいて、約１％〜約６０％の合計ポリマー固体、好ましくは約１０％〜約４０％の合計ポリマー固体、最も好ましくは約１５％〜約２５％合計ポリマー固体を好ましくは含むように調製され得る。
【００９１】
任意の中和化の前に、このポリマーエマルジョンは、生成される場合、代表的に約７．５以上の範囲のｐＨ、室温で約１００ｍＰａ−ｓ以下のＢｒｏｏｋｆｉｅｌｄ粘度（スピンドル＃２，２０  ｒｐｍ）、および方法Ｄによって測定するように約３００ｎｍ以下の粒径を有する。
【００９２】
必要に応じて、この生成されたカチオン会合性ポリマーエマルジョンは、さらに、酸性のｐＨが所望される場合、酸性材料（好ましくは、有機酸、鉱酸など）を用いて、約１〜約７以下の範囲の好ましい値に調節することによって処理され得る。カチオン会合性ポリマーエマルジョンは、代表的に、膨張して、滑らかな粘稠性溶液（流動性でありかつ噴霧可能である）を形成するか、または中性〜酸性のｐＨでゲルを形成し、そしてこのポリマーは、通常このようなｐＨ値で実質的に安定なである。カチオン会合性ポリマーエマルジョンは、水または溶媒で希釈され得るか、あるいは水の部分をエバポレートすることによって濃縮され得る。あるいは、得られたカチオン会合性ポリマーエマルジョンは、当該分野で周知の設備（例えば、スプレードライヤー、ドラムドライヤー、凍結ドライヤーなど）を利用することによって粉末または結晶質形態まで実質的に乾燥され得る。
【００９３】
本発明のカチオン会合性ポリマー重合化は、種々の公知の添加物および慣習的なアジュバントおよび水以外の溶媒を液体カチオン会合性ポリマーエマルジョン製品に導入することによって調製され得る。必要とされる場合、このカチオン会合性ポリマーの性能または特性を変更することあるいはそれらに悪影響を与えることなく、最終組成物の使用のために意図された形態を達成し得る。
【００９４】
あるいは、このカチオン会合性ポリマーは、慣習的な混合装置を使用して、処方物（好ましくは液体形態）に成分として組み込まれ得る。
【００９５】
本発明の好ましいカチオン会合性ポリマーは、脱イオン水中約２重量％濃度、約１〜約７の範囲のｐＨで中和または酸性形態であり、これは、約３００ｍＰａ−ｓ〜約１００，０００ｍＰａ−ｓ以上のわたるＢｒｏｏｋｆｉｅｌｄ粘度（Ｂｒｏｏｋｆｉｅｌｄ  ＲＶＴ，２０  ｒｐｍ，約２５℃室温）を提供し得る。
【００９６】
本発明の多目的なカチオン会合性ポリマーは、化学的活性成分および生理学的活性成分および化粧用材料の効能、沈積または送達を高めるための乳化剤、安定剤、懸濁剤、充填剤、コンディショニング剤、保湿剤、分散剤およびキャリアとして、そしてそれらが含まれる処方物の精神感覚特性および美的特性を改善するためのビヒクルとして使用され得る。カチオン会合性ポリマーのカチオン特性は、静電防止剤として有用であるようにし、特定の条件下ではまた、殺菌活性、静菌活性、防腐活性、および抗菌活性を提供する。このカチオン会合性ポリマーは、パーソナルケア、ヘルスケア、施設および産業（集合的に「Ｉ＆Ｉ」）の保護のための種々の製品において、ならびに医療適用および産業適用のための種々の製品において利用され得る。カチオン会合性ポリマーは、好ましくは、非アルカリン（すなわち、ｐＨが酸性〜実質的に中性）であるが、これらに限定されない組成物に組み込まれる。
【００９７】
使用され得るカチオン会合性ポリマーの量は、このポリマーを処方物に含める目的に依存し、これは処方物の分野の当業者によって容易に決定され得る。従って、カチオン会合性ポリマーを含む組成物の物理化学的特性および機能的特性が達成される限り、組成物の総重量に基づいてカチオン会合性ポリマーの有用な量、活性重量％は、代表的に約０．０１％〜約２５％の範囲で変動し得るが、これらに限定されない。従って、所定の組成物または適用において、本発明のカチオン会合性ポリマーは、必ずではないが、１つより多い機能（例えば、増粘剤およびコンディショニング剤、フィルム形成剤およびキャリアなど）を担い得る。
【００９８】
本発明のポリマーは、水中油または油中水の形成あるいは多段階エマルジョンプロセスの間の任意の工程において、処方物にポリマーを組み込むことによる慣習的なエマルジョン処方物においてレオロジーモディフィアまたは乳化安定剤として使用され得る。例えば、水性エマルジョン製品として供給されるポリマーは、水相に含まれ得る。１つの好ましいエマルジョン実施形態において、このポリマーは、最終エマルジョンが形成されそして冷却された後に処方物に添加され、有機酸または鉱酸を用いてｐＨをさげるように調節し、所望の粘性に膨張した酸を最適化し、次いで所望のｐＨに最終組成物を調節した。酸性の膨張したカチオン性会合性ポリマーを含む完了した組成物または処方物のｐＨが、処方物の意図された用途に必要とされるよりも酸性である場合、ｐＨは、さらに任意の、好ましくは生理学的に許容可能な無機塩基または有機塩基を用いて調節され得る。
【００９９】
カチオン会合性ポリマーを含む組成物は、パッケージされ、そしてコンテナ（限定ではないが、例えば、ジャー、ボトル、チューブ、スプレーボトル、ワイプ、カン、ロールオンコンテナ、スティックコンテナなど）から分配される。カチオン会合性ポリマーが組み込まれ得る製品の形態には、この製品が使用される目的が達成される限り、制限はない。例えば、カチオン会合性ポリマーを含むパーソナルケアおよびヘルスケア用の製品は、皮膚、髪、頭皮および爪に、ゲル、スプレー（液体まらは泡状）、エマルジョン（クリーム、ローション、ペースト）、液体（リンス、シャンプー）、バー（ｂａｒ）、軟膏、坐剤、含浸ワイプ、パッチなどであるがこれらに限定されない形態で塗布され得る。
【０１００】
本発明のカチオン会合性ポリマーは、パーソナルケア製品（美容、トイレタリー、美容食品）および局所的ヘルスケア製品の調製のために適切である。これらの製品は、保存期間および／または試用期間中に、有効量のカチオン会合性ポリマーが有益もしくは所望の物理効果または化学的効果をもたらし得るように実質的に中性の組成物に組み込まれ、これらの製品としては、以下が挙げられるが、限定ではない：ヘアケア製品（例えば、シャンプー（シャンプーを含む「２−イン−１（ｔｗｏ−ｉｎ−ｏｎｅ）」のようなコンディショニングシャンプーが挙げられる）；シャンプー後のリンス；セットおよびスタイルを維持する薬剤（セット補助剤（例えば、ゲルおよびスプレー）、グルーミング補助剤（例えば、ポマード、コンディショナー、パーマ、弛緩剤、髪を滑らかにする製品（ｈａｉｒ  ｓｍｏｏｔｈｉｎｇ  ｐｒｏｄｕｃｔ）などが挙げられる）；スキンケア製品（顔、体、手、頭皮および足）（例えば、クリーム、ローション、コンディショナーおよびクレンジング製品）；抗座瘡製品；老化防止製品（剥離剤（ｅｘｆｏｌｉａｎｔ）、角質溶解剤、抗脂肪沈着剤、しわの予防剤（ａｎｔｉｗｒｉｎｋｌｅ）など）；皮膚保護薬（例えば、サンスクリーン、サンブロック、バリアクリーム、オイル、シリコンなど）；皮膚着色製品（漂白剤、ライトニング製品（ｌｉｇｈｔｅｎｅｒ）、サンレス日焼け促進剤（ｓｕｎｌｅｓｓ  ｔａｎｎｉｎｇ  ａｃｃｅｌｅｒａｔｏｒ）など）；ヘアカラー（ヘアダイ、ヘアカラーリンス、ハイライター（ｈｉｇｈｌｉｇｈｔｅｒ）、ブリーチなど）；色素性皮膚着色料（顔および体のメイクアップ、ファンデーションクリーム、マスカラ、ルージュ、リップ製品など）；バスおよびシャワー製品（ボディークレンザー、ボディーウォッシュ、シャワーゲル、リキッドソープ、ソープバー、合成洗剤、コンディショニングリキッドバスオイル、バブルバス、バスパウダーなど）；ネイルケア製品（ポリッシュ、ポリッシュリムーバー、強化剤、伸長剤（ｌｅｎｇｔｈｅｎｅｒ）、硬化剤（ｈａｒｄｅｎｅｒ）、キューティクルリムーバー、軟化剤（ｓｏｆｔｅｎｅｒ）など）；ならびに任意の水性の酸。
【０１０１】
カチオン会合性ポリマーを含むトイレタリーおよび健康補助剤および美容補助剤は、一般に、ＨＢＡと称され、これらとしては以下が挙げられるがこれらに限定されない：ヘアリムーバル製品（シェービングクリームおよびローション、脱毛剤、アフターシェーブスキンコンディショナーなど）；デオドラント剤および制汗剤；口腔のケア製品（口、歯、および歯ぐき）（例えば、マウスウォッシュ）、デントリフリース（ｄｅｎｔｒｉｆｒｉｃｅ）（例えば、歯磨き粉（ｔｏｏｔｈｐａｓｔｅ、ｔｏｏｔｈ  ｐｏｗｄｅｒ）、歯磨き用ポリッシュ、歯の漂白剤（ｔｏｏｔｈ  ｗｈｉｔｅｎｅｒ）、ブレスフレッシャー、義歯接着剤など；顔および体用ヘアブリーチ；など。カチオン会合性ポリマーを含む他の健康補助剤および美容補助剤としては、限定ではないが、サンレス日焼け促進剤を含むサンレス日焼け塗布物（ｓｕｎｌｅｓｓ  ｔａｎｎｉｎｇ  ａｐｐｌｉｃａｔｉｏｎ）（例えば、ジヒドロキシアセトン（ＤＨＡ）、チロシン、チロシンエステルなど）；皮膚脱色処方物、漂白処方物およびライトニング処方物（コウジ酸、ヒドロキノリン、アルブチン、果実抽出物、野菜抽出物または植物抽出物のような活性成分を含む）（レモン皮抽出物、カモミール、緑茶、コウゾ抽出物など）、アスコルビン酸誘導体（アスコルビルパルミテート、アスコルビルステアレート、マグネシウムアスコルビルホスフェートなど）；足ケア製品（例えば、角質溶解コーン（ｋｅｒａｔｏｌｙｔｉｃ  ｃｏｒｎ）およびカラスリムーバー（ｃａｌｌｏｕｓ  ｒｅｍｏｖｅｒ）、足用ソーク（ｆｏｏｔ  ｓｏａｋ）、足用散剤（医療用（例えば、抗真菌性のアスリート用の、足用散剤、軟膏、スプレーなど、および制汗性散剤、または非医療用水分吸収散剤））、液体足用スプレー（非医療用（例えば、冷却およびデオドラントスプレー、ならびに医療用の抗真菌スプレー、制汗スプレーなど）、ならびに足および足指の爪用コンディショナー（ローションおよびクリーム、爪の軟化剤など）。
【０１０２】
カチオン会合性ポリマー（例えば、分散補助剤およびフィルム形成剤）を含む局所的な健康補助剤および美容補助剤としては、以下が挙げられるが、これらに限定されない：皮膚保護スプレー、クリーム、ローション、ゲル、スティックおよび粉末の製品（例えば、虫除け、かゆみ止め、化膿止め、消毒薬、サンブロック、サンスクリーン、皮膚の引き締めおよびトーニングミルク（ｔｏｎｉｎｇ  ｍｉｌｋ）およびローション、いぼ除去組成物（ｗａｒｔ  ｒｅｍｏｖａｌ  ｃｏｍｐｏｓｉｔｉｏｎ）など。
【０１０３】
カチオン会合性ポリマーは、好ましくは、微粒子（例えば、マイカ、真珠色にする薬剤（ｐｅａｒｌｉｚｉｎｇ  ａｇｅｎｔ）、ビーズなど）のため懸濁剤として有用であり、粒子、ミクロ研磨剤および研磨剤を含む皮膚用製品（例えば、剥離性スクラブ剤を含むシャワーゲル、マスクおよび皮膚クレンザー）に適切にする。多くの美容上有用な粒子剥離性剤は当該分野で公知であり、選択および量は、美容分野の当業者によって理解されるように、組成物の使用から所望される剥離性効果によって決定される。有用な剥離性剤としては、以下が挙げられるがこれらに限定されない：生物学的研磨剤、無機研磨剤、合成ポリマーなど、ならびにそれらの混合物。生物学的研磨剤としは、以下が挙げられるが、これらに限定されない：シェル、シード、およびカーネルまたは石の顆粒もしくは粉末、ナッツから得られたシェル（例えば、ウォールナッツ（Ｊｕｇｌａｎｓ  ｒｅｇｉａ）、アーモンド、ピーナツなどから得られたシェル；果実供給源（例えば、アプリコット、アボカド、ココナツ、オリーブ、ピーチなど；野菜供給源（例えば、コーンコブ（ｃｏｒｎ  ｃｏｂ）、オート麦ぬか、コメ、ローズヒップシード、ホホバ（ワックス、シード粉末）、微少結晶セルロース、グラウンドルーファ（ｇｒｏｕｎｄ  ｌｏｏｆａ）、グラウンドシーウィード（ｇｒｏｕｎｄ  ｓｅａｗｅｅｄ）など；動物供給源（例えば、オイスターシェル、シルク、微晶質コラーゲンなど。無機研磨剤としては、以下が挙げられるが、これらに限定されない：酸化第二スズ、タルク、シリカ（水和、コロイド状など）、カオリン、沈殿したチョーク、塩（塩化ナトリウム、死海の塩など）、グラウンドパミス（ｇｒｏｕｎｄ  ｐｕｍｉｃｅ）など。合成ポリマーとしては、以下が挙げられるが、これらに限定されない：微結晶質ポリアミド（ナイロン）、微晶質ポリエステル（ポリカルボネート）など。本発明のポリマーはまた、液体媒体において気泡バリング懸濁するために有用である。
【０１０４】
カチオン性会合性ポリマーは、乾燥、光損傷、加齢、挫創等によって生じる皮膚の病気を、局所的に改善するために使用される種々の皮膚科学的な美容組成物（調整剤、保湿剤、酸化防止剤、皮膚摩擦材、角質溶解剤、ビタミン等を含み、代表的には、活性酸性成分を含み、約０．５〜約５の範囲のｐＨを有する）において、増粘剤およびフィルム形成剤として有用である。カチオン性会合性ポリマーが、これらの前記酸性生成物実施形態に取り込まれるとき、活性酸性成分は、カチオン性会合性ポリマーに対して活性皮膚処置剤および酸膨張剤の両方の機能を果たして、所望の粘性を達成し得る。
【０１０５】
１つの美容の局面において、カチオン性会合性ポリマーは、活性皮膚処置化粧水およびクリーム（活性成分として、酸性老化防止剤、抗脂肪沈着剤および抗ニキビ剤、ヒドロキシカルボン酸（例えば、α−ヒドロキシ酸（ＡＨＡ）、β−ヒドロキシ酸（ＢＨＡ）、α−アミノ酸、α−ケト酸（ＡＫＡ）およびその混合物）を含む）に対して増粘剤として使用され得る。そのような美容物において、ＡＨＡには、乳酸、グリコール酸、フルーツ酸（例えば、リンゴ酸、クエン酸、酒石酸、ＡＨＡを含む天然化合物の抽出物（例えば、リンゴ抽出物、アンズ抽出物等）、蜂蜜抽出物、２−ヒドロキシオクタン酸、グリセリン酸（ジヒドロキシプロピオン酸）、タルトロン酸（ジヒドロキシプロパン二酸）、グルコン酸、マンデル酸、ベンジル酸、アゼライン酸、α−リポ酸、サリチル酸、ＡＨＡ塩および誘導体（例えば、グリコール酸アルギニン、グリコール酸アンモニウム、グリコール酸ナトリウム、乳酸アルギニン、乳酸アンモニウム、乳酸ナトリウム、α−ヒドロキシ酪酸、α−ヒドロキシイソ酪酸、α−ヒドロキシイソカプロン酸、α−ヒドロキシイソバレリアン酸、アトロ乳酸（ａｔｒｏｌａｃｔｉｃ  ａｃｉｄ）等が挙げられ得るが、これらに制限はされないＢＨＡには、３−ヒドロキシプロパン酸、β−ヒドロキシ酪酸、β−フェニル酪酸、β−フェニルピルビン酸が挙げられるが、これらに制限はされない。α−アミノ酸には、α−アミノジカルボン酸（例えば、アスパラギン酸、グルタミン酸およびその混合物）が挙げられ得るが、これらに制限されず、時には、フルーツ酸と組み合わせて使用され得る。ＡＫＡには、ピルビン酸が挙げられる。幾つかの老化防止化合物において、酸性活性剤は、レチノイン酸、ハロカルボン酸（例えば、トリクロロ酢酸）、酸性酸化防止剤（例えば、アスコルビン酸（ビタミンＣ））、鉱酸、フィチン酸、リゾホスファチジン酸等であり得る。幾つかの酸性抗ニキビ剤は、例えば、サリチル酸、サリチル酸誘導体（例えば、５−オクタノイルサリチル酸）、レチノイン酸、およびその誘導体が挙げられ得る。
【０１０６】
活性な皮膚処置組成物の使用および処方の議論は、ＣＯＳＭＥＴＩＣＳ  ＆  ＴＯＩＬＥＴＲＩＥＳ（登録商標），Ｃ＆Ｔ  Ｉｎｇｒｅｄｉｅｎｔ  Ｒｅｓｏｕｒｃｅ  Ｓｅｒｉｅｓ，「ＡＨＡｓ  ＆  Ｃｅｌｌｕｌｉｔｅ  Ｐｒｏｄｕｃｔｓ  Ｈｏｗ  Ｔｈｅｙ  Ｗｏｒｋ」（１９９５年出版）および「Ｃｏｓｍｅｃｅｕｔｉｃａｌｓ」（１９９８年出版）にあり、これらは共に、Ａｌｌｕｒｅｄ  Ｐｕｂｌｉｓｈｉｎｇ  Ｃｏｒｐｏｒａｔｉｏｎから入手可能であり、本明細書中に参考として援用される。アスコルビン酸で酸性化されたαアミノ酸を含有する組成物は、米国特許第６，１９７，３１７  Ｂ１号に記載されており、老化防止、スキンケアレジメンにおいてこれらの酸を利用する市販の美容調製物は、ＡＦＡの商品名で、ｅｘＣｅｌ  Ｃｏｓｍｅｃｅｕｔｉｃａｌｓ（Ｂｌｏｏｍｆｉｅｌｄ  Ｈｉｌｌｓ，ＭＩ）から販売されている。用語「ＡＦＡ」は、供給元の営業用文献に記載されるように、Ａｍｉｎｏ  Ｆｒｕｉｔ  Ａｃｉｄｓとして、そして、「Ａｍｉｎｏ  ａｃｉｄ  Ｆｉｌａｇｇｒｉｎ  ｂａｓｅｄ  Ａｎｔｉｏｘｉｄａｎｔｓ」についての頭文字として、アミノ酸／ビタミンＣの組合せを記載するために開発者により作られた。
【０１０７】
カチオン性会合性ポリマーが含まれ得る他のヘルスケア製品は、局所および非局所の医薬品およびデバイスのような医療用製品である。医薬品の処方において、カチオン性会合性ポリマーは、クリーム、ポマード、ゲル、ペースト、軟膏、錠剤、ゲルカプセル、下剤流体（浣腸、催吐薬、結腸洗浄薬など）、坐剤、抗真菌フォーム、眼用製品（点眼剤、人工涙液、緑内障薬物送達点眼剤、コンタクトレンズの洗浄剤などのような眼科用製品）、耳用製品（耳垢軟化剤、耳垢除去剤、耳炎薬物送達点耳剤など）、鼻用製品（ドロップ、軟膏、スプレーなど）、および創傷ケア（液体絆創膏、創傷包帯、抗生物質クリーム、軟膏など）のような製品であるが、これらに限定されない製品において、増粘剤および／または滑沢剤として使用され得る。
【０１０８】
カチオン性会合性ポリマーのフィルム形成特性および酸膨張可能（ａｃｉｄ−ｓｗｅｌｌｂａｂｌｅ）特性は、カチオン性会合性ポリマーを、活性成分の皮膚への、または皮膚を介する経皮送達を促進および増強するため、抗座瘡剤処方物および局所鎮痛薬の効果を増強するため、ならびに、錠剤またはシロップのような薬物の低いｐＨ（例えば、胃）における制御放出；錠剤、トローチ剤、チュアブル剤などからの、口の弱酸性環境における制御薬物放出；または坐剤、軟膏、クリームなどからの膣内の弱酸性環境における制御薬物放出；シャンプー、軟膏などからのふけ制御剤の堆積を促進するため；色素性化粧品（メークアップ、リップスティック、ルージュなど）に由来する皮膚上の、および毛髪染料に由来する毛髪上の染料の沈着を増強するためにのビヒクルとして特に適したものにする。
【０１０９】
上記のことに加えて、酸性ｐＨでの本発明のポリマーのカチオン性特性、およびその驚くべきカチオン適合性は、種々の個人医療、保健医療、Ｉ＆Ｉ、および医療において、帯電防止剤、殺生剤、抗菌剤、および他の防腐剤についての増粘剤として、カチオン会合ポリマーを有用にする。例えば、ポリマーは、カチオン性殺生剤が代表的に使用される、一般用（ｏｖｅｒ−ｔｈｅ−ｃｏｕｎｔｅｒ：ＯＴＣ）保健医療および薬学的製品における増粘剤として、そしてプラークコントロールおよび歯石コントロールについての歯の手入れ用組成物における薬学的製品として、そして治療剤を含む液体ビヒクル（例えば、シロップ、ゲルなど）として使用され得る。特定の調整されたｐＨ条件下で、カチオン性会合性ポリマーのカチオン性特性もまた、それ自体、帯電防止活性または殺生活性、抗菌活性、あるいは防腐様活性を提供し得る。
【０１１０】
本発明のポリマーは、限定することなしに、医療装置（例えば、軟組織インプラント、手術用手袋、カテーテル、カニューレなど）用の潤滑コーティング剤、医療機器（創傷被覆材など）用の取り外し可能な保護フィルムコーティング剤、特に胃の酸性環境における粘膜接着剤、医療用に処方された製品（例えば、消毒用ハンドクリーム、抗ウイルス製品（アニオン性ウイルス用）、抗生物質軟膏、スプレーおよびクリーム、滴らずにスプレー可能な病院用消毒剤、慣用的なメンテナンス中に適用される塗装面抗菌仕上げなど）におけるキャリアおよび増粘剤として使用され得る。
【０１１１】
本発明のポリマーは、在宅医療、およびＩ＆Ｉ適用において、例えば、流体修飾物質、繊維柔軟剤、帯電防止剤として、特に、「粘着性表面」を介しての処方有効性または殺菌剤および殺生剤の効力を改善するために、そして従来の繊維柔軟剤と組み合わせて繊維柔軟効果を相乗的に改善するために使用され得る。本発明のポリマーを含み得る代表的な家庭用製品およびＩ＆Ｉ製品としては、洗濯物および繊維の手入れ用品（例えば、界面活性剤、繊維柔軟剤（液体もしくはシート）、アイロン仕上げスプレー、ドライクリーニング補助剤、しわ防止スプレー、しみ除去剤など）；台所および浴室ならびにそれらの場所で使用されるかもしくは設置される実用品および器具用の塗装面クレンザー（例えば、便器用ゲル、浴槽洗剤およびシャワー洗剤、硬質な水垢の除去剤、床用洗剤およびタイル用洗剤、壁用洗剤、床用研磨剤およびクロム質備品用研磨剤、アルカリ剥離性ビニール床用洗剤、大理石用洗剤およびセラミック用洗剤、空気洗浄用ゲル、皿用液体洗剤など）；帯電防止性洗剤（例えば、便器用洗剤およびウォシュレット用洗剤、殺菌性ハンドソープ、部屋用消臭剤など）が挙げられるが、これらに限定されない。
【０１１２】
本発明のポリマーは、レオロジー改変剤、分散剤、安定剤、助触媒、または抗菌剤などとして、産業製品適用（例えば、織物（加工、仕上げ、印刷、および染色助剤、洗浄可能な保護表面コーティング、非織布の飽和による合成皮革の製造など、織布、非織布、天然繊維および合成繊維の製造など）；水処理（排水、冷却水、飲料水精製など）；化学排出汚染物（酸排出吸収剤）など；皮革および皮の処理（処理助剤、仕上げ、コーティング、エンボス加工など）；紙および製紙（表面コーティング（例えば、色素コーティング、帯電防止コーティングなど、パルプ結合剤、表面サイズ決定、乾燥強度増強剤および湿潤強度増強剤、ウェットレイドフェルト（ｗｅｔ−ｌａｉｄ  ｆｅｌｔの製造など）；印刷（インク、アンチウィッキングインクジェットプリンターインク、アクリル酸繊維を印刷するためにカチオン性色素を含むインク処方物用の濃厚剤など）；ペイント（色素および研磨添加剤、エポキシラテックス乳剤用の架橋剤、粘土用の粒子状懸濁助剤、色素など）；産業的工場廃液処理（紙粉砕廃液中のフェノール類のための柔毛など）；金属作業（酸エッチ洗浄、低ｐＨ金属コーティング、冷却圧延鋼処理における酸洗いなど）；接着剤（透明接着剤、金属、プラスチック、木材など用の接着助触媒、非織フロック接着剤結合コーティング、結合剤など）；木材保存；ならびに建築および道路用の産業構築製品（セメント可塑化剤、低ｐＨでのアスファルト乳剤安定剤、セメント用酸エッチ、コンクリート、モルタル、パテの粘調度調整剤など）であるが、これらに限定されない）において利用され得る。本発明のポリマーは、種々の上記産業適用および掘穿泥水において使用される、錆取り剤、酸トラッククリーナー、鱗落としなどとして、および粒子（例えば、粘土、色素（二酸化チタン、炭酸カルシウム、および他の鉱物））を含む製品の分散安定剤、研磨剤などとして特に有用である。
【０１１３】
本発明のポリマーを含む生成物は、当該分野で公知の種々の従来の添加剤およびアジュバントを含み得、それらのうちのいくつかは、１つより多くの機能を提供し得る。使用される量は、その生成物の目的および特徴とともに変化し、そしてその処方物の分野における当業者によって、および文献から、容易に決定され得る。用語「美容アジュバント」とは、組成物の有用な有効期限の間に、組成物の物理的安定性ならびに眼に見える審美的外観および市場アピールを維持する、美容学的および薬学的に受容可能な製品安定剤および製品仕上げ剤を包含する。
【０１１４】
用語「固定剤」は、ポリマーに適用される場合、フィルム形成、接着、またはポリマーが塗布される表面上へ配置されるコーティングの特性を含む。ヘアケア技術で一般に理解され、本明細書中で使用される、用語「ヘアスタイリングおよび毛髪固定剤」は、集合的に、毛髪固定剤およびフィルム形成剤である毛髪セット剤をいい、毛髪セットのスタイリングおよび／または保持を容易にするのに能動的に寄与するため、ならびに毛髪セットの再スタイリングを維持するために、毛髪に局所的に適用される。従って、毛髪セット組成物としては、ヘアスタイリング製品、毛髪固定剤および毛髪手入れ製品が挙げられ、これらは、従来、毛髪（湿っているかまたは乾燥している）に、ジェル、リンス、エマルション（油中水型、水中油型または多相）（例えば、ローションおよびクリーム）、ポマード、スプレー（加圧型または非加圧型）、整髪剤（ｓｐｒｉｔｚｅ）、フォーム（例えば、ムース）、シャンプー、固形物（例えば、スティック）、半固体などの形態で適用されるか、または、洗浄によって除去されるまでのある程度の時間、毛髪セット剤を毛髪にセットしたままにしておくための毛髪セット補助物に含浸させるかまたは毛髪セット補助物に被覆させた毛髪セット組成物を有するセット補助物に適用される。
【０１１５】
用語「コンディショニング剤」およびその用語の文法上の変形は、スキンケアおよびヘアケア用の組成物に関係し、化粧品として、および薬剤として有用な物質（湿潤剤、保湿剤、およびエモリエント剤）を含む。いくつかのコンディショニング剤が組成物中で、一つより多い機能（例えば、乳化剤、潤滑剤および溶剤）を果たし得ることが理解される。
【０１１６】
好ましいヘアケア組成物の実施形態は、ヘアケア組成物に特性（例えば、毛髪固定特性、毛髪コンディショニング特性、粘着特性（濃化、レオロジー改変）またはこれらの組合せ）を提供するために有効量で、本発明のポリマーを含有する。必要に応じて、ヘアケア組成物は、一つ以上の補助フィルム形成剤、補助毛髪固定剤、補助毛髪コンディショニング剤、補助レオロジー改変剤、またはこれらの混合物を含有し得る。
【０１１７】
好ましいスキンケア組成物の実施形態は、スキンケア組成物に特性（例えば、皮膚コンディショニング特性、粘着特性（濃化、レオロジー改変）またはこれらの組合せ）を提供するために有効量で、本発明のポリマーを含有する。必要に応じて、スキンケア組成物は、一つ以上の補助皮膚コンディショニング剤、補助レオロジー改変剤、またはこれらの混合物を含有し得る。
【０１１８】
本発明のポリマーを含有する製品処方物は、パーソナルケア製品、家庭用ケア製品、施設用ケア製品および産業用ケア製品中に従来またはよく含有される、種々の添加剤および化粧品アジュバントを含有し得、これらの添加剤およびアジュバントとしては、酸性化またはアルキル化するｐＨ調節剤および緩衝剤；補助的な固定剤およびフィルム形成剤（例えば、非イオン性、アニオン性、カチオン性、もしくは両親媒性の、合成由来もしくは天然由来のポリマーなど）；補助的なレオロジー改質剤（例えば、粘度増加ポリマー、ゴム、もしくは樹脂増粘剤またはゲル化剤）；添加剤（例えば、乳化剤、エマルジョン安定化剤、蝋、分散材など）、ならびに粘度制御剤（例えば、溶媒、電解質など）；補助的なコンディショニング剤（例えば、静電防止剤、合成油、植物性油脂または動物性油脂、シリコーン油、モノマーまたはポリマーの四級化アンモニウム化合物およびその誘導体、シーン増強剤、加湿剤、皮膚軟化剤、湿潤剤、潤滑剤、日焼け止め剤など）；酸化剤；還元剤；界面活性剤（例えば、アニオン性界面活性剤、カチオン性界面活性剤、非イオン性界面活性剤、両親媒性界面活性剤、双性イオン界面活性剤、およびそれらのシリコーン誘導体）；ポリマーフィルム改質剤（例えば、可塑剤、粘着付与剤、脱粘着剤、湿潤剤など）；製品安定化および仕上げ剤（例えば、キレート剤、乳白剤、パール様化（ｐｅａｒｌｅｓｃｉｎｇ）剤、タンパク質性材料およびその誘導体、ビタミンおよびその誘導体、防腐剤、芳香剤、可溶化剤、着色剤（一時的または永続的）（例えば、顔料および色素）、ＵＶ吸収剤など）；プロペラント（水混和性または水非混和性）（例えば、フッ素化炭化水素、液体揮発性炭化水素、圧縮気体など）；ならびにこれらの混合物が挙げられるが、これらに限定されない。
【０１１９】
本明細書中で議論される本発明のカチオン性会合性ポリマーとともに使用され得る、添加剤およびアジュバント成分、製品、または材料は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ（Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｗａｓｈｉｎｇｔｏｎ  Ｄ．Ｃ．（本明細書中以下で、ＩＮＣＩ辞書）において与えられるＩＮＣＩ名（例えば、その任意の版（例えば、第１巻および第２巻、第６版（１９９５）、または第１−３巻、第７版および第８版（１９９７、２０００））に見られ得る）を通常呼ばれるか、またはそれらの通常使用される化学名を呼ばれる。ＩＮＣＩ名、商品名またはその両方によって列挙される、多数の市販の供給源は、ＩＮＣＩ辞書および多数の市販の商標刊行物（２００１  ＭｃＣｕｔｃｈｅｏｎ’ｓ  Ｄｉｒｅｃｔｏｒｉｅｓ，第１巻：Ｅｍｕｌｓｉｆｉｅｒｓ  ＆  Ｄｅｔｅｒｇｅｎｔｓおよび第２巻：Ｆｕｎｃｔｉｏｎａｌ  Ｍａｔｅｒｉａｌｓ（ＭｃＣｕｔｃｈｅｏｎ’ｓ  Ｄｉｖｉｓｉｏｎ，Ｔｈｅ  Ｍａｎｕｆａｃｔｕｒｉｎｇ  Ｃｏｎｆｅｃｔｉｏｎｅｒ  Ｐｕｂｌｉｓｈｉｎｇ  Ｃｏ．，Ｇｌｅｎ  Ｒｏｃｋ，ＮＪ出版）（２００１）；および２００１  Ｃｏｓｍｅｔｉｃ  Ｂｅｎｃｈ  Ｒｅｆｅｒｅｎｃｅ，ＣＯＳＭＥＴＩＣＳ  ＆  ＴＯＩＬＥＴＲＩＥＳ（登録商標）の版、１１５  （１３）（Ａｌｌｕｒｅｄ  Ｐｕｂｌｉｓｈｉｎｇ  Ｃｏｒｐｏｒａｔｉｏｎ，Ｃａｒｏｌ  Ｓｔｒｅａｍ，ＩＬ出版）（２００１）挙げられるが、これらに限定されない；各々の関連する開示は、本明細書中に参考として援用される）に見出され得る。組成物のこのような成分および処方物はまた、周知の参考文献（例えば、Ｃｏｓｍｅｔｉｃｓ  Ｓｃｉｅｎｃｅ  ａｎｄ  Ｔｅｃｈｎｏｌｏｇｙ，第１版（Ｓａｇａｒｉｎ（編））１９５７年出版、および第２版（Ｂａｌｓａｍら（編））１９７２−７４年出版；およびＴｈｅ  Ｃｈｅｍｉｓｔｒｙ  ａｎｄＭａｎｕｆａｃｔｕｒｅ  ｏｆ  Ｃｏｓｍｅｔｉｃｓ，第２版（ｄｅＮａｖａｒｒｅ（編）），１９７５年出版、および第３版（Ｓｃｈｌｏｓｓｍａｎ（編））２０００年出版（両方、Ａｌｌｕｒｅｄ  Ｐｕｂｌｉｓｈｉｎｇ  Ｃｏｒｐｏｒａｔｉｏｎから入手可能）；Ｒｉｅｇｅｒ（編），Ｈａｒｒｙ’ｓ  Ｃｏｓｍｅｔｉｃｏｌｏｇｙ，第８版，Ｃｈｅｍｉｃａｌ  Ｐｕｂｌｉｓｈｉｎｇ，Ｃｏ．，Ｉｎｃ．，Ｎｅｗ  Ｙｏｒｋ，ＮＹ（２０００）；ならびに当業者に利用可能な種々の教科書（ｆｏｒｍｕｌａｒｙ）（例えば、Ｒｅｍｉｎｇｔｏｎ’ｓ  Ｐｈａｒｍａｃｅｕｔｉｃａｌ  Ｓｃｉｅｎｃｅｓ，第１４版，Ｍａｃｋ  Ｐｕｂｌｉｓｈｉｎｇ  Ｃｏｍｐａｎｙ，Ｅａｓｔｏｎ，ＰＡ（１９７０））に詳細に記載されている；各々の関連する開示は、本明細書中に参考として援用される。
【０１２０】
パーソナルケアおよび局所的な皮膚医学的ヘルスケアのための処方組成物（これらは、クレンジングまたは平滑化のために皮膚および粘膜表面に塗布される）は、多くの同じかまたは類似の生理学的に許容可能な成分と混合され、そして主として選択される成分の純度等級、医薬または薬学的に受容可能な化合物の存在、および製品が製造される制御された条件が異なる、同じかまたは類似の製品形態に処方されることが公知である。同様に、家庭用およびＩ＆Ｉの製品において使用される成分の多くは、上記のものと同じかまたは類似であり、主として、使用される量および材料等級が異なる。成分の選択および許容される量は、国家、地域、地方、および国際的なレベルで、政府の規制に供され得ることもまた、公知である。従って、パーソナルケア製品およびヘルスケア製品のために有用な種々の成分の本明細書中の議論は、家庭用製品およびＩ＆Ｉ製品、ならびに産業用の適用に適用され得る。
【０１２１】
カチオン性会合性ポリマーを含有する処方される組成物中の成分の選択および量は、処方の分野の当業者に周知であるように、製品およびその機能に依存して変化する。パーソナルケア製品および局所的ヘルスケア製品のための処方成分としては、代表的に、溶媒、界面活性剤（クレンジング剤、乳化剤、発泡促進剤、ヒドロトロープ、可溶化剤、および懸濁剤として）、非界面活性懸濁剤、乳化剤、皮膚コンディショニング剤（皮膚軟化剤、湿潤剤、加湿剤など）、ヘアコンディショニング剤、毛髪固定剤、フィルム形成剤、皮膚保護剤、結合剤、キレート剤、抗菌剤、抗真菌剤、抗ふけ剤、研磨剤、接着剤、吸収剤、色素、脱臭剤、発汗防止剤、乳濁剤およびパール様化剤、酸化防止剤、防腐剤、プロペラント、拡散助剤、日焼け防止剤、日光なしでの皮膚日焼け促進剤、紫外光吸収剤、ｐＨ調節剤、生薬、洗髪量、酸化剤、還元剤、皮膚漂白剤、顔料、生理学的に活性な薬剤、抗炎症剤、局所麻酔剤、芳香剤および芳香剤可溶化剤などが挙げられ得るが、これらに限定されず、これらは、本明細書中には現れないかもしれない、以前に議論された成分に加えられる。例えば、経口ケア製品は、虫歯予防剤、歯石予防剤、および／または斑予防剤を、界面活性剤、研磨剤、湿潤剤、および矯味矯臭剤に加えて、含有し得る。物質ならびにそれらの従来の機能および製品カテゴリーの広範な列挙は、一般に、ＩＮＣＩ辞書に記載されており、特に、第７版、第２巻の第４節および第５節に記載されている（本明細書中に参考として援用される）。
【０１２２】
水性エマルジョンとして調製される、本発明のポリマーは、水ベースの処方物および水混和性の補助的な溶媒を含有する処方物のために特に有用であるが、これらに限定されない。通常使用される有用な溶媒は、代表的に液体であり、例えば、水（脱イオン水、蒸留水、または精製水）、アルコール、ポリオールなど、およびこれらの混合物である。非水性または疎水性の補助的な溶媒は、通常、実質的に水を含まない製品（例えば、爪ラッカー、エアロゾルプロペラントスプレー）において、または特定の機能（例えば、油性ゾル、皮脂の除去、色素、芳香剤などの形成または溶解）のために使用され、またはエマルジョンの油相に組み込まれる。補助的な溶媒の非限定的な例としては、水以外に、直鎖および分枝鎖のアルコール（例えば、エタノール、プロパノール、イソプロパノール、ヘキサノールなど）；芳香族アルコール（例えば、ベンジルアルコール、シクロヘキサノールなど）；飽和Ｃ１２〜Ｃ３０脂肪アルコール（例えば、ラウリルアルコール、ミリスチルアルコール、セチルアルコール、ステアリルアルコール、ベヘニルアルコールなど）が挙げられる。ポリオールの非限定的な例としては、ポリヒドロキシアルコール（例えば、グリセリン、プロピレングリコール、ブチレングリコール、へキシレングリコール）、Ｃ２〜Ｃ４アルコキシ化アルコールおよびＣ２〜Ｃ４アルコキシ化ポリオール（例えば、約２〜約３０個の炭素原子および１〜約４０個のアルコキシ単位を有する、アルコール、ジオールおよびポリオールのエトキシ化エーテル、プロポキシ化エーテル、およびブトキシ化エーテル）、ポリプロピレングリコール、ポリブチレングリコールなどが挙げられる。非水性の補助的な溶媒の非限定的な例としては、シリコーンおよびシリコーン誘導体（例えば、シクロメチコンなど）、ケトン（例えば、アセトンおよびメチルエチルケトン）；天然および合成の油および蝋（例えば、植物性油脂、植物油、動物性油脂、エッセンシャルオイル、鉱油、Ｃ７〜Ｃ４０イソパラフィン、カルボン酸のアルキルエステル（例えば、酢酸エチル、酢酸アミル、乳酸エチルなど）、ホホバ油、サメ肝油など）が挙げられる。上記の非水性の補助的な溶媒のいくつかはまた、コンディショナーおよび乳化剤であり得る。
【０１２３】
界面活性剤は、一般に、クレンジング剤、乳化剤、発泡増幅剤、ハイドロトロープおよび懸濁剤として使用される。本発明のポリマーは、全てのクラスの界面活性剤（すなわち、アニオン性界面活性剤、カチオン性界面活性剤、非イオン性界面活性剤、両親媒性界面活性剤）を含有する処方物において使用され得る。用語「両親媒性界面活性剤」とは、本明細書中において使用される場合、双性イオン界面活性剤を含む。上記参照に加えて、界面活性剤のクラスの議論は、Ｃｏｓｍｅｔｉｃｓ  ＆  Ｔｏｉｌｅｔｒｉｅｓ（登録商標）Ｃ  ＆  Ｔ  Ｉｎｇｒｅｄｉｅｎｔ  Ｒｅｓｏｕｒｃｅ  Ｓｅｒｉｅｓ、「Ｓｕｒｆａｃｔａｎｔ  Ｅｎｃｙｃｌｏｐｅｄｉａ」，第２版，Ｒｉｅｇｅｒ（編），Ａｌｌｕｒｅｄ  Ｐｕｂｌｉｓｈｉｎｇ  Ｃｏｒｐｏｒａｔｉｏｎ  （１９９６）；Ｓｃｈｗａｒｔｚら，Ｓｕｒｆａｃｅ  Ａｃｔｉｖｅ  Ａｇｅｎｔｓ，Ｔｈｅｉｒ  Ｃｈｅｍｉｓｔｒｙ  ａｎｄ  Ｔｅｃｈｎｏｌｏｇｙ，１９４９年出版；およびＳｕｒｆａｃｅ  Ａｃｔｉｖｅ  Ａｇｅｎｔｓ  ａｎｄ  Ｄｅｔｅｒｇｅｎｔｓ，第ＩＩ巻，１９５８年出版，Ｉｎｔｅｒｓｃｉｅｎｃｅ  Ｐｕｂｌｉｓｈｅｒｓに存在する；各々が、本明細書中に参考として援用される。
【０１２４】
驚くべきことに、本発明のポリマーは、比較的高濃度（約１０〜４０重量％）のアニオン性界面活性剤を含有する組成物（例えば、シャンプーならびに毛髪および身体（浴室）製品のためのツーインワン（ｔｗｏ−ｉｎ−ｏｎｅ）型のコンディショニング／クレンザー）において、増粘剤および沈着助剤として有用である。本発明のカチオン性会合性ポリマーは、静電防止活性を有するカチオン性界面活性剤（例えば、ヘアケア製品および公共ケア製品において使用されるもの）と適合性である。
【０１２５】
アニオン性界面活性剤としては、負に荷電した疎水性物質を有する物質、またはｐＨが中性以上に上昇される場合に負の電荷を保有する物質が挙げられ、例えば、アクリルアミノ酸およびその塩（例えば、アクリルグルタメート、アシルペプチド、サルコシネートおよびタウレート）；カルボン酸およびその塩（例えば、アルカン酸およびアルカノエート、エステルカルボン酸、およびエーテルカルボン酸）；リン酸エステルおよびその塩；スルホン酸およびその塩（例えば、イセチオン酸アシル、スルホン酸アルキルアリール、スルホン酸アルキル、およびスルホスクシネート）；ならびに硫酸エステル（例えば、硫酸アルキルエーテルおよびアルキルスルフェート）である。
【０１２６】
アニオン性界面活性剤の非限定的な例としては、水溶液中でわずかに酸性であるアシルグルタメートの一塩基塩（例えば、アシルグルタミン酸ナトリウムおよび加水分解獣脂グルタミン酸ナトリウム）；アシル−加水分解タンパク質の塩（例えば、カリウムパルミトイル加水分解ミルクプロテイン、ナトリウムココイル加水分解ダイズタンパク質、およびＴＥＡ−アビエトイル加水分解コラーゲン）；アシルサルコシネートの塩（例えば、ミリストイルサルコシンアンモニウム、ココイルサルコシネートナトリウム、およびＴＥＡ−ラウロイルサルコシネート）；アシルタウリン酸メチルナトリウムの塩）例えば、タウリン酸ラウロイルナトリウムおよびタウリン酸メチルココイルナトリウム）；アルカン酸およびアルカノエート（例えば、水溶性石鹸および水溶性乳化石鹸を形成する動物グリセリドおよび植物性グリセリド由来の脂肪酸（ステアリン酸ナトリウム、ステアリン酸アルミニウム、およびウンデシル酸亜鉛が挙げられる））；エステルカルボン酸（例えば、ジノノキシノール−９−シトレート）；アシルラクチレートの塩（例えば、ステアロイルラクチレートカルシウムおよびラウレス（ｌａｕｒｅｔｈ）−６シトレート）；種々の長さのポリオキシエチレン鎖を有するエトキシ化アルコールまたはフェノールから誘導されるエーテルカルボン酸（例えば、ノノキシノール−８カルボン酸、およびナトリウムトリデセス−１３カルボキシレート）；リン酸のモノエステルおよびジエステル、ならびにこれらの塩（例えば、リン脂質、ジラウレス−４−ホスフェート、ＤＥＡ−オレス−１０ホスフェートおよびトリエタノールアミンラウリルホスフェート）；アシルイセチオネートの塩（例えば、イセチオン酸ココイルナトリウム）；アルキルアリールベンゼンスルホネート（例えば、α−オレフィンスルホネート（ＡＯＳ）およびアルカリ金属塩、アルカリ土類金属塩、およびアルカノールアミン塩、ならびにドデシルベンゼン硫酸ナトリウム）；アルキルスルホネート（例えば、Ｃ１２〜Ｃ１４オレフィンスルホン酸ナトリウム、スルホン酸ココモノグリセリドナトリウム、Ｃ１２〜Ｃ１４パレス−１５スルホン酸ナトリウム、およびラウリルスルホ酢酸ナトリウム）；スルホスクシネート（例えば、スルホコハク酸のモノエステルおよびジエステル、これらの塩、ならびにそのアルコキシ化アルキル誘導体およびアルキルアミノ誘導体（例えば、ジ−Ｃ４〜Ｃ１０アルキルスルホコハク酸ナトリウム、ラウレススルホコハク酸二ナトリウム、オレアミドＭＥＡ−スルホコハク酸二ナトリウム、およびＣ１２〜Ｃ１５パレススルホコハク酸二ナトリウム））；アルキルエーテルスルフェート（例えば、硫酸のナトリウムラウリルエステルおよびアンモニウムラウリルエステル（約１〜約１２モルのエチレンオキシドを有する））；アルキルスルフェート（例えば、Ｃ１２〜Ｃ１８アルキルスルフェートのアンモニウム塩およびトリエタノールアミン塩、Ｃ１２〜Ｃ１４オレフィンスルホン酸ナトリウム、ラウレス−６カルボン酸ナトリウム、Ｃ１２〜Ｃ１８パレス硫酸ナトリウム）などが挙げられる。
【０１２７】
カチオン性界面活性剤は、正の電荷を保有する疎水性部分を有し得るか、あるいは中性の近くまたはそれより低いｐＨ値で荷電しない界面活性剤であり、例えば、アルキルアミン、アルキルイミダゾリン、エトキシ化アミン、および第四級アンモニウム化合物である。化粧品において使用されるカチオン性界面活性剤は、好ましくは、Ｎ−誘導体であり、そして中和アニオンは、無機物であっても有機物であってもよい。本明細書中において有用なカチオン性界面活性剤物質のうちでもとりわけ、一般式（Ｒ１０Ｒ１１Ｒ１２Ｒ１３Ｎ＋）Ｅ−に対応する第四級アンモニウム化合物であり、ここで、Ｒ１０、Ｒ１１、Ｒ１２、およびＲ１３は、独立して、１〜約２２個の炭素原子を有する脂肪族基、または１〜約２２個の炭素原子をアルキル鎖中に有する芳香族基、アルコキシ基、ポリオキシアルキレン基、アルキルアミド基、ヒドロキシアルキル基、アリール基またはアルキルアリール基から選択され；そしてＥ−は、ハロゲン（例えば、塩化物、臭化物）、酢酸イオン、クエン酸イオン、乳酸イオン、グリコール酸イオン、リン酸イオン、硝酸イオン、硫酸イオン、およびアルキル硫酸イオンから選択されるもののような、塩形成アニオンである。脂肪族基は、炭素原子および水素原子に加えて、リンカー、エステル結合、および他の基（例えば、アミノ基）を含み得る。より長鎖の脂肪族基（例えば、約１２個の炭素、またはより高級なもの）は、飽和であっても不飽和であってもよい。
【０１２８】
アルキルアミンは、置換または非置換の、第一級、第二級、および第三級の脂肪Ｃ１２〜Ｃ２２アルキルアミンの塩、および時々「アミドアミン」と称される物質であり得る。アルキルアミンおよびその塩の非限定的な例としては、ジメチルココアミン、ジメチルパルミトアミン、ジオクチルアミン、ジメチルステアロアミン、ジメチルソイアミン、ソイアミン、ミリスチルアミン、トリデシルアミン、エチルステアリルアミン、Ｎ−獣脂プロパンジアミン、エトキシ化ステアリルアミン、ジヒドロキシエチルステアリルアミン、アラキジルベヘニルアミン、ジメチルラウロアミン、ステアリルアミン塩酸塩、塩化ソイアミン、葉酸ステアリルアミン、Ｎ−獣脂プロパンジアミンジクロリド、およびアモジメチコン（アミノ官能基でブロックされたシリコーンポリマー（例えば、アミノエチルアミノプロピルシロキサン）についてのＩＮＣＩ名）が挙げられる。アミドアミンおよびその塩の非限定的な例としては、ステアロアミドプロピルジメチルアミン、ステアロアミドプロピルジメチルアミンシトレート、パルミトアミドプロピルジエチルアミン、およびココアミドプロピルジメチルアミンラクテートが挙げられる。他のカチオン性界面活性剤としては、ジステアリルジモニウムクロリド（ｄｉｓｔｅａｒｙｌｄｉｍｏｎｉｕｍ  ｃｈｌｏｒｉｄｅ）、ジセチルジモニウムクロリド、ガーヒドロキシプロピルトリモニウムクロリドなどが挙げられる。低ｐＨにおいて、アミンオキシドは、プロトン化され得、そしてＮ−アルキルアミンと同様に挙動する。
【０１２９】
アルキルイミダゾリンの非限定的な例としては、アルキルヒドロキシエチルイミダゾリン（例えば、ステアリルヒドロキシエチルイミダゾリン、ココヒドロキシエチルイミダゾリン、エチルヒドロキシメチルオレイルオキサゾリンなどが挙げられる）。エトキシ化（ｅｔｈｙｏｘｙｌａｔｅｄ）アミンの非限定的な例としては、ＰＥＧ−ココポリアミン、ＰＥＧ−１５獣脂アミン、クアテルニウム−５２などが挙げられる。
【０１３０】
第四級アンモニウム化合物は、４つのアルキル置換基および／またはアリール置換基に共有結合した少なくとも１つの窒素原子を含む、モノマー物質またはポリマー物質であり、この窒素原子は、環境のｐＨにかかわらず、正に荷電したままである。第四級アンモニウム化合物は、多数の物質を包含し、これらは、界面活性剤、コンディショナー、静電防止剤、および抗菌剤として、広範に使用され、そしてアルキルベンジルジメチルアンモニウム塩、アルキルベタミン、複素環式アンモニウム塩、およびテトラアルキルアンモニウム塩が挙げられる。長鎖（脂肪）アルキルベンジルジメチルアンモニウム塩が、コンディショナー、静電防止剤、およびファブリック柔軟剤として好ましく、以下でより詳細に議論される。他の第四級アンモニウム化合物としては、第四級アンモニウムシリコーンが挙げられる。
【０１３１】
アルキルベンジルジメチルアンモニウム塩の非限定的な例としては、ステアロアルコニウムクロリド、ベンザルコニウムクロリド、クアテルニウム−６３、オレアルコニウムクロリド、ジデシルジモニウムクロリドなどが挙げられる。アルキルベタイン化合物としては、アルキルアミドプロピルベタイン、アルキルアミドプロピルヒドロキシスルタイン、およびアルキルアミドプロピルヒドロキシフォスタインナトリウムが挙げられる。アルキルベタイン化合物の非限定的な例としては、オレイルベタイン、ココ−ベタイン、ココアミドプロピルベタイン、ココ−ヒドロキシスルタイン、ココ／オレアミドプロピルベタイン、ココ−スルタイン、ココアミドプロピルヒドロキシスルタイン、およびラウロアミドプロピルヒドロキシホスタインナトリウムが挙げられる。複素環式アンモニウム塩としては、アルキルエチルモルホリニウムエトスルフェート、イソステアリルエチルイミドニウムエトスルフェート、およびアルキルピリジニウムクロリドが挙げられ、そして一般に、乳化剤として使用される。複素環式アンモニウム塩の非限定的な例としては、セチルピリジニウムクロリド、イソステアリルエチルイミドニウムエトスルフェートなどが挙げられる。テトラアルキルアンモニウム塩の非限定的な例としては、ココアミドプロピルエチルジモニウムエトスルフェート、ヒドロキシエチルセチルジモニウムクロリド、クアテルニウム−１８、およびココジモニウムヒドロキシプロピル加水分解タンパク質（例えば、毛髪ケラチン）などが挙げられる。
【０１３２】
本発明のポリマーは、驚くべきことに、カチオン性界面活性剤および静電防止剤として適切な他のカチオン性化合物と適合性である。用語「静電防止剤」とは、例えば、化粧品原料またはヒト身体表面（例えば、皮膚、毛髪など）および衣服が電荷を蓄積させる傾向を減少させることによって、これらの原料または表面および衣服の電気的特性を変化させ、毛髪、皮膚および衣服をコンディショニングし得る成分をいう。カチオン性会合性ポリマーのカチオン適合性は、これらのポリマーを、ヘアケア組成物（例えば、シャンプー、シャンプー後のコンディショニングリンス、ヘアスプレー、へアドレッシングなど）において代表的に使用される静電防止剤を含有する処方物への組み込みに適切にする。静電防止剤は、最終組成物の約３０重量％までの量で使用され得るが、これに限定されない。
【０１３３】
帯電防止剤としては、第４級アンモニウム化合物、タンパク質誘導体、合成第４級アンモニウムポリマー、アミン、プロトン化アミンオキシド、ベタインなどが挙げられるがこれらに限定されない。これらは、このような物質により付与されるあらゆる界面活性剤特性に加えて、特定の処方物において、かつ、調整されたｐＨ条件下にて、帯電防止剤として作用し得る。以前に議論された帯電防止剤に加えて、帯電防止剤として有用な第４級アンモニウム化合物の非限定的な例は、塩化トリモニウムアセトアミドプロピル、ベヘナミドプロピルジメチルアミン、ベヘナミドプロピルエチルジモニウムエトスルフェート、ベヘントリモニウムクロリド、セチルモルホリニウムエトスルフェート、セトリモニウムクロリド、ココアミドプロピルエチルジモニウムエトスルフェート、ジセチルジモニウムクロリド、ジメチコンヒドロキシプロピルトリモニウムクロリド、ヒドロキシエチルベヘナミドピロピルジモニウムクロリド、クオタニウム−２６、クオタニウム−２７、クオタニウム−５３、クオタニウム−６３、クオタニウム−７０、クオタニウム−７２、クオタニウム−７６水素化コラーゲン、ＰＰＧ−９ジエチルモニウムクロリド（ｄｉｅｔｈｙｌｍｏｎｉｕｍ  ｃｈｌｏｒｉｄｅ）、ＰＰＧ−２５ジエチルモニウムクロリド、ＰＰＧ−４０ジエチルモニウムクロリド、ステアリン酸アルコニウムクロリド（ｓｔｅａｒａｌｋｏｎｉｕｍ  ｃｈｌｏｒｉｄｅ）、ステアリン酸アミドプロピルエチルジモニウムエチルエトスルフェート（ｓｔｅａｒａｍｉｄｏｐｒｏｐｙｌ  ｅｔｈｙｌ  ｄｉｍｏｎｉｕｍ  ｅｔｈｏｓｕｌｆａｔｅ）、ステアリン酸ジモニウムヒドロキシプロピル水和小麦タンパク質、ステアリン酸ジモニウムヒドロキシプロピル水和コラーゲン、小麦胚アミドプロップアルコニウムクロリド（ｗｈｅａｔ  ｇｅｒｍａｍｉｄｏｐｒｏｐａｌｋｏｎｉｕｍ  ｃｈｌｏｒｉｄｅ）、小麦胚アミドプロピルエチルジモニウムエトスルフェートなどである。
【０１３４】
合成第４級アンモニウムポリマーとしては、フィルム形成ポリマーおよびコンディショニングポリマーが挙げられる、合成第４級アンモニウムポリマーの非限定的な例としては、塩化アンモニウムジメチルジアリルのポリマーおよびコポリマー（例えば、ポリクオタニウム−４、ポリクオタニウム−６、ポリクオタニウム−７、ポリクオタニウム−２２、ポリクオタニウム−１０、ポリクオタニウム−１１、ポリクオタニウム−１５、ポリクオタニウム−１６、ポリクオタニウム−２４、ポリクオタニウム−２８、ポリクオタニウム−３２、ポリクオタニウム−３３、ポリクオタニウム−３５、ポリクオタニウム−３７、ポリクオタニウム−３９、ポリクオタニウム−４４、ＰＥＧ−２−ココモニウムクロリド（ｃｏｃｏｍｏｎｉｕｍ  ｃｈｌｏｒｉｄｅ）、クオタニウム−５２など）が挙げられる。
【０１３５】
用語「整髪組成物」は、整髪剤として少なくとも１つの本発明のポリマーを含む製品であって、毛髪を所望の形状（巻き毛または直毛）に構成する前、間または後に、毛髪（濡れていても乾燥していてもよい）に適用される製品を包含するが、製品の形態に限定はされない。
【０１３６】
本発明のポリマーは、単独のフィルム形成剤、レオロジー改変剤、コンディショニング固定剤として整髪組成物およびヘアスタイリング組成物において驚くほど有用である。本発明のポリマーはまた、市販の補助的な毛髪固定ポリマー（例えば、非イオン性、カチオン性および両親媒性の整髪ポリマー、カチオン性コンディショニングポリマーならびにこれらの組合せ）と組合せて有用である。驚くべきことに、予期せず増加した粘性および整髪効率特性が、本発明のポリマーの適切な組合せにより生じ、これは、補助的な従来の毛髪固定ポリマーおよび／またはヘアコンディショニングポリマーを伴うことが見出された。当該分野で周知の従来のポリマー性毛髪固定剤およびヘアスタイリングポリマーとしては、天然のゴムおよび樹脂、ならびに、合成起源の中性もしくはアニオン性ポリマーが挙げられる。市販の毛髪固定剤およびコンディショニング固定ポリマーのリストは、ＩＮＣＩ  Ｄｉｃｔｉｏｎａｒｙ、供給元のウェブサイトおよび営業用文献中に容易に見出され得る。例えば、Ｐｏｌｙｍｅｒ  Ｅｎｃｙｃｌｏｐｅｄｉａ  ｐｕｂｌｉｓｈｅｄ  ｉｎ
Ｃｏｓｍｅｔｉｃｓ  ＆  Ｔｏｉｌｅｔｒｉｅｓ（登録商標）１１７（１２），２００２年１２月（Ａｌｌｕｒｅｄ  Ｐｕｂｌｉｓｈｉｎｇ  Ｃｏｒｐｏｒａｔｉｏｎ，Ｃａｒｏｌ  Ｓｔｒｅａｍ，ＩＬ）（その関連する開示は、本明細書中に参考として援用される）を参照のこと。
【０１３７】
ヘアスタイリングポリマーまたは固定ポリマーとして使用される、適切な市販の非イオン性ポリマー（すなわち中性）としては、ポリビニルピロリドン（ＰＶＰ）、ポリビニルピロリドン／酢酸ビニルコポリマー（ＰＶＰ／ＶＡ）などが挙げられるがこれらに限定されない。市販のカチオン性固定ポリマーとしては、ポリクオタニウムのＩＮＣＩ名を有するポリマー（例えば、ポリクオタニウム−４すなわち塩化ジモニウムジアリル／ヒドロキシエチルセルロースコポリマー（例えば、ＣＥＬＱＵＡＴ（登録商標）Ｈ−１００、Ｎａｔｉｏｎａｌ  Ｓｔａｒｃｈ）；ポリクオタニウム−１１すなわち第４級化ビニルピロリドン／ジメチルアミノエチルメタクリレートコポリマー（例えば、ＧＡＦＱＵＡＴ（登録商標）７３４、７５５、７５５Ｎ、ＩＳＰ）；ポリクオタニウム−１６すなわち第４級化ビニルピロリドン／塩化ビニルイミダゾリウムコポリマー（例えば、ＬＵＶＩＱＵＡＴ（登録商標）ＦＣ−３７０、ＢＡＳＦ）；ポリクオタニウム−２８すなわちビニルピロリドン／メタクリルアミドプロピルトリメチル塩化アンモニウムコポリマー（例えば、ＧＡＦＱＵＡＴ（登録商標）ＨＳ−１００、ＩＳＰ）；ポリクオタニウム−４６すなわち第４級化ビニルカプロラクタム／ビニルピロリドン／メチルビニルイミダゾリウムメトスルフェートコポリマー；ポリクオタニウム−５５すなわち第４級化ビニルピロリドン／ジメチルアミノプロピルメチルアクリルアミド／ラウリルジメチルプロピルメタクリルアミド塩化アンモニウムコポリマー（例えば、ＳＴＹＬＥＺＥＴＭＷ、ＩＳＰ）など；ならびに酸性ｐＨ条件下でカチオン性であるアミノ置換ポリマー（例えば、ビニルカプロラクタム／ＰＶＰ／ジメチルアミノエチルメタクリレートコポリマー（例えば、ＧＡＦＦＩＸ（登録商標）ＶＣ−７１３、ＩＳＰ）；ＰＶＰ／ジメチルアミノエチルメタクリレートコポリマー（例えば、コポリマー８４５，ＩＳＰ）、ＰＶＰ／ＤＭＡＰＡアクリレートコポリマー（例えば、ＳＴＹＬＥＺＥＴＭＣＣ−１０、ＩＳＰ）、Ｃｈｉｔｏｓａｎ  ＰＣＡのＩＮＣＩ名を有するキトサンのピロリドンカルボン酸塩（例えば、ＫＹＴＡＭＥＲ（登録商標）ＰＣ、Ａｍｅｒｃｈｏｌ）が挙げられるがこれらに限定されない。
【０１３８】
適切な両性固定ポリマーとしては、オクチルアクリルアミド／アクリレート／ブチルアミノエチルメタクリレートコポリマー（例えば、ＡＭＰＨＯＭＥＲ（登録商標）ポリマー、Ｎａｔｉｏｎａｌ  Ｓｔａｒｃｈ）、アクリレート／ラウリルアクリレート／ステアリルアクリレート／エチルアミンオキシドメタクリレートコポリマー（例えば、ＤＩＡＦＯＲＭＥＲ（登録商標）ポリマー、Ｃｌａｒｉａｎｔ  Ｃｏｒｐ．）などが挙げられるがこれらに限定されない。
【０１３９】
適切な市販のコンディショニングポリマーとしては、以下のようなポリマー性第４級アンモニウム塩が挙げられるがこれらに限定されない：例えば、ポリクオタニウム−７、すなわちアクリルアミドおよびジメチルジアリル塩化アンモニウムモノマーのポリマー性第４級アンモニウム塩（例えば、ＭＡＣＫＥＲＮＩＵＭＴＭ−００７、ＭｃＩｎｔｙｒｅ  Ｇｒｏｕｐ，Ｌｔｄ．）；ポリクオタニウム−１０、すなわちトリメチルアンモニウム置換エポキシドと反応したヒドロキシエチルセルロースのポリマー性第４級アンモニウム塩（例えば、ＵＣＡＲＥ（登録商標）ポリマーＪＲ、ＬＫ、ＬＲ、ＳＲシリーズ，ＡｍｅｒｃｈｏｌおよびＣＥＬＱＵＡＴ（登録商標）ＳＣシリーズ，Ｎａｔｉｏｎａｌ  Ｓｔａｒｃｈ）；ポリクオタニウム−３９、すなわち、アクリル酸、塩化アンモニウムジアリルジメチルおよびアクリルアミドのポリマー性第４級アンモニウム塩（例えば、ＭＥＲＱＵＡＴ（登録商標）およびＭＥＲＱＵＡＴ（登録商標）Ｐｌｕｓポリマー，Ｏｎｄｅｏ  Ｎａｌｃｏ）；天然ゴムの第４級化誘導体（例えば、塩化トリモニウムグアールヒドロキシプロピル（例えば、ＪＡＧＵＡＲ（登録商標）およびＪＡＧＵＡＲ（登録商標）Ｅｘｃｅｌポリマー，Ｒｈｏｄｉａ，Ｉｎｃ．）など。
【０１４０】
多数の第４級アンモニウム化合物が、織物のコンディショニングおよび織物のケアのために使用され、一般に織物柔軟剤と称され、そして、代表的には、処方物の総重量の約２０重量％までの量で使用されるが、これらに限定されない。本発明のカチオン性会合性ポリマーと組合せて有用な織物柔軟剤としては、一般に、Ｗｈａｌｌｅｙによる総説文献「Ｆａｂｒｉｃ  Ｃｏｎｄｉｔｉｏｎｉｎｇ  Ａｇｅｎｔｓ」ＨＡＰＰＩ，５５−５８頁（１９９５年２月）（本明細書中に参考として援用される）中に記載されるような、長鎖アルキル化第４級アンモニウム化合物（例えば、ジアルキルジメチル第４級アンモニウム化合物、イミダゾリン第４級化合物、アミドアミン第４級化合物、ジヒドロキシプロピルアンモニウム化合物のジアルキルエステル第４級誘導体；メチルトリエタノールアンモニウム化合物のジアルキルエステル第４級誘導体、エステルアミドアミン化合物、およびジメチルジエタノール塩化アンモニウムのジエステル第４級誘導体が挙げられる。
【０１４１】
以前に記載された帯電防止剤に加えて、ジアルキルジメチル第４級アンモニウム化合物の非限定的な例としては、Ｎ，Ｎ−ジオレイル−Ｎ，Ｎ−ジメチル塩化アンモニウム、Ｎ，Ｎ−ジタロウイル−Ｎ，Ｎ−ジメチルアンモニウムエトスルフェート、Ｎ，Ｎ−ジ（水素化−タロウイル）−Ｎ，Ｎ−ジメチル塩化アンモニウムなどが挙げられる。イミダゾリン第４級化合物の非限定的な例としては、１−Ｎ−メチル−３−Ｎ−タロウアミドエチルイミダゾリウムクロリド、ＶＡＲＩＳＯＦＴ（登録商標）４７５の商品名でＷｉｔｃｏ  Ｃｈｅｍｉｃａｌ  Ｃｏｍｐａｎｙから販売されている３−メチル−１−タロウイルアミドエチル−２−タロウイルイミダゾリウムメチルスルフェートなどが挙げられる。アミドアミン第４級化合物の非限定的な例としては、Ｎ−アルキル−Ｎ−メチル−Ｎ，Ｎ−ビス（２−タロウアミドエチル）アンモニウム塩が挙げられ、ここで、アルキル基は、メチル、エチル、ヒドロキシエチルなどであり得る。ジヒドロキシプロピルアンモニウム化合物のジアルキルエステル第４級誘導体の非限定的な例としては、１，２−ジタロウイルオキシ−３−Ｎ，Ｎ，Ｎ−トリメチルアンモニオプロパンクロリド、１，２−ジカノロイルオキシ−３−Ｎ，Ｎ，Ｎ−トリメチルアンモニオプロパンクロリドなどが挙げられる。
【０１４２】
さらに、他の型の長鎖（例えば、天然油および脂肪酸由来）のアルキル化第４級アンモニウム化合物が、適切な織物柔軟剤であり、これらとしては、以下が挙げられるがこれらに限定されない：Ｎ，Ｎ−ジ（アルキルオキシエチル）−Ｎ，Ｎ−ジメチルアンモニウム塩（例えば、Ｎ，Ｎ−ジ（タロウイルオキシエチル）−Ｎ，Ｎ−ジメチル塩化アンモニウム，Ｎ，Ｎ−ジ（カノールイルオキシエチル）−Ｎ，Ｎ−ジメチル塩化アンモニウムなど）；Ｎ，Ｎ−ジ（アルキルオキシエチル）−Ｎ−メチル−Ｎ−（２−ヒドロキシエチル）アンモニウム塩（例えば、Ｎ，Ｎ−ジ（タロウイルオキシエチル）−Ｎ−メチル−Ｎ−（２−ヒドロキシエチル）塩化アンモニウム、Ｎ，Ｎ−ジ（カノールイルオキシエチル）−Ｎ−メチル−Ｎ−（２−ヒドロキシエチル）塩化アンモニウムなど）；Ｎ，Ｎ−ジ（２−アルキルオキシ−２−エオキソエチル）−Ｎ，Ｎ−ジメチルアンモニウム塩（例えば、Ｎ，Ｎ−ジ（２−タロウイルオキシ−２−エオキソエチル）−Ｎ，Ｎ−ジメチル塩化アンモニウム，Ｎ，Ｎ−ジ（２−カノールイルオキシ−２−エオキソエチル）−Ｎ，Ｎ−ジメチル塩化アンモニウムなど）；Ｎ，Ｎ−ジ（２−アルキルオキシエチルカルボニルオキシエチル）−Ｎ，Ｎ−ジメチルアンモニウム塩（例えば、Ｎ，Ｎ−ジ（２−タロウイルオキシエチルカルボニルオキシエチル）−Ｎ，Ｎ−ジメチル塩化アンモニウム，Ｎ，Ｎ−ジ（２−カノールイルオキシエチルカルボニルオキシエチル）−Ｎ，Ｎ−ジメチル塩化アンモニウムなど）；Ｎ−（２−アルカノイルオキシ−２−エチル）−Ｎ−（２−アルキルオキシ−２−エオキソエチル）−Ｎ，Ｎ−ジメチルアンモニウム塩（例えば、Ｎ−（２−タロウイルオキシ−２−エチル）−Ｎ−（２−タロウイルオキシ−２−エオキソエチル）−Ｎ，Ｎ−ジメチル塩化アンモニウム、Ｎ−（２−カノロイルオキシ−２−エチル）−Ｎ−（２−カノールイルオキシ−２−エオキソエチル）−Ｎ，Ｎ−ジメチル塩化アンモニウムなど）；Ｎ，Ｎ，Ｎ−トリ（アルキルオキシエチル）−Ｎ−メチルアンモニウム塩（例えば、Ｎ，Ｎ，Ｎ−トリ（タロウイルオキシエチル）−Ｎ−メチル塩化アンモニウム、Ｎ，Ｎ，Ｎ−トリ（カノールイルオキシエチル）−Ｎ−メチル塩化アンモニウムなど）；Ｎ−（２−アルキルオキシ−２−エオキソエチル）−Ｎ−アルキル−Ｎ，Ｎ−ジメチルアンモニウム塩（例えば、Ｎ−（２−タロウイルオキシ−２−エオキソエチル）−Ｎ−タロウイル−Ｎ，Ｎ−ジメチル塩化アンモニウム、Ｎ−（２−カノールイルオキシ−２−エオキソエチル）−Ｎ−カノールイル−Ｎ，Ｎ−ジメチル塩化アンモニウムなど）。
【０１４３】
好ましくは、長鎖アルキル基は、獣脂、カノーラ油、またはヤシ油由来であるが、例えば、大豆油およびココナッツ油由来の他のアルキル基もまた適切しており、これらのアルキル基は、以下のようなものである：ラウリル基、オレイル基、リシノール基、ステアリル基、パルミトイル基および類似の脂肪アルキル基。第４級アンモニウム塩化合物は、対イオンとして任意のアニオン性基（例えば、クロリド、ブロミド、メトスルフェート（すなわち、メチルスルフェート）、アセテート、ホルメート、スルフェート、ニトレートなど）を有し得る。
【０１４４】
好ましい第４級アンモニウム織物柔軟化合物の例としては、Ｎ−メチル−Ｎ，Ｎ−ビス（タロウアミドエチル）−Ｎ−（２−ヒドロキシエチル）アンモニウムメチルスルフェートおよびＮ−メチル−Ｎ，Ｎ−ビス（水素化−タロウアミドエチル）−Ｎ−（２−ヒドロキシエチル）アンモニウムメチルスルフェート（これらの物質の各々は、Ｗｉｔｃｏ  Ｃｈｅｍｉｃａｌ  Ｃｏｍｐａｎｙから、それぞれ商品名ＶＡＲＩＳＯＦＴ（登録商標）２２２およびＶＡＲＩＳＯＦＴ（登録商標）１１０で販売されている）；メチルトリエタノールアンモニウム塩のジアルキルエステル第４級誘導体（例えば、Ｃｏｇｎｉｓから市販されているビス（アシルオキシエチル）ヒドロキシエチルメチルアンモニウムメタンスルフェート誘導体のＤＥＨＹＱＵＡＲＴ（登録商標）ＡＵシリーズ（例えば、ＤＥＨＹＱＵＡＲＴ（登録商標）ＡＵ３５、ＡＵ４６、ＡＵ５６など；ならびにＮ，Ｎ−ジ（タロウイルオキシエチル）−Ｎ，Ｎ−ジメチル塩化アンモニウムであって、ここで、獣脂鎖は、少なくと部分的に不飽和である、アンモニウムが挙げられるが、これらに限定されない。他の好ましい織物柔軟剤としては、周知のジアルキルジメチルアンモニウム塩（例えば、Ｎ，Ｎ−ジタロウイル−Ｎ，Ｎ−ジメチルアンモニウムメチルスルフェート、Ｎ，Ｎ−ジ（水素化−タロウイル）−Ｎ，Ｎ−ジメチル塩化アンモニウム、Ｎ，Ｎ−ジステアリル−Ｎ，Ｎ−ジメチル塩化アンモニウム、Ｎ，Ｎ−ジベヘニル−Ｎ，Ｎ−ジメチル塩化アンモニウム、Ｎ，Ｎ−ジ（水素化タロウ）−Ｎ，Ｎ−ジメチル塩化アンモニウム（商品名ＡＤＯＧＥＮ（登録商標）４４２）、Ｎ，Ｎ−ジタロウイル−Ｎ，Ｎ−ジメチル塩化アンモニウム（商品名ＡＤＯＧＥＮ（登録商標）４７０、ＰＲＡＥＰＡＧＥＮ（登録商標）３４４５）、Ｎ，Ｎ−ジステアリル−Ｎ，Ｎ−ジメチル塩化アンモニウム（商品名ＡＲＯＳＵＲＦ（登録商標）ＴＡ−１００）（全てＷｉｔｃｏ  Ｃｈｅｍｉｃａｌ  Ｃｏｍｐａｎｙから入手可能）；商品名ＫＥＭＡＭＩＮＥ（登録商標）Ｑ−２８０２ＣでＨｕｍｋｏ  Ｃｈｅｍｉｃａｌ  Ｄｉｖｉｓｉｏｎ  ｏｆ  Ｗｉｔｃｏ  Ｃｈｅｍｉｃａｌ  Ｃｏｒｐｏｒａｔｉｏｎから販売されているＮ，Ｎ−ジベヘニル−Ｎ，Ｎ−ジメチル塩化アンモニウム；および商品名ＶＡＲＩＳＯＦＴ（登録商標）ＳＤＣでＷｉｔｃｏ  Ｃｈｅｍｉｃａｌ  Ｃｏｍｐａｎｙから販売されているＮ，Ｎ−ジメチル−Ｎ−ステアリル−Ｎ−塩化ベンジルアンモニウムおよびＯｎｙｘ  Ｃｈｅｍｉｃａｌ  Ｃｏｍｐａｎｙ製のＡＭＭＯＮＹＸ（登録商標）４９０）が挙げられる。
【０１４５】
上記の織物柔軟材のいずれかおよびこれらの混合物は、特に、洗濯および織物ケア製品において、本発明のカチオン性会合性ポリマーと組み合せて利用され得る。織物柔軟剤を含有するエステルについて、組成物のｐＨは、特に延長した保存状態において、織物柔軟剤の安定性に影響し得る。本発明の文脈において規定される場合、ｐＨは、約２０℃にてニートな組成物中で測定される。好ましくは、組成物のｐＨは、約６未満である。これらの化合物の加水分解性に対する最適な安定性のために、ｐＨは、好ましくは、約２〜約５の範囲であり、より好ましくは、約２．５〜約３．５の範囲である。
【０１４６】
以前に記載されたタンパク質誘導体に加えて、タンパク質誘導体の非限定的な例としては、以下が挙げられる：ココジモニウムヒドロキシプロピル加水分解カゼイン、ココジモニウムヒドロキシプロピル加水分解コラーゲン、ココジモニウムヒドロキシプロピル加水分解毛髪ケラチン、ココジモニウムヒドロキシプロピル加水分解コメタンパク質、ココジモニウムヒドロキシプロピル加水分解シルク、ココジモニウムヒドロキシプロピル加水分解大豆タンパク質、ココジモニウムヒドロキシプロピル加水分解小麦タンパク質、ココジモニウムヒドロキシプロピル加水分解シルクアミノ酸、ヒドロキシプロピルトリモニウム加水分解コラーゲン、ヒドロキシプロピルトリモニウム加水分解ケラチン、ヒドロキシプロピルトリモニウム加水分解シルク、ヒドロキシプロピルトリモニウム加水分解米ぬか、ヒドロキシプロピルトリモニウム加水分解大豆タンパク質、ヒドロキシプロピルトリモニウム加水分解食物性タンパク質、ヒドロキシプロピルトリモニウム加水分解小麦タンパク質、大豆エチルジモニウムエトスルフェート、大豆エチルモルホリニウムエトスルフェートなど。
【０１４７】
非イオン性界面活性剤は一般に、非荷電の両親媒性物質であり、通常、可変の程度までアルコキシル化されている。非イオン性界面活性剤の分類としては、アルコール、アルカノールアミド、アミンオキシド、エステルおよびエーテルが挙げられる。非イオン性アルコールは通常、長鎖Ｃ８〜Ｃ１８アルカン炭化水素のヒドロキシ誘導体（例えば、セテアリルアルコール、水素化タロウアルコール、ラノリンアルコール、アルカノールアミドなど）である。アルカノールアミドは、少なくとも１つのアルコキシルまたは１つのポリオキシエチレン基を含み、そして、アクリルアミドＤＥＡ、Ｎ−アルキルピロリドン、パームアミドＭＥＡ、ピーナッツアミドＭＩＰＡなどのアルカノール誘導体化アミド、ならびに、ＰＥＧ−５０タロウアミドのようなエトキシル化アミドが挙げられる。
【０１４８】
アミンオキシドとしては、ラウリンアミンオキシドのようなアルキルアミンオキシド；および、コカミドプロピルアミンオキシドのようなアシルアミドプロピルモルホリノキシドなどが挙げられる。エステルとしては、ＰＥＧ−８ジラウレート、ＰＥＧ−８ラウレートなどのようなエトキシル化カルボン酸；ＰＥＧ−４ひまし油、ＰＥＧ−１２０ステアリン酸グリセリル、トリオレインＰＥＧ−６エステルなどのようなエトキシル化グリセリド；ステアリン酸グリコールＳＥ、リシノール酸プロピレングリコールなどのようなグリコールエステルおよびその誘導体；ミリステアリン酸グリセリル、パルミチン酸グリセリル乳酸塩などのようなモノグリセリド；ポリグリセリル−６−ジステアレート、ポリグリセリル−４−オレイルエステルなどのようなポリグリセリルエステル、グルセト−２０セスキステアリン酸メチル、ジステアリン酸スクロースなどのような多価のアルコールエステルおよびエーテル；ポリソルベート−６０、セスキイソステアリン酸ソルビタンなどのようなソルビタン／ソルビトールエステル；ならびに、トリデセト（ｔｒｉｄｅｃｅｔｈ）−３−ホスフェート、トリオレト（ｔｒｉｏｌｅｔｈ）−８−ホスフェートなどのようなリン酸のトリエステルが挙げられる。エーテルとしては、セテアレト（ｃｅｔｅａｒｅｔｈ）−１０、非オキシノール（ｎｏｎｏｘｙｎｏｌ）−９などのようなエトキシル化アルコール；ＰＥＧ−２０ラノリン、ＰＰＧ−１２−ＰＥＧ−６５ラノリン油などのようなエトキシル化ラノリン；ジメチコンコポリオールなどのようなエトキシル化ポリシロキサン；メロキサポール３１４、ポロキサマー１２２、ＰＰＧ−５−セテト（ｃｅｔｅｔｈ）−２０などのようなプロポキシル化ＰＯＥエーテル；ならびにラウリルグルコースなどのようなアルキルポリグリコシドが挙げられる。
【０１４９】
非イオン性界面活性剤は、乳化剤、懸濁剤、溶解剤、消泡剤として使用され得、いくつかの場合においては、屈水性誘発物質として使用され得る。一般に好ましい非イオン性界面活性剤の非限定的な例としては、直鎖もしくは分枝のアルコールエトキシレート、Ｃ８〜Ｃ１２アルキルフェノールアルコキシレート（例えば、オクチルフェノールエトキシレート、ポリオキシエチレンポリオキシプロピレンブロックコポリマーなど）；ポリオキシエチレングリコールモノグリセリドおよびジグリセリドのＣ８〜Ｃ２２脂肪酸エステル；ソルビタンエステルおよびエトキシル化ソルビタンエステル；Ｃ８〜Ｃ２２脂肪酸グリコールエステル；エチレンオキシドとプロピレンオキシドのブロックコポリマーなどが挙げられる。界面活性消泡剤または屈水性誘発物質の非限定的な例としては、アセトアミドＭＥＡ、モノエタノールアミド、ジエタノールアミド、コカミドＤＥＡ、イソプロパノールアミドなどのようなアルカノールアミド；水素化タロウアミンオキシドのようなアミンオキシド；トルエン硫酸ナトリウムのような短鎖アルキルアリールスルホネート；ステアリン酸二ナトリウムスルホスクシネートのようなスルホスクシネートなどが挙げられる。
【０１５０】
両性界面活性剤および両性イオン性界面活性剤は、強酸媒体中では、正電荷を保有することによって、強塩基媒体中では、負電荷を保有することによって、酸または塩基のいずれかとして挙動する能力を有し、そして中間のｐＨでは、両性イオン種を形成する化合物である。主なクラスの両性界面活性剤は、アシル／ジアルキル  エチレンジアミンおよびそれらの誘導体（例えば、ココアンフォカルボキシメチルヒドロキシ−プロピルサルフェート、ココアンフォジプロピオネート二ナトリウム、ココアンフォ酢酸ナトリウム、ラウロアンフォＰＧ−アセテートフォスフェートナトリウム、タロウアンフォプロピオネートナトリウム、ウンデシルエノアンフォプロピオネートナトリウムなど）；およびＮ−アルキルアミノ酸（例えば、アミノプロピルラウリルグルタミド）、ジヒドロキシエチルダイズグリシネート（ｄｉｈｙｄｒｏｘｙｅｔｈｙｌ  ｓｏｙａ  ｇｌｙｃｉｎａｔｅ）、ラウルアミノプロピオン酸などである。
【０１５１】
本発明の組成物に使用するために適切な両性イオン性界面活性剤としては、脂肪族四級アンモニウム、ホスホニウムおよびスルホニウム化合物の誘導体として幅広く記載されるものが挙げられ、ここで、脂肪族ラジカルは、直鎖でも分枝鎖でもよく、脂肪族置換基の一つは、約８個〜約１８個の炭素原子を含み、そして、別の置換基は、アニオン性水可溶性基（例えば、カルボキシ、スルホネート、ホスフェート、ホスホネートなど）を含む。両性イオンのクラスとしては、アルキルアミノスルフォネート、アルキルベタイン、およびアルキルアミドベタイン（例えば、ステアラミドプロピルジメチルアミン、ジエチルアミノエチルステアラミド、ジメチルステアラミン、ジメチルダイズアミン、ソイアミン、ミリスチルアミン、トリデシルアミン、エチルステアリルアミン、Ｎ−タロウプロパンジアミン、エトキシル化（５モルエチレンオキシド）ステアリルアミン、ジヒドロキシエチルステアリルアミン、アラキジルベヘニルアミンなど）が挙げられる。いくつかの適切なベタイン界面活性剤としては、アルキルベタイン、アルキルアミドプロピルベタイン、アルキルスルホベタイン、アルキルグリシネート、アルキルカルボキシグリシネート、アルキルアンフォプロピオネート、アルキルアミドプロピルヒドロキシスルテイン、アシルタウレート、およびアシルグルタメートが挙げられるが、これらに限定されず、ここで、アルキル基およびアシル基は、８〜１８個の炭素原子を有する。好ましい両性界面活性剤の非限定的な例としては、コカミドプロピルベタイン、ココアンフォ酢酸ナトリウム、コカミドプロピルヒドロキシスルテインおよびココアンフォプロピオン酸ナトリウムが挙げられここで、皮膚および毛髪に対してマイルドなタイプの洗浄剤が特に適している。
【０１５２】
予め酸膨潤するか、もしくは水膨潤したカチオン性会合性ポリマー、またはカチオン性会合性ポリマーを含有する処方物のいずれかにｐＨ調整剤を添加し得る。従って、ｐＨ調整剤は、最終組成物中で所望のｐＨ値を得るために、任意の必要な量で使用され得る。アルカリ性ｐＨ調整剤の非限定的な例としては、アルカリ金属水酸化物（例えば、水酸化ナトリウムおよび水酸化カリウム）水酸化アンモニウム）；有機塩基（例えば、トリエタノールアミン、ジイソプロピルアミン、ドデシルアミン、ジイソプロパノールアミン、アミノメチルプロパノール、コカミン、オレアミン、モルホリン、トリアミルアミン、トリエチルアミン、トロメタミン、（２−アミノ−２−ヒドロキシメチル）−１，３−プロパンジオール）およびテトラキス（ヒドロキシプロピル）エチレンジアミン）；および無機酸のアルカリ金属塩（例えば、ホウ酸ナトリウム（ホウ砂）、リン酸ナトリウム、ピロリン酸ナトリウム、など）、ならびにこれらの混合物が挙げられる。酸性ｐＨ調整剤は、有機酸（アミノ酸を含む）および無機酸であり得る。酸性ｐＨ調整剤の非限定的な例としては、酢酸、クエン酸、フマル酸、グルタミン酸、グリコール酸、塩酸、乳酸、硝酸、リン酸、重硫酸ナトリウム、硫酸、酒石酸など、およびこれらの混合物が挙げられる。
【０１５３】
本発明のポリマーは、増粘剤、フィルム形成体、または染料の毛髪および皮膚への沈着を促進するための染料懸濁剤もしくは色素懸濁剤として使用され得る。毛髪に対する染料は、一時的、半永久的、または永久的な毛髪染料、または毛髪を徐々に着色する色修復剤であり得る。一時的な毛髪染料および半永久的な毛髪染料は、代表的にはリンス、ジェル、スプレー、シャンプー、スティックなどであり、毛髪色修復剤は、代表的には、整髪料またはエマルションの形態である。永久毛髪染料、および長く持続する半永久的毛髪染料は、一般的に、二つの部分の製剤であり、一つの部分は、酸化染料中間体および発色剤を含み、そして他の部分は、安定化酸化剤（通常は、約ｐＨ３〜４の過酸化水素）を含み、これらは、使用の直前に一緒に混合される。このような二つの部分の毛髪染料製剤は、色素混合物を調製する場合に、粘性を高くするために、界面活性剤原料（通常は、非イオン性界面活性剤またはアニオン性界面活性剤）と組み合わせて処方化されることは、公知である。先の参考文献に加えて、毛髪染料化学および組成物の一般的な考察は、Ｂｒｏｗｎら、ＳＣＣ  Ｍｏｎｏｇｒａｐｈ、「Ｐｅｒｍａｎｅｎｔ  Ｈａｉｒ  Ｄｙｅｓ」、Ｓｏｃｉｅｔｙ  ｏｆ  Ｃｏｓｍｅｔｉｃ  Ｃｈｅｍｉｓｔｓ（１９９６）中に記載され、これは、本明細書中に参考として援用される。本発明のポリマーは、このような毛髪染料系の二つの部分の一つまたは両方に組み込まれ得、酸性で安定した酸化部分に対する増粘剤として、または酸性部分と混合する際に増粘される非酸化部分中に組み込まれ得る。
【０１５４】
上で考察した成分に加えて、抗にきび製剤、顔面および身体の毛髪の脱色剤ならびに消毒剤に一般的に使用される他の成分としては、酸化剤（例えば、過酸化水素、過酸化ベンゾイル、および水溶性無機過硫酸化合物（例えば、過硫酸アンモニウム、過硫酸カリウム、および過硫酸ナトリウム））が挙げられる。
【０１５５】
本発明のポリマーは、特に、水不溶性（疎水性）油性原料（例えば、天然油および合成油、脂肪およびワックス（例えば、植物油、動物油および脂肪）、パラフィン油およびパラフィンワックス、シリコーンオイルおよびシリコーンワックスなど）に対する乳化補助剤として特に有用である。多数の油性原料が、ヘアケア製品およびスキンケア製品中で、溶媒、キャリア、軟化剤、またはコンディショニング剤として使用される。
【０１５６】
本発明のポリマーは、驚くべきことに、液体シリコーンの有用な安定化剤であり、一般的に、シャンプー製品、例えば、いわゆる「２  ｉｎ  １」組合せクレンジング／コンディショニングシャンプーに使用され得る。液体シリコーンは、一般的に、アルキルシロキサンポリマーとして記載される。最も一般的なクラスのシリコーンポリマーは、一般的化学式ＣＨ３−（Ｓｉ（ＣＨ３）２−Ｏ）ｗ−Ｓｉ（ＣＨ３）３を有する直鎖状ポリジメチルシロキサンであり、ここで、ｗは、２より大きい整数を意味する。シリコーンは、分枝状原料でもよく、ここで、ポリマー中の一つ以上のアルキル基は、分枝点をつくるために、酸素で置換される。液体シリコーンは代表的に、数ｍＰａ・ｓ〜数十万ｍＰａ・ｓの範囲の粘度を有する水不溶性油である。
【０１５７】
ヘアケア製品に使用するために特に有用なクラスのシリコーンは、例えば、米国特許第４，９０２，４９９号に記載される（これは、本明細書中に参考として援用される）いわゆる硬いシリコーン（ｒｉｇｉｄ  ｓｉｌｉｃｏｎｅ）（また、シリコーンゴムとしても公知である）であり、これは、一般に、約６００，０００ｍＰａ・ｓより高い粘度（約２０℃で）を有し、固有粘度測定によって測定した場合、少なくとも約５００，０００ダルトンの平均分子量を有する。本発明のポリマーは、驚くべきことに、硬いシリコーンコンディショニング剤を含有する２  ｉｎ  １タイプのシャンプー処方物を安定化させるために有効である。
【０１５８】
本発明のポリマーと組み合わせて特に有用であるシリコーン原料の別のクラスは、揮発性シリコーンであり、多くの場合、ヘアケア製品（例えば、シャンプー）中で潤滑剤として使用される。揮発性シリコーンとしては、環状ポリメチルシロキサンおよび直鎖状ポリメチルシロキサンなどが挙げられる。環状揮発性シリコーンは、代表的に、環状輪構造中に、酸素原子で交代する約３〜約７個のケイ素原子を含む。各シリコーン原子はまた、二つのアルキル基、代表的にはメチル基で置換される。直鎖揮発性シリコーンは、上に定義されるとおりの液体シリコーンであり、約２５ｍＰａ・ｓ以下の粘度を有する。揮発性シリコーンの記載は、  ＴｏｄｄおよびＢｙｅｒｓ、「Ｖｏｌａｔｉｌｅ  Ｓｉｌｉｃｏｎｅ  Ｆｌｕｉｄｓ  ｆｏｒ  Ｃｏｓｍｅｔｉｃｓ」、  Ｃｏｓｍｅｔｉｃｓ  ａｎｄ  Ｔｏｉｌｅｔｒｉｅｓ、Ｖｏｌ．９１（１）、ｐｐ．２７−３２（１９７６）、およびＫａｓｐｒｚａｋ、「Ｖｏｌａｔｉｌｅ  Ｓｉｌｉｃｏｎｅｓ」、Ｓｏａｐ／Ｃｏｓｍｅｔｉｃｓ／Ｃｈｅｍｉｃａｌ  Ｓｐｅｃｉａｌｉｔｉｅｓ、ｐｐ．４０−４３（Ｄｅｃｅｍｂｅｒ  １９８６）中に見出され、それぞれは、参考として本明細書中に援用される。
【０１５９】
他のシリコーンオイルとしては、ジメチコンコポリオールが挙げられ、これは、ジメチルシロキサン（ジメチコン）およびアルキレンオキシドの直鎖状または分枝状のコポリマーである。ジメチコンポリオールは、ランダムコポリマーまたはブロックコポリマーであり得る。一般に有用なクラスのジメチコンポリオールは、ポリジメチルシロキサンのブロックを有するブロックコポリマーおよびポリアルキレンオキシドのブロックを有するブロックコポリマー（例えば、ポリエチレンオキシドのブロックを有するコポリマー、ポリプロピレンオキシドのブロックを有するコポリマー）または、これら両方である。液体シリコーン（揮発性シリコーンを含む）、シリコーンゴム、およびシリコーンコポリマーは、種々の商業的供給源（例えば、Ｄｏｗ  Ｃｏｒｎｉｎｇ、Ｇｅｎｅｒａｌ  Ｅｌｅｃｔｒｉｃ  Ｃｏｍｐａｎｙ、およびＮｏｖｅｏｎ，Ｉｎｃ．）から入手可能である。
【０１６０】
本発明のポリマーと組み合わせて有用である他の油状原料としては、例えば、アセチル化ラノリンアルコール；ラノリンアルコール濃縮物；ラノリン脂肪酸のエステル（例えば、ラノリン脂肪酸のイソプロピルエステル）；ポリオール脂肪酸エトキシル化アルコール（例えば、エトキシレートおよびヒマシ油）；ステロール；ステロールエステル；ステロールエトキシレート；ならびに類似物質挙げられる。多数のこのようなエステルおよびエトキシレートはまた、非イオン界面活性剤として有用である。
【０１６１】
多数の成分が、当該分野で、毛髪または皮膚に対するコンディショニング剤および湿潤剤として公知であり、そして、これまでに議論したものに加えて非限定的な例としては、ＰＣＡ（ＤＬ−ピロリドンカルボン酸）およびその塩（例えば、リジンＰＣＡ、アルミニウムＰＣＡ、銅ＰＣＡ、キトサンＰＣＡなど）、アラントイン；尿素；ヒアルロン酸およびその塩；セラミド；ソルビン酸およびその塩；糖およびデンプンおよびそれらの誘導体；ラクトアミドＭＥＡなどが挙げられる。
【０１６２】
以下の実施例はさらに、調製物および好ましい実施形態の使用を説明するが、これらに限定することを意図しない。
【０１６３】
（材料および手順）
材料は、一般に、化学分野の当業者に公知である化学卸売業者、または示された供給業者から市販される。
【０１６４】
（１．材料の略語および商品名）
ＥＡ            アクリル酸エチル
ＤＭＡＥＭＡ    ２−（Ｎ，Ｎ−ジメチルアミノ）エチルメタクリレート
ＤＥＡＥＭＡ    ２−（Ｎ，Ｎ−ジエチルアミノ）エチルメタクリレート
ＴＢＡＥＭＡ    ２−（ｔｅｒｔ−ブチルアミノ）エチルメタクリレート
ＤＭＡＰＭＡｍ  ２−（Ｎ，Ｎ−ジメチルアミノ）プロピルメタクリルアミド
ＤＭＡＮＰＡ    ２−（Ｎ，Ｎ−ジメチルアミノ）ネオペンチルアクリレート
ＴＭＣＨＭＡ    ３，３，５−トリメチルシクロヘキシルメタクリレート
ＭＭＡ          メチルメタクリレート
ＢＥＭ２５      ベヘネス−２５メタクリレート
ＣＣＥＭ２５    コレスー２５メタクリレートおよびセテスー２５メタクリレートの約１：１混合物
ＬＥＭ２３      ラウレスー２３メタクリレート
ＴＥＭ２５      トリスチリルフェノールエトキシル化（２５）メタクリレート
ＣＳＥＭ２５    セテアレスー２５メタクリレート
ＨＥＭＡ        ２−ヒドロキシエチルメタクリレート
ＥＯＢＤＭＡ    エトキシル化（３０）ビスフェノールＡジメタクリレート
ＴＥＧＤＭＡ    トリエチレングリコールジメタクリレート
Ｒ３０７        実験に基いた化学式ＣＨ２＝ＣＨ−Ｏ（ＣＨ２）４Ｏ（Ｃ３Ｈ６Ｏ）４（Ｃ２Ｈ４Ｏ）３０Ｈを有する無作為にエトキシル化／プロポキシル化された１，４−ブタンジオールビニルエーテル（ＥＭＵＬＳＯＧＥＮ（登録商標）Ｒ３０７、Ｃｌａｒｉａｎｔ  Ｃｏｒｐｏｒａｔｉｏｎ）
ＲＡＬ３０７    実験に基いた化学式ＣＨ２＝ＣＨＣＨ２Ｏ（Ｃ３Ｈ６Ｏ）４（Ｃ２Ｈ４Ｏ）３０Ｈを有する無作為にエトキシル化／プロポキシル化されたアリルエーテル（ＥＭＵＬＳＯＧＥＮ（登録商標）ＲＡＬ３０７、Ｃｌａｒｉａｎｔ  Ｃｏｒｐｏｒａｔｉｏｎ）
Ｒ２０８        実験に基いた化学式ＣＨ２＝ＣＨ−Ｏ（ＣＨ２）４Ｏ（Ｃ３Ｈ６Ｏ）４（Ｃ２Ｈ４Ｏ）２０Ｈを有する無作為にエトキシル化／プロポキシル化された１，４−ブタンジオールビニルエーテル（ＥＭＵＬＳＯＧＥＮ（登録商標）Ｒ２０８、Ｃｌａｒｉａｎｔ  Ｃｏｒｐｏｒａｔｉｏｎ）
Ｃ８９７        ＨＬＢ１８を有すると報告されるエトキシル化オクチルフェノール、ＩＮＣＩ名オクトキシノール−４０（ＩＧＥＰＡＬ（登録商標）ＣＡ−８９７、Ｒｈｏｄｉａ，Ｉｎｃ．）
Ｐ−３８        ＨＬＢ１９を有すると報告されるエトキシル化（２７）セテアリルアルコール、ＩＮＣＩ名セテアレス−２７（ＰＬＵＲＡＦＡＣ（登録商標）Ａ−３８、ＢＡＳＦ  Ｃｏｒｐ．）
Ｐ−３９        ＨＬＢ２４を有すると報告されるエトキシル化（５５）セテアリルアルコール、ＩＮＣＩ名セテアレス−５５（ＰＬＵＲＡＦＡＣ（登録商標）Ａ−３９、ＢＡＳＦ  Ｃｏｒｐ．）
Ｅ４０７        アルコール単位あたり４０個のエチレンオキシド単位を有する二次Ｃ１１エトキシレート（ＥＭＵＬＳＯＧＥＮ（登録商標）ＥＰＮ４０７、Ｃｌａｒｉａｎｔ
Ｃｏｒｐ．）
Ｆ１２７        エチレンオキシドとＨＬＢ２２および化学式：ＨＯ（Ｃ２Ｈ４Ｏ）９８（Ｃ３Ｈ６）６７（Ｃ２Ｈ４Ｏ）９８Ｈ（ＰＬＵＲＯＮＩＣ（登録商標）Ｆ１２７、ＢＡＳＦ  Ｃｏｒｐ．）を有すると報告されるプロピレンオキシドとのブロックコポリマー
Ｌ−３５        エチレンオキシドとＨＬＢ１９および化学式：ＨＯ（Ｃ２Ｈ４Ｏ）１１（Ｃ３Ｈ６）１６（Ｃ２Ｈ４Ｏ）１１Ｈ（ＰＬＵＲＯＮＩＣ（登録商標）、Ｌ３５、ＢＡＳＦ  Ｃｏｒｐ．）を有すると報告されるプロピレンオキシドとのブロックコポリマー
Ｘ１００５      エトキシル化（１００）イソトリデシルアルコール（ＧＥＮＡＰＯＬ（登録商標）Ｘ１００５、Ｃｌａｒｉａｎｔ  Ｃｏｒｐ．）
Ａ５０６０      エトキシル化（５０）直鎖状脂肪アルコール（ＤＩＳＰＯＮＩＬ（登録商標）Ａ５０６０、Ｃｏｇｎｉｓ）
ＡＭＨＥＣ      アリル改変ヒドロキシエチルセルロース粉末（＜１８０μｍ）（ＴＹＬＯＳＥ（登録商標）ＡＭ  Ｈ４０  ＹＰ２；Ｃｌａｒｉａｎｔ  Ｃｏｒｐ．）
（２．方法）
（Ａ．粘度）  組成物を含む各ポリマーの報告された粘度は、１分間当たり２０回転（ｒｐｍ）で、約２０〜約２５℃の周囲の室温で、Ｂｒｏｏｋｆｉｅｌｄ回転軸粘度計（Ｂｒｏｏｋｆｉｅｌｄ、モデルＲＶＴ）を使用して（Ｂｒｏｏｋｆｉｅｌｄ粘度を参照のこと）、ミリ−パスカル秒（ｍＰａ・ｓ）で測定された。
【０１６５】
他に示されない場合、「薄いまたは低粘度」とは、代表的に、注ぎ可能であることをいい、約１，０００ｍＰａ・ｓまでの粘度を有する柔らかい生成物をいい；「中程度の粘度」とは、約１，０００ｍＰａ・ｓ〜約３，０００ｍＰａ・ｓの範囲の粘度を有する生成物をいい；「高粘度」とは、３，０００〜約１０，０００ｍＰａ・ｓの範囲の粘度を有する生成物をいい、そして、「ジェル」は、他にしめされない限り、１０，０００ｍＰａ・ｓより高い粘度を有する生成物をいう。
【０１６６】
（Ｂ．透明度）  報告される場合、ポリマー含有組成物の透明度を、組成物が作られた後、少なくとも約２４時間で、Ｂｒｉｎｋｍａｎｎ  ＰＣ９２０色彩計によって、％Ｔ（透過率）で測定した。透明度の測定を、脱イオン水（１００％の透明度の評価）に対して行なった。約６０％以上の透明度を有する組成物は、実質的に透明であり；約４５〜５９％の範囲の透明度を有する組成物は、実質的に半透明であると判断した。
【０１６７】
（Ｃ．濁度）  報告される場合、ポリマー含有組成物の濁度を、標準として蒸留水（ＮＴＵ＝０）を用いて、比濁分析濁度計を使用して、比濁分析度度濁度単位（ＮＴＵ）で測定した。約９０以上のＮＴＵ値を有する組成物を、濁っていると判断した。
【０１６８】
（Ｄ．粒子サイズ）  ポリマーエマルションの粒子サイズを、ＮＩＣＯＭＰ（登録商標）３７０自動希釈サブミクロン粒子サイズ分析計（Ｐａｒｔｉｃｌｅ  Ｓｉｚｉｎｇ  Ｓｙｓｔｅｍｓ、Ｓａｎｔａ  Ｂａｒｂａｒａ、ＣＡ）を使用して、ナノメーター（ｎｍ）で、製造者の推奨する手順に従って測定し、そのデータを５０％体積に対して記録した。
【０１６９】
（Ｅ．安定性）  処方化した組成物のポリマー生成物エマルションの安定性を、一つ以上の以下の手順によって評価した。
【０１７０】
（１．凍結／解凍周期）  試験製剤の約２０ｇのサンプルを、サンプルを約−１２℃の温度で約１６時間凍結させ、次いで、約２６℃の温度で約８時間解凍することによる、少なくとも１回の凍結／解凍（Ｆ／Ｔ）周期に供する。次いで、このサンプルを相分離に関して、外観で評価した。エマルションがクリーム状を示す場合、または流動性にマイナスに影響する粘度の増加を示す場合、Ｆ／Ｔ試験は、不合格であった。５回のＦ／Ｔサイクルを通して、実質的に変化せずに、残っている製剤を非常に安定であると判断した。
【０１７１】
（２．棚保存）  試験製剤のサンプルを一つ以上の以下の温度で保存した：ａ）約２０℃〜約２５℃の範囲の室温で、少なくとも１週間〜約６ヶ月までの期間；ｂ）乾燥器で加温して、約５℃〜約４５℃の範囲（他に示されない場合）の選択した温度で、約５週間までの期間（加速経時保存）
目に見える沈殿について保存サンプルの外観を定期的に観察することにより、または以下の実施例で示したような選択した間隔で測定した測定可能なＢｒｏｏｋｆｉｅｌｄ粘度の目立った増加により、安定性を測定した。室温保存では、このサンプルを、一週間、毎日視覚的に確認し、約２ヶ月の保存期間全体にわたって、隔週で確認し、その後、約６ヶ月までの保存期間全体にわたって月に一度確認した。いずれの保存温度下でも、ａ）沈殿が確認されなかった場合、または、ある程度の沈殿は生じるが、サンプルの総体積の約２％以下であった場合、そしてｂ）粘度が増加しない場合、または増加が生じるが、その増加が約１０００ｍＰａ・ｓ以下である場合に、組成物を安定と判断した。
【０１７２】
（Ｅ．高湿度カール保持（ＨＨＣＲ））
ポリマーの毛髪セッティング効力を、水を吸収した後の毛髪にセットされたカールを保持するその能力によって、適用した組成物からおよび周囲の雰囲気から、高湿度（相対湿度（ＲＨ）約９０％）で、高湿度カール保持（ＨＨＣＲ）と一般に呼ばれる周知の技術を使用して測定した。ＨＨＣＲ方法論の記載は、化粧品の文献で容易に見出される。例えば、Ｃｈ．３０，Ｈａｒｒｙ’ｓ  Ｃｏｓｍｅｔｉｃｏｌｏｇｙ，第８版，Ｍ．Ｊ．Ｒｉｅｇｅｒ，Ｐｈ．Ｄ．（編），６６６−６６７，Ｃｈｅｍｉｃａｌ  Ｐｕｂｌｉｓｈｉｎｇ
Ｃｏ．，Ｉｎｃ．，Ｎｅｗ  Ｙｏｒｋ，ＮＹ（２０００）、およびＤｉａｚら，Ｊ．Ｓｏｃ．Ｃｏｓｍｅｔ．Ｃｈｅｍ．，３４，２０５−２１２（１９８３年７月）、これらの関連する開示は、本明細書中で参考として援用される。
【０１７３】
市販の混合白人未処理（未使用）ヒト毛髪の束を、天然の茶色または黒色の欧州人毛髪（Ｉｎｔｅｒｎａｔｉｏｎａｌ  Ｈａｉｒ  Ｉｍｐｏｒｔｅｒｓ  ａｎｄ  Ｐｒｏｄｕｃｔｓ  Ｉｎｃ．，Ｎｅｗ  Ｙｏｒｋ．より供給される）を使用して調製した。各毛髪の束（約３ｇの重量）は、長さ約７インチ（約１８ｃｍ）であり、これを、頭皮（生え際）末端部分に糊付けした。使用前に、各毛髪の束を、室温で、希釈したラウリル硫酸ナトリウム水溶液（１０％  ＳＬＳ）で洗浄し、その後脱イオン水で濯ぎ、そしてタオルで吸い取って乾かすことによって、事前洗浄した。最初の髪の伸長した長さ（Ｌｅ）を測定した。評価するポリマー含有組成物を約０．８ｇ、毛髪の束に適用し、頭皮から末端部分まで均一に分散させた。次いで、この毛髪の束を約３ｃｍの外径を有するヘアカーラーの周りに巻きつけ、そしてカーラーの上で一晩、約２１〜約２３℃の室温で乾燥させた。乾燥後、カーラーを丁寧に除去し、毛髪形状を１つのカールのままにし、毛髪カールの最初の長さ（Ｌｉ）を測定し、そしてカールした毛髪の束を、約２６〜約２７℃の室温および約９０％  ＲＨの高い環境湿度に設定した湿潤室内に、垂直に吊るした。
【０１７４】
湿度への曝露の選択された間隔の後にカールが伸びたときの、毛髪カールの長さ（Ｌｔ）を測定することにより、カール保持（ＨＨＣＲ）百分率を決定した。以下の等式は、初期カール長さ（Ｌｉ）およびカールする前の完全に伸ばした長さ（Ｌｅ）に関連して、カール保持百分率を計算するために使用される。
【０１７５】
【化７】
0004482452.tif 000004
カール長さの変化（下垂した螺旋構造）を定期的に測定し、そして約４〜約２４時間の範囲の期間にわたってモニターし、最終測定は、約２４時間後に行った。約９０％  ＲＨでの約０．７５時間の最小時間についての約７０％以上のカール保持（ＨＨＣＲ）が、よい高湿度抵抗の従来的基準である。少なくとも１．２５時間〜約３時間で約７０％の毛髪セッティング力価（すなわち、ＨＨＣＲ）は、非常によいと評価され、そしてＨＨＣＲは、少なくとも３時間以上の時間の後で、約７０％を越え、素晴らしいとの評価を受けた。５０％以下のＨＨＣＲを、弱いと評価した。
【０１７６】
（実施例１．ポリマー）
表２中のポリマーＡとして同定したカチオン酸膨張会合性ポリマーを、上述し、かつ以下にさらに詳細に説明した一般的手順に従って調製した。
【０１７７】
モノマー乳濁液を、約７重量部のＣ８９７非イオン性界面活性剤および約０．３重量部のラウリル硫酸ナトリウム（３０％）アニオン性界面活性剤を含む約３５０重量部の水を含む反応器への、約５６重量部のエチルアクリレート、約３７重量部のＤＭＡＥＭＡ、約２重量部のＨＥＭＡ、約３重量部のＢＥＭ２５、約２重量部のＲ２０８および約０．１５重量部のＴＥＧＤＭＡの、添加、および混合撹拌により、調製した。得られた混合物を、約３０℃〜約４０℃の室温で、窒素雰囲気下で、乳濁液が得られるまで撹拌した（約２００ｒｐｍ）。次いで、約３重量部の水中約０．１５重量部の過硫酸ナトリウムの溶液を、モノマー乳濁液中に添加し、混合懸濁し、ポリマー化反応を開始した。反応混合物の温度を、約６０℃〜約６２℃の範囲で、開始剤の添加後約２．５時間維持した。開始剤のさらなる量を、約０．５時間添加し、１．５時間後に反応を開始した（開始剤の各さらなる量について、約３．５重量部の水中約０．０２重量部の過硫酸ナトリウム添加した）。
【０１７８】
得られたポリマー乳濁液を、約４４℃〜約４６℃の範囲の温度まで、約４５分間にわたって冷却し、そして酸化溶液を、反応混合物に２部に分けて１時間の間隔をおいて添加した。各酸化（酸化還元）溶液は、９重量部の水中に、ｔ−ブチルヒドロペルオキシド（７０％）、約０．０１５重量部のラウリル硫酸ナトリウム（３０％）および約０．１５重量部のメタ重亜硫酸ナトリウムを含んだ。
【０１７９】
次いで、ポリマー乳濁液を室温まで冷却し、反応器から取り出し、瓶詰めし、そして室温の不活性雰囲気下で保存した。得られたポリマー乳濁液（ポリマーＡ）は、約２１重量％の総ポリマー固体を有し、約８．３のｐＨ、および約３２ｍＰａ・ｓの粘度を有した。残留エチルアクリレートモノマーの濃度は、約１．２ｐｐｍ未満であり、そして残留ＤＭＡＥＭＡは、約９ｐｐｍ未満であった。
【０１８０】
比較ポリマーであるＣＰ−１、ＣＰ−２、ＣＰ−３、ＣＰ−４およびＣＰ−５は、表１に示すモノマー成分および界面活性剤を有する。そして、本発明のアニオン性会合性ポリマーであるポリマーＢ〜ＹおよびＡＡ−ＡＴは、それぞれ表２および表２Ａに示すモノマー化合物および界面活性剤を有し、これらを、上記ポリマーＡの調製の一般的方法に従って調製した。各モノマー型および界面活性剤の量を、必要な場合調整し、表１、表２および表２Ａに列挙したモノマー重量％値および界面活性剤重量％値を、達成した。表中の全てのモノマー％値は、総モノマー混合物重量に基づく重量％である；全ての界面活性剤％値は、総乳濁液重量（すなわち、全てのモノマー、添加物、界面活性剤および水の合わせた重量）に基づく。
【０１８１】
全ての乳濁液を、総乳濁物重量に基づき、少なくとも約１５重量％、約２０重量％までの範囲の活性ポリマー濃度で調製した。
【０１８２】
ポリマー乳濁液ＣＰ−１およびＣＰ−２（表１）および乳濁物Ｂ、Ｃ、Ｄ、ＥおよびＦ（表２）はまた、約２．５重量％（総乳濁液重量ベース）のプロピレングリコールを、乳化助剤として含む。
【０１８３】
表１、表２および表２Ａにおいて、ＡＳＶ＝アミノ置換ビニル；ＨＮＶ＝疎水性非イオン性ビニル、ＡＶ＝会合性ビニルである；そして表２および表２Ａにおいて、Ｍｏｎ．＝モノマー；およびＳＶＳ＝半疎水性ビニル界面活性剤である。
【０１８４】
（表１．比較酸性ポリマー乳濁液）
【０１８５】
【表１】
0004482452.tif 000005
（表２．カチオン性会合性ポリマー乳濁液）
【０１８６】
【表２−１】
0004482452.tif 000006
（表２Ａ．カチオン性会合性ポリマー乳濁液）
【０１８７】
【表２−２】
0004482452.tif 000007
ポリマーの調製後、生成乳濁液を分析して、ｐＨ、ポリマー含量に基づく総固体の百分率、Ｂｒｏｏｋｆｉｅｌｄ粘度（スピンドル番号２、２０ｒｐｍ、室温）および粒子サイズ（ｎｍ）を決定した。未中和生成ポリマー乳濁物は、一般に、約ｐＨ７．５〜約９の範囲のｐＨ：約１５〜約２５重量％の範囲の総固体；約１０〜約１００ｍＰａ・ｓのＢｒｏｏｋｆｉｅｌｄ粘度、および約８０ｎｍ〜約２６０ｎｍの範囲の平均粒子サイズを有した。
【０１８８】
表２に示すカチオン性会合性ポリマーの生成乳濁液は、安定なままであり（５  Ｆ／Ｔの周期の研究に基づく）、そして室温で約５ヶ月での棚での保存は、安定である。上述のカチオン性会合性ポリマー乳濁液の粘度は、約５週間約４５℃の温度で保存して、安定なままであり、いかなる粘度の上昇も、約１００ｍＰａ・ｓより高くはならない。
【０１８９】
対照的に、表１に示す比較カチオン性ポリマー（すなわち、ＳＶＳモノマーを有さない）の生成乳濁液の乳濁液の安定性は、いずれも乏しく、すなわち、室温で２ヶ月未満である（ＣＰ−１、ＣＰ−２およびＣＰ−５）か、またはこれらの生成物は、あまりに凝集したので、測定不能であると判断された（ＣＰ−３およびＣＰ−４）。
【０１９０】
（実施例２．カチオン性塩適合性）
この実施例は、表２のポリマーＨ、ＸおよびＹ（カチオン性４級アンモニウム塩である塩化セチルトリメチルアンモニウム（ＩＮＣＩ名称  塩化セトリモニウム、本明細書中では簡略にＣＴＡＣと呼ぶ）を含む）を除き、Ｂｒｏｏｋｆｉｅｌｄ粘度および濁度（ＮＴＵ）に基づき、実施例１のカチオン性会合性ポリマーの全ての適合性を示す。カチオン性会合性ポリマー（以下に示す）を含有する水性組成物を、約２％の活性ポリマー重量濃度で、そして約０．５重量％、１重量％および１．５重量％の量（活性重量ベース）のＣＡＴＣで、調製した。決定される粘度および濁度の値を、以下の表３、表３Ａ、表３Ｂおよび表３Ｃに示す。
【０１９１】
（表３）
【０１９２】
【表３−１】
0004482452.tif 000008
（表３Ａ）
【０１９３】
【表３−２】
0004482452.tif 000009
（表３Ｂ）
【０１９４】
【表３−３】
0004482452.tif 000010
（表３Ｃ）
【０１９５】
【表３−４】
0004482452.tif 000011
全ての水性カチオン性会合性ポリマー組成物は、滑らかな手触りであり、そして流動性を有した。対照的に、表１、実施例１に示されるＣＰ−１を、２％の活性ポリマー重量濃度で使用して調製される水性組成物は、ＣＴＡＣなしで約５０，４００ｍＰａ・ｓ、０．６％  ＣＴＡＣで約５７，４００ｍＰａ・ｓ、１．２％ＣＴＡＣで約２８，０５０ｍＰａ・ｓ、１．５％ＣＴＡＣで２８，３００ｍＰａ・ｓのＢｒｏｏｋｆｉｅｌｄ粘度を有し、凝集した、糊状の手触りを有した。同様に、ＣＰ−２を含有する組成物もまた、凝集して糊状であった。
【０１９６】
ポリマーＩ、Ｊ、Ｋ、Ｌ、Ｍ、Ｎ、Ｏ、Ｐ、Ｑ、Ｒ、ＳおよびＴでの評価に基づき、１．５％  ＣＴＡＣを含有する組成物のＢｒｏｏｋｆｉｅｌｄ粘度は、室温で約２４時間にわたって実質的に不変であり続ける。
【０１９７】
（実施例２Ａ．）
この実施例は、モノマーおよび界面活性剤の適切な選択による種々の粘度の、実質的に透明な水性組成物を提供するためのカチオン性会合性ポリマーの有用性を説明する。
【０１９８】
表３、実施例２に示されるように、水中２％の活性ポリマー重量で、カチオン性会合性ポリマーである、ポリマーＡ〜Ｃ、Ｅ〜ＱおよびＳ〜Ｗ生成ゲルは、約１２，１００ｍＰａ・ｓ〜約３１，３５０ｍＰａ・ｓの範囲のＢｒｏｏｋｆｉｅｌｄ粘度を有し、ポリマーＤおよびＲは、それぞれ約７，６００ｍＰａ・ｓおよび８，６８０ｍＰａ・ｓの、高いＢｒｏｏｋｆｉｅｌｄ粘度を有する。
【０１９９】
水中２％の活性ポリマー重量で、表２、実施例１に示すポリマーＨ、ＸおよびＹを、それぞれ、約６，４００ｍＰａ・ｓ、ならびに約３１，８００ｍＰａ・ｓのゲルおよび１８，９００ｍＰａ・ｓゲルの、高いＢｒｏｏｋｆｉｅｌｄで提供した。
【０２００】
同様に、水中２％の活性ポリマー重量で、ポリマーＡＡ〜ＡＨ、ＡＪ〜ＡＮ、およびＡＰ〜ＡＲ（表２Ａ、実施例１に列挙する）を、約１０，３００ｍＰａ・ｓ〜約３０，７００ｍＰａ・ｓの範囲のＢｒｏｏｋｆｉｅｌｄ粘度を有する、実質的に透明なゲルで提供した。ポリマーＡＩおよびポリマーＡＯ（表２Ａ、実施例１に列挙する）を、水中２％活性ポリマー重量で、それぞれ約２，５３０ｍＰａ・ｓ〜約８，８００ｍＰａ・ｓの範囲の中程度Ｂｒｏｏｋｆｉｅｌｄ粘度で提供する。ポリマー安定剤（例えば、ＡＭＨＥＣ）を含むポリマー乳濁液（ポリマーＡＬおよびＡＭ、表２Ａに列挙する）は、よく滑る特性を有する滑らかなゲルを生成した。
【０２０１】
水性カチオン性会合性ポリマー（ポリマーＡＤ〜ＡＧ）についてのＮＴＵ値は、約１２〜約３１の範囲であった。水性カチオン性会合性ポリマー（ポリマーＹ、ＡＡ〜ＡＣ、およびＡＨ〜ＡＲ）の透明さは、約７０％（ポリマーＡＨ）〜約９３％  Ｔ（ポリマーＹ）の範囲である。
【０２０２】
高い粘度を有する実質的に透明なゲルは、カチオン性会合性ポリマーの量の増加によって得られた。例えば、ポリマーＡＱまたはポリマーＡＲの３％活性ポリマー重量で、粘度はそれぞれ、約４４，４００ｍＰａ・ｓおよび６１，５００ｍＰａ・ｓまで上昇し、かつ透明度は、実質的に変化しない（％  Ｔは、約８５〜約８８％の範囲であった）。３％活性ポリマー重量でのポリマーＡＲの粘度は、約１０％エタノールを含むことにより、約４２，５００ｍＰａ・ｓに低下し、透明度が低下することはない（％  Ｔは約８９）。
【０２０３】
（実施例３．）
この実施例は、カチオン性会合性ポリマーである実施例１のポリマーＡの、種々の活性重量％濃度の種々のカチオン性４級アンモニウム塩で、表４に示す水溶液中での適合性を、説明する。適合性を、それぞれ方法ＡおよびＢで記載したように、Ｂｒｏｏｋｆｉｅｌｄ粘度および透明度（％  Ｔ）によって決定した。表４に示す全ての組成物は、容易に分離され得、そして流動性を有し、美学的に美しく、滑らかな手触りで、粒子の塊を有さない。
【０２０４】
【表４】
0004482452.tif 000012
注釈１．    オレイルジメチルベンジル塩化アンモニウムについてのＩＮＣＩ名。
【０２０５】
注釈２．    ＩＮＣＩ名、パルミタミドプロピル塩化トリモニウム；およびＰＰＧ−３ミリスチルエーテルおよびＤｅｇｕｓｓａ  Ｃａｒｅ  Ｓｐｅｃｉａｌｉｔｉｅｓによるトリメチルペンタノールヒドロキシエチルエーテル固体を有する混合物についての商標名。
【０２０６】
注釈３．    ヒドロキシエチルセルロースおよびジアリルジメチル塩化アンモニウムについての商標名（例えば、Ｎａｔｉｏｎａｌ  ＳｔａｒｃｈによるＣＥＬＱＵＡＴ（商標登録）Ｈ−１００、固体）。
【０２０７】
注釈４．    ＩＮＣＩ名化合物、グアール（Ｇｕａｒ）ヒドロキシプロピル塩化トリモニウムについてのＲｈｏｎｅ−Ｐｏｕｌｅｎｃの商標登録。
【０２０８】
注釈５．    ジステアリルジメチル塩化アンモニウムについてのＩＮＣＩ名。
【０２０９】
注釈６．    ジセチルジメチル塩化アンモニウムについてのＩＮＣＩ名。
【０２１０】
（実施例４．酸性スキンケア乳液）
この実施例は、表５に示される処方において、約５％α−ヒドロキシ酸（乳酸）を含む酸性スキンケア乳液における実施例１の約０．５〜約０．６活性重量％カチオン性会合性ポリマーＡの使用を説明する。
【０２１１】
（表５）
【０２１２】
【表５】
0004482452.tif 000013
ｑ．ｓ．＝必要条件に合うのに十分な量。
【０２１３】
注釈７．    好ましくは、ＩＮＣＩ化合物、グリセリルステアレート（および）ＰＥＧ−１００ステアレート（例えば、Ｕｎｉｑｅｍａより販売されるＡＲＬＡＣＥＬ（商標登録）１６５）。
【０２１４】
注釈８．ＩＮＣＩ名混合物シクロメチコン（および）ジメチコノールについてＤｏｗ  Ｃｏｒｎｉｎｇ  Ｃｒｏｐ．の商標名。
【０２１５】
高い温度で成分番号２、３、４および５を含む油相、ならびに成分番号１、６、７、８および９を含む水相を別々に調製し、次いで、油相を水相に加えて、均質な乳濁液が形成されるまで混合することによって、約５５℃〜６５℃の範囲の温度で、処方物を調製した。次いで、この乳濁液を、約３０℃まで冷まして、成分番号１０を用いて香りをつけて、最終ｐＨを、成分番号１１を用いて調節した。
【０２１６】
成分番号１１を用いてｐＨを調節する前に、この乳濁液は、約２のｐＨを有した。完結した乳濁液は、約３．３のｐＨおよび約１１，４２０ｍＰａ・ｓブルックフィールド粘度（２４時間の粘度）を有した。この乳濁液は、極めて潤滑で光沢のあるローションであった。
【０２１７】
必要に応じて、カチオン性会合性ポリマーの量を増加することによって、ローションの粘度を粘稠性クリームまで増加し得る。この組成物は、α−ヒドロキシ酸（ＡＨＡ）、β−ヒドロキシ酸（ＢＨＡ）等を使用する型の酸性スキンケア生成物として使用に適していると判断された。
【０２１８】
（実施例５．繊維柔軟剤）
この実施例は、表６に示される処方物を有するエステルコット含有（ｅｓｔｅｒｑｕａｔ−ｃｏｎｔａｉｎｉｎｇ）繊維柔軟剤において増粘剤として使用される実施例１のカチオン性会合性ポリマー、ポリマーＡ（実施例５Ａ）およびポリマーＩ（実施例５Ｂ、５Ｃ）のカチオン性塩適合性を説明する。
【０２１９】
（表６）
【０２２０】
【表６−１】
0004482452.tif 000014
注釈９．    Ｃｏｇｎｉｓ  Ｃｏｒｐにより販売される、エステルコット、メチルトリエタノールアンモニウムメチルスルフェートジアルキルエステルについての商標登録名。
【０２２１】
グリコール酸を用いて水中のポリマーを中和して、約４のｐＨを有するゲルを得て、次いで、このゲルにエステルコット成分を加えて、均質になるまで混合することにより、組成物を調製した。次いで、均質混合物のｐＨを、グリコール酸を用いて約ｐＨ３に調整した。
【０２２２】
最初および２４時間後に、この組成物の粘度を決定して、この安定性を、約５℃の温度にて約１２週間の棚保存後および約５０℃の温度にて約４週間後の粘度を測定することによって決定した。結果を表６Ａに示す。
【０２２３】
（表６Ａ）
【０２２４】
【表６−２】
0004482452.tif 000015
カチオン性会合性ポリマーを、非イオン性／カチオン電荷を有する報告される約０．２％および０．４％の酸膨張可能な市販の流動力学変更因子（Ｎａｔｉｏｎａｌ  Ｓｔａｒｃｈ＆Ｃｈｅｍｉｃａｌより、商標名ＳＴＲＵＣＴＵＲＥ（商標登録）Ｐｌｕｓ下で販売される）と置換することを除いて、比較ために組成物を再び調製した。製造に従って、この物質のＩＮＣＩ名は、アクリレート／アミノアクリレート／Ｃ１０〜３０アルキルＰＥＧ−２０イタコネートコポリマーであり、これは、約２１％固体性、約８〜約９のｐＨを有する液体乳液として提供される。約０．２％および０．４％ＳＴＲＵＣＴＵＲＥ（商標登録）Ｐｌｕｓの活性重量％濃度にて、この処方物は、それぞれ約１４０ｍＰａ・ｓおよび約２５０ｍＰａ・ｓの即時のブルックフィールド粘度を有して、それらのそれぞれが粒状生地および非均一性流体特性を有した。
【０２２５】
（実施例６．毛髪コンディショニング毛髪セット組成物）
この実施例は、毛髪を調整し、固定し、スタイリングするのに適した毛髪固定剤ポリビニルピロリドン（ＰＶＰ）を含む２つの酸性水性ゲル（実施例６Ａ、実施例６Ｂ）の増粘剤として実施例１のカチオン性会合性ポリマーＡの使用を説明する。この組成物は、ブロックフィールド粘調度および％透明度と共に表７に示される。
【０２２６】
【表７】
0004482452.tif 000016
注釈１０。Ｉｎｔｅｒｎａｔｉｏｎａｌ  Ｓｐｅｃｉａｌｔｙ  Ｐｒｏｄｕｃｔｓによって商標名ＧＡＦＱＵＡＴ（登録商標）で販売される、中和された、第４級化ビニルピロリドン／ジメチルアミノエチルメタクリレートについてのＩＮＣＩ名。
【０２２７】
各組成物を、水中でのグリコール酸を除いて、全ての成分を混合し、次いで、グリコール酸でｐＨを下げるように調整することによって調製した。生成物の両方が、なめらかに伸展可能であり、任意の美的でない「くびれた」特徴を含まず、良好な髪セット効力（約１時間、７０％ＨＨＣＲ）を提供した。
【０２２８】
（実施例７．殺生物剤適合性）
この実施例は、表８に示される４つの処方物（実施例７Ａ、７Ｂ，７Ｃおよび７Ｄ）のカチオン性殺生物剤塩と実施例１のポリマーＡの適合性をブロックフィールド粘調度と共に説明する。
【０２２９】
（表８）
【０２３０】
【表８】
0004482452.tif 000017
注釈１１．  塩化ジデシルジメチルアンモニウムについてのＩＮＣＩ名、商標名下で、Ｌｏｎｚａ，Ｉｎｃ．より販売されるＢＡＲＤＡＣ（商標登録）２２５０。
【０２３１】
注釈１２．  塩化アルキルジメチルベンジルアンモニウム混合物（Ｃ１４，５０％；Ｃ１２，４０％；Ｃ１６１０％）についてのＩＮＣＩ名、商標名下でＬｏｎｚａ，Ｉｎｃ．より販売されるＢＡＲＱＵＡＴ（商標登録）ＭＢ５０。
【０２３２】
全ての組成物は、均質であり、円滑流体特性を有する。
【０２３３】
（実施例８．毛髪コンディショナー）
この実施例は、表９に示される毛髪コンディショナー処方物におけるポリマーＩ（実施例８Ａ、８Ｂ）およびポリマーＱ（実施例８Ｃ）の使用およびその活性量を、保存粘度に基づいた棚安定性と共に説明する。
【０２３４】
（表９）
【０２３５】
【表９】
0004482452.tif 000018
注釈１３．  平均３〜６シロキサン単位を有する環式ジメチルポリシロキサン化合物（例えば、シリコーンＳＦ１１７３（Ｇｅｎｅｒａｌ  Ｅｌｅｃｔｒｉｃ）についてのＩＮＣＩ名。
【０２３６】
この組成物を、約６２〜６３℃の範囲の温度にて、均質になるまで成分番号２、３、４および５を一緒に混合して、約４６〜４７℃の範囲の温度まで、混合して冷却し、次いで、成分番号１ａまたは１ｂのいずれかにおいて、示したように成分番号７、存在するならば成分番号８、番号６および番号１０を均質になるまで混合することによって、調製した。次いで、生成物のｐＨを、成分番号９を用いて約ｐＨ４．５に調製した。
【０２３７】
全ての組成物は、生地中で円滑で流動性であった。
【０２３８】
（実施例９．毛髪コンディショナー）
この実施例は、毛髪コンディショナーの使用に適した表１０に示される処方物において２つの濃度（実施例９Ａ、９Ｂ）での実施例１のポリマーＩの使用を説明した。
【０２３９】
（表１０）
【０２４０】
【表１０−１】
0004482452.tif 000019
注釈１４．  ビニルピロリドンおよびジメチルアミノプロピルメタクリルアミドモノマーからなる４級アンモニウム塩についてのＩＮＣＩ名。
【０２４１】
注釈１５．  ＩＮＣＩ混合物シクロメチコン（および）ジメチコノールのＤｏｗ  ｃｏｒｎｉｎｇの商標名。
【０２４２】
Ａ相の成分を前以て混合して、この混合物を、約５５℃〜約６０℃の範囲の温度まで加熱することによって組成物を調製した。Ｂ相の成分を、表の順に加えて、このバッチが均質になるまで攪拌し、次いで、このバッチを約３０℃の温度まで冷却して、Ｃ相を用いてｐＨを約４．５に調整した。最終生成物は、クリーム状で白色表面、非常によい流動特性、シルキータッチな感じを有した。ブルックフィールド粘度に基づいたこの組成物の保存安定性を、表１０Ａに示す。
【０２４３】
（表１０Ａ）
【０２４４】
【表１０−２】
0004482452.tif 000020
（実施例１０．ゲル）
この実施例は、表１１に示される活性ポリマー重量％量の３つの低ｐＨ水性ゲル（実施例１０Ａ，１０Ｂおよび１０Ｃ）における実施例１のポリマーＩの使用を説明する。
【０２４５】
（表１１）
【０２４６】
【表１１】
0004482452.tif 000021
ゲルは、一般的目的の錆および染み抜き酸性クリーナー（例えば、酸性便器クリーナー、トラッククリーナー、タンククリーナー、自動車クリーナー、床クリーナー等）として使用に適していると判断された。
【０２４７】
水性ゲルはまた、無機鉱物酸（クエン酸の代りに、例えば、塩酸、スルホン酸またはリン酸）を用い調製して、錆抜きまたは産業適用に適した経済的に低ｐＨゲルを生成し得る。
【０２４８】
（実施例１１．透明バッチゲル）
この実施例は、透明ゲル組成物の約１％の活性ポリマー重量にて、実施例１のポリマーＩの使用を説明する。このゲル組成物を、表１２に示される処方物を使用して、変化するｐＨレベル（ゲルＡ、ＢおよびＣ）にて調製した。
【０２４９】
（表１２）
【０２５０】
【表１２】
0004482452.tif 000022
（ゲルＡ）
ゲルＡを、以下のようにして調製した。成分番号１および２を前以て混合して、成分３を、穏やかに混合しながらこの前混合物に加えて、次いで、成分番号４を用いて、この混合物を約ｐＨ４まで中和した。成分番号６および７を、中和されたポリマーゲルに、攪拌混合しながら加え、このゲルが、均質で透明になるまで攪拌した。ゲルＡは、約４．２のｐＨ、約４，２８０ｍＰａ・ｓのブルックフィールド粘度を有して、５つの凍結／解凍サイクルに基づいて安定であると判断した。
【０２５１】
（ゲルＢ）
成分番号７を用いて、前以て調製された透明ゲルＡのｐＨを約５．２に調整することによって、ゲルＢを調製した。ゲルＢのサンプルを、粘度、濁度および安定性について測定した。ゲルＢは、約３，３８０の粘度を有して、５つの凍結／解凍サイクルに基づいて安定であると判断した。
【０２５２】
（ゲルＣ）
成分番号７を用いて、前以て調製された残存のゲルＢのｐＨをさらに約５．６に調整することによって、ゲルＣを調製した。ゲルＣは、約３，３８０ｍＰａ・ｓの粘度を有して、５つの凍結／解凍サイクルに基づいて安定であると判断された。
【０２５３】
それぞれのゲルＡ、ＢおよびＣについての濁度値は、約４１ＮＴＵであった。全てのゲルを、透明なバスゲルとして使用に適していると判断した。
【０２５４】
（実施例１２．シャンプー）
実施例は、表１３に示される処方物を有するシャンプー組成物において、約１％の活性ポリマー重量にて実施例１のポリマーＩの使用を説明する。
【０２５５】
（表１３）
【０２５６】
【表１３】
0004482452.tif 000023
表の順に成分を混合して、次いで、必要があれば成分番号６を用いてｐＨを調整して、均質になるまで混合することによって、シャンプーを調製した。完結したシャンプーのｐＨは、約４．６であった。このシャンプーは、５，５８０ｍＰａ・ｓのブルックフィールド粘度、約５３ＮＴＵの濁度を有して、５つの凍結／解凍サイクルに基づいて安定であると判断した。このシャンプーを、全目的の型のシャンプーとして使用に適していると判断した。
【０２５７】
比較のため、ポリマーＩ成分Ｎｏ．５なしで、同様にシャンプーを調製した。比較のシャンプーは、約４．５のｐＨを有し、非粘性（ブルックフィールド粘度、約１１５ｍＰａ・ｓ）で、そして透明（濁度値、約３ＮＴＵ）であった。
【０２５８】
（実施例１３．抗ふけシャンプー）
この実施例は、活性ふけ制御成分としてジンクピリチオンを含有し、そして表１４に示される以下の処方を有する抗ふけシャンプー組成物中に、約１％の活性ポリマー重量での、実施例１のカチオン性会合性ポリマーＩの用途を説明する。
【０２５９】
（表１４）
【０２６０】
【表１４】
0004482452.tif 000024
注記１６．Ｃｏｇｎｉｓ，Ｃｏｒｐ．によって販売される、Ｃ８−Ｃ１６のアルキル分布を有するアルキルポリグリコシドとアンモニウムラウレスサルフェートとの非イオン性／アニオン性界面活性剤ブレンドの商品名。
注記１７．Ａｒｃｈ  Ｃｈｅｍｉｃａｌｓ，Ｉｎｃ．によって、４８％分散剤として商品名Ｚｉｎｃ  ＯＭＡＤＩＮＥ（登録商標）で販売される化合物のＩＮＣＩ名。
【０２６１】
リストの順番で成分を混合することによって、このシャンプーを調製し、次いで、必要とされた場合、成分Ｎｏ．３によってｐＨを調節し、そして均質になるまで混合した。
【０２６２】
完成したシャンプーのｐＨは、約４．５であった。このシャンプーは、約９，５００ｍＰａ・ｓのブルックフィールド粘度を有し、そして滑らかな、クリーム状の生地（ｔｅｘｔｕｒｅ）およびローションのような外観を有した。このシャンプーは、大気の室温での貯蔵（ｓｈｅｌｆ  ｓｔｒａｇｅ）で、少なくとも約５ヶ月間、物理的に安定な状態であり、そして５回の凍結／解凍サイクルに基づいて、安定と判断された。
【０２６３】
比較のため、ポリマーＩ成分Ｎｏ．２なしで、同様にシャンプーを調製した。比較のシャンプーは、約４．５のｐＨを有し、非粘性（ブルックフィールド粘度、約１１５ｍＰａ・ｓ）で、そして不安定（大気の室温で２週間以内の貯蔵で物理的に分離した）であった。
【０２６４】
（実施例１４．コンディショニングシャンプー）
この実施例は、表１５に示される処方を有するコンディショニングシャンプー組成物中に約１．５％の活性ポリマー重量での、実施例１のポリマーＷの用途を説明する。
【０２６５】
（表１５）
【０２６６】
【表１５】
0004482452.tif 000025
注記１８．１〜４の間の平均エチレンオキシド単位を有する、スルホコハク酸のエトキシル化ラウリルアルコール半エステルの二ナトリウム塩に対するＩＮＣＩ名。
注記１９．Ｒｏｎａ／Ｍｅｒｃｋ  ＫＧａＡによって、商品名ＴＩＭＩＲＯＮ（登録商標）ＭＰ−１１５  Ｓｔａｒｌｕｓｔｅｒとして販売される混合物（報告によると、６９〜７５％の雲母および２５〜３１％のチタンジオキシドを有する）。
【０２６７】
このシャンプーを、以下のように調製した。成分Ｎｏ．１とＮｏ．２とを混合し、緩やかに混合しながら成分Ｎｏ．３を添加し、次いで成分Ｎｏ．４によってこの混合物を約ｐＨ４．５まで酸性化することによって、Ａ相を調製した。Ｂ相の成分を、記載された順番で、混合しながらＡ相に添加した。成分Ｎｏ．７およびＮｏ．８を予め混合することによってＣ相を別に調製し、次いでＣ相を、Ａ相とＢ相との混合物に添加した。Ｄ相の残りの成分Ｎｏ．９、１０、１１を、リストの順番でこのバッチに添加し、そして成分１２によって約４．５にｐＨを調節した。
【０２６８】
完成したシャンプーのｐＨは、約４．６であった。このシャンプーは、ポリマーＷなしで調製された比較のシャンプーよりも真珠光沢があると判断された、つやのある外観を有した。このシャンプーは、滑らかに流動し、大気の室温で少なくとも１週間を経過した現在の貯蔵の間、シリコーン成分は乳化されたままであった。このシャンプーは、約７，１２０ｍＰａ・ｓのブルックフィールド粘度を有し、そして５回の凍結／解凍サイクルに基づいて、安定と判断された。このシャンプーは、「ツーインワン」コンディショニングシャンプーと一般に呼ばれるタイプのコンディショニングシャンプーとしての用途に関して、安定であると判断された。
【０２６９】
比較のため、ポリマーＷ成分なしで同様に調製されたシャンプーは、約４．６のｐＨを有し、非粘性（ブルックフィールド粘度、約１００ｍＰａ・ｓ）でそして不安定（大気の室温で２４時間以内で物理的に分離した）であった。同様に、ポリマーＷの代わりに等量のポリクオタニウム−３２（ＳＡＬＣＡＲＥ（登録商標）（Ｃｉｂａ  Ｓｐｅｃｉａｌｔｙ  Ｃｈｅｍｉｃａｌｓ）に対するＩＮＣＩ名）を用いて処方されたシャンプーは、不安定であり、相分離を示した。（ＳＡＬＣＡＲＥ（登録商標）ＳＣ−９２は、カチオン性コポリマー液体分散剤混合物の商品名であり、報告によると、エタンアンモニウム、Ｎ，Ｎ，Ｎ−トリメチル−２−［（２−メチル−１−オキソ−２プロペニル）オキシ］−、クロライド、２−プロペンアミドを有するポリマーを含有する）。
【０２７０】
（実施例１５．カチオン性クリームコンディショナー）
この実施例は、表１６に示されるカチオン性クリーム状コンディショナー処方物中に約１．６％の活性ポリマー重量での、ポリマーＷの用途を説明する。
【０２７１】
（表１６）
【０２７２】
【表１６】
0004482452.tif 000026
空気混和なしで成分Ｎｏ．１、Ｎｏ．２、およびＮｏ．３を混合することによって、このクリーム処方物を調製した。成分Ｎｏ．４をこの混合物に添加し、そして成分Ｎｏ．５およびＮｏ．６を添加する前に十分混合した。次いで成分Ｎｏ．７を上記の混合物に添加し、ｐＨ範囲を調整する前に十分に混合した。得られた処方物は、白色のクリーム状の外観および滑らかな粘調度を有した。この処方物は、５回の凍結／解凍サイクルに基づいて、安定と判断された。初期ブルックフィールド粘度は、約１４，４００ｍＰａ・ｓであり、大気の室温および４５℃の温度での少なくとも４週間に渡る貯蔵で、実質的に変化しないままであった。
【０２７３】
（実施例１６．カチオン性コンディショナー）
この実施例は、表１７に示されるカチオン性クリーム状コンディショナー処方物中に約２％の活性ポリマー重量での、ポリマーＷの用途を説明する。
【０２７４】
（表１７）
【０２７５】
【表１７】
0004482452.tif 000027
空気混和なしで成分Ｎｏ．１、Ｎｏ．２、およびＮｏ．３を混合することによって、透明なコンディショナー処方物を調製した。成分Ｎｏ．４をこの混合物に添加し、そして成分Ｎｏ．５を添加する前に十分混合した。次いで成分Ｎｏ．６を上記の混合物に添加し、成分Ｎｏ．７でｐＨを調整する前に十分に混合した。得られた処方物は、実質的に透明であり、そして滑らかな粘ちょう度を有した。
【０２７６】
比較のため、実施例５に記載される市販のカチオン性ポリマーＳｔｒｕｃｔｕｒｅ（登録商標）Ｐｌｕｓを、ポリマーＷの代わりに、同じ２％の活性ポリマー重量で使用したことを除いて、第二のコンディショナーを同様に調製した。この組成物は、約４５０ｍＰａ・ｓのブルックフィールド粘度、７７の清澄性（％Ｔ）、および望ましくない塊のある、粒子の多い粘調度を有した。
【０２７７】
さらなる比較のため、従来の非カチオン性水溶性増粘剤、ヒドロキシエチルセルロース（ＮＡＴＲＯＳＯＬ（登録商標）２５０ＨＨＲ，ＣＳ化粧品高純度グレード（ＣＳ  ｃｏｓｍｅｔｉｃ  ｈｉｇｈ  ｐｕｒｉｔｙ  ｇｒａｄｅ）、Ａｑｕａｌｏｎ／Ｈｅｒｃｕｌｅｓ，Ｗｉｌｍｉｎｇｔｏｎ，ＤＥ）を、１％の活性ポリマー重量で、ポリマーＷの代わりに使用したことを除いて、第三のコンディショナーを同様に調製した。得られた組成物は、約３，９００ｍＰａ・ｓのブルックフィールド粘度、９７の清澄性（％Ｔ）、および非審美的な、「糸を引く」粘ちょう度を有した。
【０２７８】
ＣＴＡＣの非存在下で、カチオン吸着に関して周知の「ルビン色素試験（Ｒｕｂｉｎｅ
Ｄｙｅ  Ｔｅｓｔ）」の改変形に基づいて、白色ヤク毛を用いて、氷酢酸によって約ｐＨ３．５に調整された約０．５％のピラゾール色素（Ｃｌａｒｉａｎｔ）溶液からの吸収を決定することで、ポリマーＷを毛髪に対して重要であると判断した。（例えば、Ｃｒａｗｆｏｒｄら、「Ａ  Ｒｅｐｌａｃｅｍｅｎｔ  ｆｏｒ  Ｒｕｂｉｎｅ  ｄｙｅ  ｆｏｒ  ｄｅｔｅｃｔｉｎｇ  ｃａｔｉｏｎｉｃｓ  ｏｎ  ｋｅｒａｔｉｎ」、Ｊ．Ｓｏｃ．Ｃｏｓｍ．Ｃｈｅｍ．，Ｖ３１，２７３〜２７８ページ（１９８０年９月／１０月）を参照のこと。これに関連する開示は参考として援用される）。
【０２７９】
（実施例１７．毛髪セット剤およびコンディショニング組成物）
この実施例は、毛髪のセット、整髪、およびコンディショニングに有用な、水性毛髪用コンディショニング組成物中に活性ポリマー重量約３％での、カチオン性会合性ポリマー（実施例１、表２ＡのポリマーＡＦ）の用途を説明する。一研究において、ポリマーＡＦは、唯一の、コンディショニングを行い、レオロジーを改変し、フィルムを形成する毛髪固定用ポリマーとして、単独で使用される（実施例１７）。別の研究において、ポリマーＡＦは、水性処方物中において表１８に示された量で、以下と組み合わせて使用される：約３％の活性ポリマー重量の市販の非イオン性補助的毛髪固定用ポリマー（実施例１７Ｂ〜１７Ｄ）；約３％の活性ポリマー重量の市販の補助的毛髪固定用ポリマー（実施例１７Ｅ〜１７Ｌ）；約１％もしくは約３％の活性ポリマー重量の市販の両性補助的毛髪固定用ポリマー（それぞれ、実施例１７Ｍ〜１７Ｎ）；約１％もしくは約３％の活性ポリマー重量の市販の補助的カチオン性コンディショニングポリマー（実施例１７Ｏ〜１７Ｔ）。
【０２８０】
（表１８）
【０２８１】
【表１８】
0004482452.tif 000028
表１８Ａに示した市販の補助ポリマー成分Ｎｏ．３を水中に分散させ、そして混合して水性ポリマー溶液を提供することによって、各組成物を調製し、次いで、ポリマーＡＦをこの水性ポリマー溶液に混合し、成分Ｎｏ．５によってｐＨを調整し、次いで、成分Ｎｏ．４を添加し、必要とした場合、成分Ｎｏ．５によってｐＨを約４から約６の範囲に調整した。この組成物の外観を記述し、そして２４時間後、ブルックフィールド粘度を測定し、そして濁度、清澄度、および毛髪セット効力を測定した。他に示されない限り、ＨＨＣＲ毛髪セット効力を、研究された９つの毛髪トレス／組成物の平均値から計算した。粘度、濁度および清澄度の結果を、測定した場合、表１８Ａに示す。
【０２８２】
（表１８Ａ）
【０２８３】
【表１８Ａ】
0004482452.tif 000029
表１８Ａに対する注記
注記２０．ＰＶＰ  Ｋ９０、ＢＡＳＦ（報告によると、重量平均分子量は、約１，３００，０００ダルトン）。
注記２１．ＰＶＰ  Ｋ３０、ＢＡＳＦ（報告によると、重量平均分子量は、約６０，０００ダルトン）。
注記２２．ＰＶＰ  ７３Ｗ、ＢＡＳＦ
注記２３．Ｇａｆｑｕａｔ（登録商標）７３４Ｎ、ＩＳＰ、エタノール中に５０％として供給される。
注記２４．Ｇａｆｑｕａｔ（登録商標）ＨＳ−１００、ＩＳＰ。
注記２５．Ｃｅｌｑｕａｔ（登録商標）Ｈ−１００、Ｎａｔｉｏｎａｌ  Ｓｔａｒｃｈ。注記２６．Ｌｕｖｉｑｕａｔ（登録商標）ＦＣ−３７０、ＢＡＳＦ。
注記２７．Ｌｕｖｉｑｕａｔ（登録商標）Ｈｏｌｄ、ＢＡＳＦ。
注記２８．Ｓｔｙｌｅｚｅ（登録商標）Ｗ２０、ＩＳＰ。
注記２９．ＩＳＰによって販売される、ＩＮＣＩ名ビニルカプロラクタム／ＰＶＰ／ジメチルアミノエチルメタクリレートコポリマーを有するカチオン性固定用ポリマーに対する商品名。
注記３０．Ｎａｔｉｏｎａｌ  Ｓｔａｒｃｈによって販売される、ＩＮＣＩ名オクチルアクリルアミド（ｏｃｔｙｌａｃｒｙａｍｉｄｅ）／アクリレート／ブチルアミノエチルメタクリレートコポリマーを有する両性ポリマーに対する商品名。
注記３１．Ｃｌａｒｉａｎｔによって販売される、ＩＮＣＩ名アクリレート／ラウリルアクリレート／ステアリルアクリレート／エチルアミンオキシドメタクリレートコポリマーを有する、エタノール中に４０％として供給される両性ポリマーに対する商品名。
注記３２．ＵＣＡＲＥ（登録商標）ポリマーＪＲ−４００、Ａｍｅｒｃｈｏｌ。
注記３３．Ｍｅｒｑｕａｔ（登録商標）３３３０、Ｏｎｄｅｏ  Ｎａｌｃｏ。
注記３４．ＭａｃｋｅｒｎｉｕｍＴＭ００７、ＭｃＩｎｔｙｒｅ  Ｇｒｏｕｐ，Ｌｔｄ。注記３５．Ｒｈｏｄｉａによって販売される、ＩＮＣＩ名グアーヒドロキシプロピルトリモニウムクロライドを有する四級化グアー誘導体に対する商品名。
注記３６．Ｋｙｔａｍｅｒ（登録商標）ＰＣ、Ａｍｅｒｃｈｏｌ。
注記３７．Ｃｅｌｑｕａｔ（登録商標）ＳＣ−２３０Ｍ、Ｎａｔｉｏｎａｌ  Ｓｔａｒｃｈ＆Ｃｈｅｍｉｃａｌ。
【０２８４】
（実施例１７Ａ．）
唯一のコンディショニング、固定用ポリマーとしてポリマーＡＦを含有する水性組成物は、約４．１のｐＨを有し、透明なゲルであり、そして驚くべきことに、優れた毛髪セット効力を提供した（７０％のＨＨＣＲは約４時間であり、そして約８時間でのＨＨＣＲは、約５７％であった）。
【０２８５】
（実施例１７Ｂ〜１７Ｄ．）
ポリマーＡＦ、および市販の非イオン性ポリマーＰＶＰを含有する水性組成物（実施例１７Ｂ、１７Ｃ）もしくはポリマーＡＦ、および市販の非イオン性ポリマーＰＶＰ／ＶＡを含有する水性組成物（実施例１７Ｄ）は、約４．３〜約５．５の範囲のｐＨを有し、そして実質的に透明なゲルであった。実施例１７Ｂのこの組成物の毛髪セット効力を、非常に良好と判断した（少なくとも３時間、７０％のＨＨＣＲであり、そして約８時間でのＨＨＣＲは、約５２％であった）。ポリマーＡＦおよびＰＶＰ、またはポリマーＡＦおよびＰＶＰ／ＶＡの組合せを含む組成物（実施例１７Ｃおよび実施例１７Ｄ）は、良好〜弱い毛髪セット効力を提供し（７０％のＨＨＣＲは１時間より少なく、そして約８時間でのＨＨＣＲは、約２７〜約３１％であった）、これらの組成物を、毛髪保持に対してよりも一時的な毛髪の手入れもしくは成形に対して、より適切にしていた。実施例１７Ｄを、比較的固いと判断し、そして新規の髪型の実現に適切であると判断した。
【０２８６】
（実施例１７Ｅ〜１７Ｌ．）
ポリマーＡＦ、および市販のカチオン性固定用ポリマーを含有する組成物は、約４．１〜約４．４の範囲のｐＨを有した。実施例１７Ｅ、１７Ｆ、１７Ｈ、１７Ｋ、および１７Ｌの組成物は、実質的に透明であった。実施例１７Ｅの組成物は、優れた毛髪セット効力を提供し（少なくとも約８時間で７０％以上のＨＨＣＲ）、そして実施例１７Ｋの組成物は、２４時間まで優れた毛髪セット効力を提供し（少なくとも約８時間で９１％のＨＨＣＲ、および約２４時間で８８％）、そして組成物の生地を、審美的に滑らかであると判断した。実施例１７Ｉの組成物は、非常に良好な毛髪セット効力を提供し（１時間より長く２時間より短い間、７０％のＨＨＣＲであった）、そしてこの組成物の生地は、比較的固いと判断された。実施例１７Ｈの組成物は、半透明かつ滑らかな生地であり、そして優れた毛髪セット効力を提供した（約２４時間まで、９６％以上のＨＨＣＲ）。実施例１７Ｊの組成物は、高粘性を有し、視覚的に濁って（わずかに曇って）おり、そして優れた毛髪セット効力を提供した（少なくとも約７時間、７０％のＨＨＣＲであり、そして約８時間で約６４％のＨＨＣＲであった）。
【０２８７】
（実施例１７Ｍ〜１７Ｎ．）
ポリマーＡＦおよび両性ポリマーを含有するゲル状組成物は、約４．２〜約４．４の範囲のｐＨを有した。実施例１７Ｍの組成物は、約７１，４００ｍＰａ・ｓの粘度を有し、不透明で、かつ良好〜弱い毛髪セット効力を提供した（７０％のＨＨＣＲは１時間より少なく、そして約８時間では、３７％であった）。実施例１７Ｎの組成物は、約１２，２００ｍＰａ・ｓの粘度を有し、滑らかで、実質的に透明のゲルであった（濁度約３８ＮＴＵ）。
【０２８８】
（実施例１７Ｏ〜１７Ｔ．）
ポリマーＡＦおよびカチオン性コンディショニングポリマーを含有する実施例１７Ｏ〜１７Ｔの組成物は、約４．２〜約４．３の範囲のｐＨを有した。実施例１７Ｏの組成物は、濁った粘着性のゲルであり、優れた毛髪セット効力を提供し（約２４時間まで９０％以上のＨＨＣＲ）、特殊もしくは新規の、そして高い保持が所望される髪型のための用途に適した。実施例１７Ｐの組成物は、高粘性を有し、不透明で、優れた毛髪セット効力を提供した（約２４時間まで９０％以上のＨＨＣＲ）。実施例１７Ｑの組成物は、高粘性を有し、滑らかで、非常に良好な毛髪セット効力を提供した（少なくとも約２時間で７０％以上のＨＨＣＲ、および約８時間で約５１％のＨＨＣＲ）。実施例１７Ｒの組成物は、濃い、実質的に透明なゲルであった。実施例１７Ｓの組成物は、生成物の清澄度を考慮しない場合の用途に適切であると判断された、濁った暗色のゲルであった。実施例１７Ｔの組成物は、実質的に透明のゲルであった。
【０２８９】
（水アルコール組成物）
第２の研究において、実施例１７Ａ〜１７Ｔの処方物を、水アルコール組成物として、工程１で市販のポリマーをエタノールＳＤ−４０および水中に分散させる（したがって、最終水アルコール毛髪ケア組成物は、約１０重量％のエタノールを含んだ）ことを除き、上述の手段を繰り返すことにより調製した。アルコールは、以下で考察する実施例１７Ｏおよび１７Ｓを除き、全ての組成物の粘性を低下した。
【０２９０】
（実施例１７．Ａ）
ポリマーＡＦ（Ｅｘ．１７Ａ）を含有する水アルコール組成物は、また、実質的に透明（約２１．４ＮＴＵの濁度）なゲルであり、僅かに低い粘度であり（約３４，１００ｍＰａ・ｓ）、そして素晴らしい毛髪セッティング効力（７０％  ＨＨＣＲは、約５時間まで増加した）を提供した。
【０２９１】
（実施例１７Ｂ〜１７Ｄ）
アルコールは、実施例１７Ｂ、実施例１７Ｃおよび実施例１７Ｄの組成物の粘度を、約３８，５５０ｍＰａ・ｓ（実施例１７Ｃ）〜約４７，０００ｍＰａ・ｓ（実施例１７Ｄ）の範囲まで低下させ、そして透明度を上昇させた（濁度は、約２６．３ＮＴＵ（実施例１７Ｃ）〜約２８ＮＴＵ（実施例１７Ｂ）の範囲であり、実施例１７Ｄの透明度は、約７１．１％  Ｔまで上昇した）。実施例１７Ｂの毛髪セッティング力価は、すばらしく上昇した（７０％のＨＨＣＲは、約５時間であった）。
【０２９２】
（実施例１７Ｅ〜１７Ｌ）
アルコールは、実施例１７Ｅ、実施例１７Ｆ、実施例１７Ｈ、実施例１７Ｋおよび実施例１７Ｌの組成物の粘度を、低下させたが、なおゲルであった（粘度は、約１０，３００ｍＰａ・ｓ（実施例１７Ｆ）〜約５１，２００ｍＰａ・ｓ（実施例１７Ｈ）の範囲であった）。そして実質的に透明なままであり、（濁度は、約２６．５ＮＴＵ（実施例１７Ｌ）〜約３６ＮＴＵ（実施例１７Ｅ）の範囲であった）そして実施例１７Ｅ、実施例１７Ｈおよび実施例１７Ｋの透明度は、それぞれ約６５．５％  Ｔ、約７６．６％  Ｔおよび約７１％  Ｔまで上昇した）。実施例１７Ｅのすばらしい毛髪セッティング力価は、アルコールの存在によって変化しなかった（７０％のＨＨＣＲは、約８時間であった）。
【０２９３】
実施例１７Ｇの組成物中にアルコールを含めることにより、約２１，４００ｍＰａ・ｓの粘度、約４０ＮＴＵの濁度、および約６２％  Ｔの透明度を有する実質的に透明なゲルを生成した。実施例１７Ｉの組成物中にアルコールを含めることにより、約２，８８０ｍＰａ・ｓの中程度の粘度、および改善された透明度（濁度は約６８ＮＴＵまで低下し、そして透明度は約３５％  Ｔまで上昇した）を生成した。実施例１７Ｊの組成物中にアルコールを含めることにより、約１３，９５０ｍＰａ・ｓの粘度、および改善された透明度（濁度は約約６６．２ＮＴＵまで低下した）を有するゲルを生成した。
【０２９４】
（実施例１７Ｍ〜１７Ｎ）
アルコールは、実施例１７Ｍのゲル組成物の粘度を、約３５，０００ｍＰａ・ｓまで低下させた。アルコールは、実施例１７Ｎのゲル組成物の粘度を、約７，４６０ｍＰａ・ｓの高粘度まで低下させ、そして透明度を上昇した（濁度は約２６．４ＮＴＵまで低下した）。
【０２９５】
（実施例１７Ｏ−１７Ｔ）
実施例１７Ｏの水アルコール組成物は、僅かに上昇した粘度および改善された透明度（粘度は約３８，１００ｍＰａ・ｓであり、濁度は約６７ＮＴＵであり、そして透明度は約３０％  Ｔであった）を有した。実施例１７Ｐの水アルコール組成物は、約７，０００ｍＰａ・ｓの僅かに上昇した粘度を有し、不透明であり、すばらしい毛髪セッティング力価（２４時間のＨＨＣＲ）を保持した。実施例１７Ｑの組成物中のアルコールは、粘度を低下し、そして透明度を改善した（粘度は約５，１００ｍＰａ・ｓであり、濁度は約５２．３ＮＴＵであり、および透明度は約５７％  Ｔであった）。実施例１７Ｒの組成物中のアルコールは、粘度を低下し、そして透明度を僅かに改善した（粘度は約１２０，０００ｍＰａ・ｓであり、濁度は約４０．４ＮＴＵであった）。実施例１７Ｓの組成物中のアルコールは、粘度および濁度を上昇した（粘度は約３２，０００ｍＰａ・ｓであり、濁度は約２３５ＮＴＵであり、そして透明度は約１．７％  Ｔであった）。実施例１７Ｔの水アルコール組成物中のアルコールは、粘度を約７２，４００ｍＰａ・ｓまで僅かに低下し、そして透明度をさらに改善した（濁度は約４０．９ＮＴＵまで低下した）。
【０２９６】
（実施例１８．毛髪コンディショナー処方物）
この実施例は、カチオン性会合性ポリマーである実施例１、表２のポリマーＹの、毛髪コンディショナー組成物における使用を、約２％の活性ポリマー重量での唯一の調整剤として（実施例１８Ａ）、そして添加したジメチコーンコポリオールと組み合わせて（実施例１８Ｂ、１８Ｃ）、そして添加したジメチコーンコポリオールおよび４級アンモニウム化合物と組み合わせて（実施例１８Ｄ、１８Ｅ）、表１９に示した量で説明する。
【０２９７】
（表１９）
【０２９８】
【表１９】
0004482452.tif 000030
（注記３８    Ｃｅｔｉｏｌ  ＨＥ，Ｃｏｇｎｉｓ）
（注記３９    Ｄｏｗ  Ｃｏｒｎｉｎｇ  １９３，Ｄｏｗ  Ｃｏｒｎｉｎｇ）
組成物を、ポリマーＹと水を穏やかに混合し、成分番号１２でこのポリマー溶液をｐＨ約５まで部分的に中和し、次いで列挙した順番で残りの成分を混合し、必要な場合、成分番号１２でｐＨを約４まで調整することにより、調製する。
【０２９９】
実施例１８Ｃの組成物は、実質的に透明であった（１６．５ＮＴＵの濁度）（香料の添加前に測定した）。実施例１８Ｄの組成物は、実質的に透明であった（新しく調製して約５．４５ＮＴＵ、そして２４時間後に約１３．９ＮＴＵの濁度）。実施例１８Ｅの組成物は、新しく調製したとき、実質的に透明であり（２４．４ＮＴＵの濁度）、２４時間後に不透明になった（濁度１０９．２ＮＴＵ）。
【０３００】
（実施例１９．カチオン性コンディショナー組成物）
この実施例は、種々の濃度の実施例１のカチオン性会合性ポリマーであるポリマーＷの適合性を、処方物中の種々のカチオン性４級アンモニウム化合物を表２０において示した量で用いて説明する。
【０３０１】
（表２０）
【０３０２】
【表２０】
0004482452.tif 000031
（表２０の注記）
注記４０    ＣＴＡＣは、実施例２に記載される塩化セントリモニウムをいう。
【０３０３】
注記４１    ＢＴＡＣは、ＩＮＣＩ名称塩化ベヘントリモニウムを有する４級アンモニウム化合物をいい、塩化Ｎ，Ｎ，Ｎ−トリメチル−１−ドコサミニウムを表す。
【０３０４】
注記４２    ＳｔｅｐａｎＣｏｍｐａｎｙによって商品名ＷＥＣＯＢＥＥ（登録商標）Ｓで市販される製品に対するＩＮＣＩ名称。
【０３０５】
注記４３．ＳｔｅｐａｎＣｏｍｐａｎｙによって商品名ＮＥＯＢＥＥ（登録商標）Ｍ−５で市販される製品に対するＩＮＣＩ名称。
【０３０６】
この組成物を、以下のように生成した。Ａ部を、ポリマーＷ（成分番号２）を徐々に水中に、穏やかな混合撹拌で分散させ、生じる溶液が透明になるまで混合することにより、調製した。次いで、Ａ部以外の部分を加え、この混合物を約６５〜約７０℃の範囲の温度まで加熱した。別の容器に、Ｂ部の成分を混合し、この混合物を、Ｂ部を約６５〜約７０℃の範囲の温度まで加熱し、固体のない均一な混合物が得られるまで混合して、調製した。次いで、Ｂ部を、Ａ部に穏やかに混合撹拌して加え、均一になるまで混合した（約１５分間）。次いで得られた混合物を、約３５〜約４０℃の範囲の温度まで冷却した。次いで、Ｃ部を加え、必要な場合、Ｄ部を添加することにより、ｐＨを約４〜約４．４の範囲に調整した。
【０３０７】
全ての組成物は、約４（実施例１９Ｆ）および約４．２（実施例１９Ｂ）の範囲のｐＨを有し、各組成物は、つややかな白色であり、クリーム状の外観をしていた。組成物の粘度の範囲は、薄く（実施例１９Ｆ）から高く（実施例１９Ｃ、１９Ｄおよび１９Ｅ）、ゲル（実施例１９Ａ、１９Ｂ）までに及んだ。
【０３０８】
（実施例２０．清浄薬組成物）
この実施例は、カチオン性会合性ポリマーであるポリマーＷ（実施例２０Ａ）およびポリマーＹ（実施例２０Ｂ、２０Ｃ、２０Ｄ、および２０Ｅ）のアルコール非含有抗菌清浄剤処方物における、表２１に示す活性成分での使用を説明する。
【０３０９】
（表２１）
【０３１０】
【表２１】
0004482452.tif 000032
（表２１の注記）
注記４４    Ｌｏｎｚａ，Ｉｎｃ．により商品名ＬＯＮＺＡＧＡＲＤ（登録商標）で市販される、塩化ジイソブチリルフェノキシエトキシルエチルジメチルベンジルアンモニウム一水和物に対するＩＮＣＩ名称。
【０３１１】
注記４５    Ｎｏｖｅｏｎ，Ｉｎｃ．により市販される製品に対するＩＮＣＩ名称
組成物を、成分番号３を成分番号１と室温で均一になるまで（約１５分間）混合し、次いで成分番号２を加え、均一に成るまで混合し、成分第４でｐＨを約４．４〜約４．７の範囲に調整し、次いで、ｐＨ、粘度および濁度の値を測定した。次いで、成分番号５を、実施例２０Ｂおよび実施例２０Ｄの処方物に、表２１に示したように加え、そしてこの粘度を再び測定した。実施例１のポリマーＷのポリマー乳濁液は、約２０．９重量％の総ポリマー固体を有し、そして実施例１のポリマーＹのポリマー乳濁液は、約２０．７重量％の総ポリマー固体を有した。
【０３１２】
この組成物を、清浄剤組成物として好適であるか、特に手用清浄剤として好適であるかを評価した。
【０３１３】
（実施例２１．毛髪梳き計測）
実施例１８Ａ、実施例１８Ｂ、および実施例１８Ｃの毛髪コンディショナー組成物の濡れ梳き特性（ｗｅｔ  ｃｏｍｂｉｎｇ  ｐｒｏｐｅｒｔｙ）を、硬いゴムの櫛を取り付けた周知のＴｅｘｔｕｒｅＡｎａｌｙｚｅｒ（Ｔｅｘｔｕｒｅ  Ｔｅｃｈｎｏｌｏｇｙ  Ｃｏｒｐ．）機器を使用し、温度約２３℃および約５０％  ＲＨの環境湿度で梳き（ｃｏｍｂｉｎｇ）を実行して、計測器で評価した。脱色した欧州人自然茶色ヒト毛髪の束を、脱イオン水に浸し、約２ｇのコンディショナーを、手で均等に塗布し、そして親指および人差し指で毛髪束中に約１分間分散させ、次いで束を微温の水道水で約３０秒間濯いだ。次いで、濯いだ濡れた束を、Ｔｅｘｔｕｒｅ  Ａｎａｌｙｚｅｒ機器のＡ／ＴＧ張力グリップ（ｔｅｎｓｉｌｅ  ｇｒｉｐ）で固定し、そして張力グリップを持ち上げて、毛髪を櫛の櫛歯の細かい部分に約３ｍｍ／秒で束が完全に通過するまで押し付けることにより、梳く。束を持ち上げるために必要な労働力（ｗｏｒｋ  ｆｏｒｃｅ）（グラム）を、距離の関数として記録した。櫛通し過程を、計５回の櫛通し引き（ｃｏｍｂ−ｔｈｒｏｕｇｈ  ｐｕｌｌ）で、同じ束に４回繰り返した。基線測定として、各毛髪束を、試験組成物を適用する前に５回櫛通しについて測定し、そして試験組成物を適用後、測定を繰り返し、％総労働力を平均した。
【０３１４】
ポリマーＹ（実施例１８Ａ）を、濡れ梳き調整（ｗｅｔ  ｃｏｍｂｉｎｇ  ｃｏｎｄｉｔｉｏｎｉｎｇ）の提供について評価し、梳きやすさは、ジメチコーンコポリオール（実施例１８Ｂ、１８Ｃ）の存在によりさらに改善された。濡れ梳きデータ（ｗｅｔ  ｃｏｍｂｉｎｇ  ｄａｔａ）は、調整（ｃｏｎｄｉｔｉｏｎｉｎｇ）が実施例１８Ｂの組成物および実施例１８Ｃの組成物で実質的に同等であり、両組成物は、実施例１８Ａの組成物よりよい濡れ梳きやすさを提供したことを示した。
【０３１５】
（実施例２２．酸性界面活性剤肌洗浄剤）
この実施例は、アニオン性界面活性剤を有する実施例１のポリマーＡＦの、α−ヒドロキシ酸（乳酸）およびＬ−アルギニンの両性ヒドロキシ複合体を含む、酸性界面活性剤肌洗浄剤処方物における適合性を説明する。
【０３１６】
（表２２）
【０３１７】
【表２２】
0004482452.tif 000033
【０３１８】
注記４６    Ｃｏｇｎｉｓにより、商品名Ｅｕｐｅｒｌａｎ（登録商標）ＰＫ−３０００の下で市販される製品のＩＮＣＩ名称。
【０３１９】
注記４７    Ｃｏｇｎｉｓにより、商品名Ｌａｒｎｅｓｏｆｔ（登録商標）ＰＯ−６５（６５％）の下で市販される製品のＩＮＣＩ名称。
【０３２０】
注記４８    Ｃｏｇｎｉｓにより、商品名Ｓｔａｎｄａｍｏｘ（登録商標）ＣＡＷの下で市販される製品のＩＮＣＩ名称。
【０３２１】
注記４９    Ｃｏｇｎｉｓにより、商品名Ｔｅｘａｐｏｎ（登録商標）６１１（４２．８％）の下で市販される製品のＩＮＣＩ名称。
【０３２２】
注記５０    Ｃｏｇｎｉｓにより、商品名ＡＨＣａｒｅ（登録商標）Ｌ−６５の下で市販される製品のＩＮＣＩ名称。
【０３２３】
この組成物を、成分番号２〜６を示した順番で水中に分散し、各添加の間によく混合することによって調製した。混合物のｐＨを、成分番号７で、約３．８〜約３．９の範囲に調整した。次いで、成分番号８、その後ポリマーＡＦ（番号９）を添加し、次いで必要な場合、ｐＨを成分番号７で約４．１〜約４．２の範囲に調整した。
【０３２４】
最終組成物は、約４．１のｐＨ、約５，６４０ｍＰａ・ｓのＢｒｏｏｋｆｉｅｌｄ粘度を有した。この組成物を、身体用洗浄剤（代表的にボディウォッシュ（ｂｏｄｙ  ｗａｓｈ）と呼ばれる）として特に好適であるか評価した。
【０３２５】
（実施例２３．ムース処方物）
（表２３）
【０３２６】
【表２３】
0004482452.tif 000034
ポリマーＡＦを、脱イオン水中に分散させた。次いで、成分番号３、成分番号４、および成分番号５を列挙した順番に加え、各添加の後、均一になるまで混合した。成分番号８を添加し、そしてバッチが均一になるまで混合した。成分番号６および成分番号９を、事前に混合し、そして上述のバッチに添加した。ｐＨを、クエン酸で約５に調整した。処方物を、ムース製品に好適であるか評価した。
【０３２７】
（実施例２４．着色処置および色維持のためのシャンプー）
この実施例は、２つのシャンプー（２４Ａおよび２４Ｂ）が、着色処置および色維持のために好適であることを説明する。
【０３２８】
（表２４）
【０３２９】
【表２４】
0004482452.tif 000035
注記５１    Ｃｏｇｎｉｓにより、商品名Ｓｔａｎｄａｐｏｌ（登録商標）ＥＳ−２の下で市販される製品のＩＮＣＩ名称。
【０３３０】
注記５２    Ｃｏｇｎｉｓにより、商品名Ｓｔａｎｖａｐｏｌ（登録商標）ＥＡ−２の下で市販される製品のＩＮＣＩ名称。
【０３３１】
注記５３    Ｃｏｇｎｉｓにより、商品名Ｇｌｕａｄｉｎ（登録商標）ＷＫの下で市販される製品のＩＮＣＩ名称。
【０３３２】
注記５４    Ｗａｒｎｅｒ  Ｊｅｎｋｉｎｓｏｎ  Ｅｕｒｏｐｅ，Ｌｔｄ．により、商品名（ａ）；Ａｒｉａｎｏｒ（登録商標）Ｓｉｅｎｎａ  Ｂｒｏｗｎ、商品名（ｂ）；Ａｒｉａｎｏｒ（登録商標）Ｓｔｅｅｌ  Ｂｌｕｅ、商品名（ｃ）：Ａｒｉａｎｏｒ（登録商標）Ｍａｄｄｅｒ  Ｒｅｄの下で市販される製品のＩＮＣＩ名称。
【０３３３】
シャンプー２４Ａを、ポリマーＡＦを脱イオン水中にゆっくり混合して分散させ、成分番号３および成分番号６を混合しながら加え、この混合物を、クエン酸で約ｐＨ５に部分的に中和し、次いで、残りの成分番号４、成分番号５、成分番号７、成分番号８、成分番号９および成分番号１０を列挙した順番で加えた。この混合物に、成分番号１１、成分番号１２成分番号１３および香料の混合物を加え、成分番号１５を用いてｐＨを約４．７〜約５．０の範囲に調整した。
【０３３４】
シャンプー２４Ａを、使用の間、毛髪の着色に好適であるか、および、トリートメントシャンプーとしての連続使用を通して毛髪色の維持に好適であるかを評価した。
【０３３５】
シャンプー２４Ｂを、染料色素が存在しないことを除き、シャンプー２４Ａの手順に従って調整した。シャンプー２４Ｂを、着色されたかまたは毛髪から色を除去することなく化学処理された毛髪の洗浄に、好適であるか評価した。
【０３３６】
上述の実施例から、本発明のポリマーが、広範な種々の異なった水溶性組成物において使用され得、カチオン性４級アンモニウム塩、カチオン性界面活性剤およびアニオン性界面活性剤と適合性であることが、理解され得る。上記の考察および報告した研究は、本発明を例示する目的のみを意図し、限定として理解されるべきではない。本発明の精神および範囲の内であるなお他の改変が、可能であり、それ自体を当業者に対し容易に提示する。